(57)【要約】  基地局装置と通信する端末装置であって、上位層シグナリングを介して、ｅＩＭＴＡ（enhanced Interference Management and Traffic Adaptation）の設定に関する第１の情報とＣＳＩ（Channel State Information）サブフレームセットに関する第２の情報を受信する受信部と、前記第２の情報において、第１のＣＳＩサブフレームセットと第２のＣＳＩサブフレームセットが設定されている場合には、サブフレームセット間の優先度を考慮してＰＵＣＣＨ（Physical Uplink Control Channel）を用いたＣＳＩレポートをドロップする送信部と、を備える。
2015064738.tif 000002
【特許請求の範囲】
【請求項１】
基地局装置と通信する端末装置であって、
上位層シグナリングを介して、ｅＩＭＴＡ（enhanced Interference Management and Traffic Adaptation）の設定に関する第１の情報とＣＳＩ（Channel State Information）サブフレームセットに関する第２の情報を受信する受信部と、
前記第２の情報において、第１のＣＳＩサブフレームセットと第２のＣＳＩサブフレームセットが設定されている場合には、サブフレームセット間の優先度を考慮してＰＵＣＣＨ（Physical Uplink Control Channel）を用いたＣＳＩレポートをドロップする送信部と、を備える
端末装置。
【請求項２】
前記送信部は、
あるサブフレームで衝突する複数のＣＳＩレポートのうち、少なくとも１つのＣＳＩレポートは前記第１のＣＳＩサブフレームセットと前記第２のＣＳＩサブフレームセットのそれぞれに対応する場合には、同じ優先度のＰＵＣＣＨレポーティングタイプであれば、前記第２のＣＳＩサブフレームセットに対応するＣＳＩレポートをドロップする
請求項１記載の端末装置。
【請求項３】
前記送信部は、
あるサブフレームで衝突する複数のＣＳＩレポートが、同じサービングセルに対して、且つ、同じ優先度のＰＵＣＣＨレポーティングタイプである場合には、第２のＣＳＩサブフレームセットに対応するＣＳＩレポートをドロップする
請求項１記載の端末装置。
【請求項４】
前記送信部は、
ＰＵＣＣＨフォーマット３が設定された場合、前記あるサブフレームで、ＨＡＲＱ−ＡＣＫを送信するとすれば、前記第１のＣＳＩサブフレームセットに属するサブフレームに対応するＨＡＲＱ−ＡＣＫ（Hybrid Automatic Repeat request - Acknowledgement）と前記第２のＣＳＩサブフレームセットに属するサブフレームに対応するＨＡＲＱ−ＡＣＫを前記ＰＵＣＣＨフォーマット３で送信する
請求項１記載の端末装置。
【請求項５】
端末装置と通信する基地局装置であって、
ｅＩＭＴＡ（enhanced Interference Management and Traffic Adaptation）の設定に関する第１の情報とＣＳＩ（Channel State Information）サブフレームセットに関する第２の情報を、上位層シグナリングを介して、送信する送信部と、
前記第１の情報を設定し、且つ、前記第２の情報に基づいて、第１のＣＳＩサブフレームセットと第２のＣＳＩサブフレームセットを設定した場合には、前記第１のＣＳＩサブフレームセットに対応するＣＳＩレポートと前記第２のＣＳＩサブフレームセットに対応するＣＳＩレポートを受信する受信部と、を備える
基地局装置。
【請求項６】
前記送信部は、
前記第１のＣＳＩサブフレームセットに属するサブフレームに対応するＨＡＲＱ−ＡＣＫ（Hybrid Automatic Repeat request - Acknowledgement）と前記第２のＣＳＩサブフレームセットに属するサブフレームに対応するＨＡＲＱ−ＡＣＫを同じＰＵＣＣＨ（Physical Uplink Control Channel）を介して、受信する場合には、ＰＵＣＣＨフォーマット３のリソースを設定する
請求項５記載の基地局装置。
【請求項７】
基地局装置と通信する端末装置における方法であって、
上位層シグナリングを介して、ｅＩＭＴＡ（enhanced Interference Management and Traffic Adaptation）の設定に関する第１の情報とＣＳＩ（Channel State Information）サブフレームセットに関する第２の情報を受信するステップと、
前記第２の情報において、第１のＣＳＩサブフレームセットと第２のＣＳＩサブフレームセットが設定されている場合には、サブフレームセット間の優先度を考慮してＰＵＣＣＨ（Physical Uplink Control Channel）を用いたＣＳＩレポートをドロップするステップと、を有する
方法。
【請求項８】
ＰＵＣＣＨフォーマット３が設定された場合、前記あるサブフレームで、ＨＡＲＱ−ＡＣＫを送信するとすれば、前記第１のＣＳＩサブフレームセットに属するサブフレームに対応するＨＡＲＱ−ＡＣＫ（Hybrid Automatic Repeat request - Acknowledgement）と前記第２のＣＳＩサブフレームセットに属するサブフレームに対応するＨＡＲＱ−ＡＣＫを前記ＰＵＣＣＨフォーマット３で送信するステップを有する
請求項７記載の方法。
【請求項９】
端末装置と通信する基地局装置における方法であって、
ｅＩＭＴＡ（enhanced Interference Management and Traffic Adaptation）の設定に関する第１の情報とＣＳＩ（Channel State Information）サブフレームセットに関する第２の情報を、上位層シグナリングを介して、送信するステップと、
前記第１の情報を設定し、且つ、前記第２の情報に基づいて、第１のＣＳＩサブフレームセットと第２のＣＳＩサブフレームセットを設定した場合には、前記第１のＣＳＩサブフレームセットに対応するＣＳＩレポートと前記第２のＣＳＩサブフレームセットに対応するＣＳＩレポートを受信するステップと、を有する
方法。
【請求項１０】
前記第１のＣＳＩサブフレームセットに属するサブフレームに対応するＨＡＲＱ−ＡＣＫ（Hybrid Automatic Repeat request - Acknowledgement）と前記第２のＣＳＩサブフレームセットに属するサブフレームに対応するＨＡＲＱ−ＡＣＫを同じＰＵＣＣＨ（Physical Uplink Control Channel）を介して、受信する場合には、ＰＵＣＣＨフォーマット３のリソースを設定するステップを有する
請求項９記載の方法。
【発明の詳細な説明】
【技術分野】
【０００１】
本発明は、無線通信システム、端末装置、基地局装置、無線通信方法および集積回路に関する。
本願は、２０１３年１１月１日に、日本に出願された特願２０１３−２２７８００号に基づき優先権を主張し、その内容をここに援用する。
【背景技術】
【０００２】
３ＧＰＰ（Third Generation Partnership Project）によるＷＣＤＭＡ（Wideband Code Division Multiple Access：登録商標）、ＬＴＥ（Long Term Evolution）、ＬＴＥ−Ａ（LTE-Advanced）やＩＥＥＥ（The Institute of Electrical and Electronics engineers）によるＷｉｒｅｌｅｓｓ  ＬＡＮ、ＷｉＭＡＸ（Worldwide Interoperability for Microwave Access）のような通信システムでは、基地局装置（セル、第１の通信装置（端末装置とは異なる通信装置）、eNodeB）および端末装置（移動端末、移動局装置、第２の通信装置（基地局装置とは異なる通信装置）、ＵＥ（User Equipment））は、複数の送受信アンテナをそれぞれ備え、ＭＩＭＯ（Multi Input Multi Output）技術を用いることにより、データ信号を空間多重し、高速なデータ通信を実現する。【０００３】
ＬＴＥでは、基地局装置をｅＮｏｄｅＢ（evolved Node B）、端末装置をＵＥ（User Equipment）と呼称する場合もある。また、ＬＴＥは、基地局装置がカバーするエリアをセル状に複数配置するセルラー通信システムである。単一の基地局装置は複数のセルを管理してもよい。【０００４】
その通信システムで、基地局装置と端末装置とのデータ通信を実現するためには、基地局装置は端末装置に対して様々な制御を行うことが必要である。そのため、基地局装置は、端末装置に対して、所定のリソースを用いて、制御情報を通知することにより、下りリンクおよび上りリンクにおけるデータ通信を行う。例えば、基地局装置は、端末装置に対して、リソースの割り当て情報、データ信号の変調および符号化情報、データ信号の空間多重数情報、送信電力制御情報等を通知することにより、データ通信を実現する。【０００５】
その通信システムは、時分割複信（TDD: Time Division Duplex）に対応している。ＴＤＤ方式を採用したＬＴＥをＴＤ−ＬＴＥまたはＬＴＥ  ＴＤＤとも呼称する。ＴＤＤは、上りリンク信号と下りリンク信号を時分割多重することによって、単一の周波数帯域（キャリア周波数、コンポーネントキャリア）において下りリンクと上りリンクの通信を可能にする技術である。【０００６】
３ＧＰＰにおいて、上りリンクのトラフィックと下りリンクのトラフィックに応じて、上りリンクリソースと下りリンクリソースの比率を変更するトラフィックアダプテーション技術と干渉軽減技術（DL-UL Interference Management and Traffic Adaptation）をＴＤ−ＬＴＥに適用することが検討されている（非特許文献１）。
【先行技術文献】
【非特許文献】
【０００７】
【非特許文献１】"On standardization impact of TDD UL-DL adaptation", R1-122016, 3GPP TSG-RAN WG1 Meeting #69, Prague, Czech Republic, 21st - 25th May 2012.
【発明の概要】
【発明が解決しようとする課題】
【０００８】
しかしながら、種々の上りリンク物理チャネルの送信タイミングがそれぞれインプリシット（implicit）またはエクスプリシット（explicit）に設定される。ダイナミック時分割複信（DTDD: Dynamic Time Division Duplex）を行なう通信システムにおいて、種々の上りリンク物理チャネルの送信が衝突する場合、送信される信号は互いに干渉し、適切な通信が行なえないという問題が生じる。【０００９】
本発明は、上記問題を鑑みてなされたものであり、適切な送信制御が可能な端末装置、基地局装置および方法を提供することを目的とする。
【課題を解決するための手段】
【００１０】
（１）この発明は上述した課題を解決するためになされたもので、本発明の一態様による端末装置は、基地局装置と通信する端末装置であって、上位層シグナリングを介して、ｅＩＭＴＡ（enhanced Interference Management and Traffic Adaptation）の設定に関する第１の情報とＣＳＩ（Channel State Information）サブフレームセットに関する第２の情報を受信する受信部と、前記第２の情報において、第１のＣＳＩサブフレームセットと第２のＣＳＩサブフレームセットが設定されている場合には、サブフレームセット間の優先度を考慮してＰＵＣＣＨ（Physical Uplink Control Channel）を用いたＣＳＩレポートをドロップする送信部と、を備える。【００１１】
（２）また、本発明の一態様による端末装置は、上記の端末装置であって、前記送信部は、ＰＵＣＣＨフォーマット３が設定された場合、前記あるサブフレームで、ＨＡＲＱ−ＡＣＫを送信するとすれば、前記第１のＣＳＩサブフレームセットに属するサブフレームに対応するＨＡＲＱ−ＡＣＫ（Hybrid Automatic Repeat request - Acknowledgement）と前記第２のＣＳＩサブフレームセットに属するサブフレームに対応するＨＡＲＱ−ＡＣＫを前記ＰＵＣＣＨフォーマット３で送信する。【００１２】
（３）また、本発明の一態様による基地局装置は、端末装置と通信する基地局装置であって、ｅＩＭＴＡ（enhanced Interference Management and Traffic Adaptation）の設定に関する第１の情報とＣＳＩ（Channel State Information）サブフレームセットに関する第２の情報を、上位層シグナリングを介して、送信する送信部と、前記第１の情報を設定し、且つ、前記第２の情報に基づいて、第１のＣＳＩサブフレームセットと第２のＣＳＩサブフレームセットを設定した場合には、前記第１のＣＳＩサブフレームセットに対応するＣＳＩレポートと前記第２のＣＳＩサブフレームセットに対応するＣＳＩレポートを受信する受信部と、を備える。【００１３】
（４）また、本発明の一態様による基地局装置は、上記の基地局装置であって、前記送信部は、前記第１のＣＳＩサブフレームセットに属するサブフレームに対応するＨＡＲＱ−ＡＣＫ（Hybrid Automatic Repeat request - Acknowledgement）と前記第２のＣＳＩサブフレームセットに属するサブフレームに対応するＨＡＲＱ−ＡＣＫを同じＰＵＣＣＨ（Physical Uplink Control Channel）を介して、受信する場合には、ＰＵＣＣＨフォーマット３のリソースを設定する。【００１４】
（５）また、本発明の一態様による方法は、基地局装置と通信する端末装置における方法であって、上位層シグナリングを介して、ｅＩＭＴＡ（enhanced Interference Management and Traffic Adaptation）の設定に関する第１の情報とＣＳＩ（Channel State Information）サブフレームセットに関する第２の情報を受信するステップと、前記第２の情報において、第１のＣＳＩサブフレームセットと第２のＣＳＩサブフレームセットが設定されている場合には、サブフレームセット間の優先度を考慮してＰＵＣＣＨ（Physical Uplink Control Channel）を用いたＣＳＩレポートをドロップするステップと、を有する。【００１５】
（６）また、本発明の一態様による方法は、端末装置と通信する基地局装置における方法であって、ｅＩＭＴＡ（enhanced Interference Management and Traffic Adaptation）の設定に関する第１の情報とＣＳＩ（Channel State Information）サブフレームセットに関する第２の情報を、上位層シグナリングを介して、送信するステップと、前記第１の情報を設定し、且つ、前記第２の情報に基づいて、第１のＣＳＩサブフレームセットと第２のＣＳＩサブフレームセットを設定した場合には、前記第１のＣＳＩサブフレームセットに対応するＣＳＩレポートと前記第２のＣＳＩサブフレームセットに対応するＣＳＩレポートを受信するステップと、を有する。【００１６】
このことにより、端末装置は、適切な送信制御を行なうことができる。
【発明の効果】
【００１７】
この発明によれば、基地局装置と端末装置が通信する通信システムにおいて、端末装置は適切な送信制御を行なうことで、通信効率を向上させることができる。
【図面の簡単な説明】
【００１８】
【図１】本発明の第１の実施形態に係る基地局装置１の構成を示す概略ブロック図である。
【図２】本発明の第１の実施形態に係る端末装置２の構成を示す概略ブロック図である。
【図３】ＴＤＤ  ＵＬ／ＤＬ設定におけるサブフレームパターンの構成を示す図である。
【図４】本発明の実施形態に係る端末装置２における処理１の手順を示すフローチャートである。
【発明を実施するための形態】
【００１９】
以下、本発明の実施形態について説明する。
【００２０】
本発明の実施形態の通信システムでは、複数のセルを集約して通信を行なうセルアグリゲーションが適用される。すなわち、基地局装置１および／または端末装置２は、複数のセルを用いて通信を行なうことができる。セルは、コンポーネントキャリアを用いて構成されるため、セルアグリゲーションをキャリアアグリゲーションと呼称する場合もある。複数の上りリンクコンポーネントキャリアを集約して通信を行なうキャリアアグリゲーションを上りリンクキャリアアグリゲーション、複数の下りリンクコンポーネントキャリアを集約して通信を行なうキャリアアグリゲーションを下りリンクキャリアアグリゲーションと呼称する場合もある。
【００２１】
端末装置２に対して設定される複数のセルのそれぞれにおいて、本発明が適用されてもよい。また、端末装置２に設定された複数のセルの一部において、本発明が適用されてもよい。なお、端末装置２に設定されるセルをサービングセルと呼称する場合もある。また、上りリンクのために使用されるセルを上りリンクセル、下りリンクのために使用されるセルを下りリンクセルと呼称する場合もある。
【００２２】
本発明の実施形態の通信システムは、時分割複信（TDD: Time Division Duplex）方式が適用される。セルアグリゲーションを行なう場合、複数のセルの全て、または、その一部のセルにおいて、ＴＤＤ方式が適用されてもよい。その場合においても本発明が適用されてもよい。
【００２３】
セルアグリゲーションは、１つのプライマリーセルと１つ以上のセカンダリーセルを集約して通信を行なうことである。また、プライマリーセルは、上りリンクコンポーネントキャリアおよび下りリンクコンポーネントキャリアを用いて構成されるのに対し、セカンダリーセルは、下りリンクコンポーネントキャリアのみ用いて構成されてもよい。
【００２４】
設定された複数のサービングセル（複数のセル）は、１つのプライマリーセルと１つまたは複数のセカンダリーセルとを含む。プライマリーセルは、初期コネクション確立（initial connection establishment）プロシージャが行なわれたサービングセル、コネクション再確立（connection re-establishment）プロシージャを開始したサービングセル、または、ハンドオーバプロシージャにおいてプライマリーセルと指示されたセルである。ＲＲＣコネクションが確立された時点、または、後に、セカンダリーセルが設定されてもよい。なお、１つの基地局装置１によって複数のサービングセルが構成されてもよい。また、複数の基地局装置１によって複数のサービングセルが構成されてもよい。また、基地局装置１（基地局装置１を含むネットワーク）間は、有線（光ファイバ、銅線、同軸ケーブルなど）および／または無線（無線インタフェース、Ｘ２インタフェース、Ｘ３インタフェース、Ｘｎインタフェースなど）で接続されてもよい。
【００２５】
ＴＤＤが適用される複数のセルが集約される場合、集約されたセル間で同時に送受信を行なうか否かが適用されてもよい。その機能（性能、能力）を端末装置２がサポートしているか否かを示す情報（simultaneousRx-Tx）を基地局装置１へ送信してもよい。
【００２６】
端末装置２は、集約されたセル間で同時に送受信を行なう機能をサポートしていない場合、同じサブフレームにおいて、異なるバンドの異なるセルに対する上りリンクの送信と下りリンクの受信を同時に行なうことはできない。この場合、端末装置２は、あるバンド（E-UTRA Operating Band）における１つのプライマリーセル、または、異なる複数のバンドにおける１つのプライマリーセルおよび１つまたは複数のセカンダリーセルにおいて、同時に送信および受信を行なわない。
【００２７】
端末装置２は、集約されたセル間で同時に送受信を行なう機能をサポートしている場合、ＴＤＤが適用される複数のセルにおいて、上りリンクの送信と下りリンクの受信を同時に行なうことができる。この場合、端末装置２は、同じサブフレームにおいて、異なる複数のバンドにおける複数のサービングセルにおいて同時に送信および受信ができる。
【００２８】
ＴＤＤは、予め上りリンクおよび下りリンクの切り替えパターンを設定することで、サブフレーム単位で下りリンクと上りリンクを切り替えることができる。なお、ＴＤＤでは、下りリンク送信が可能なサブフレーム（下りリンクサブフレーム、下りリンク送信に対して予約されたサブフレーム）と上りリンク送信が可能なサブフレーム（上りリンクサブフレーム、上りリンク送信に対して予約されたサブフレーム）、さらに、ガード期間（GP: Guard Period）を設けることにより、下りリンク送信と上りリンク送信を時間領域（シンボル領域）で切り替え可能なサブフレーム（スペシャルサブフレーム）が定義されている。なお、スペシャルサブフレームにおいて、下りリンク送信が可能な時間領域を下りリンクパイロットタイムスロット（DwPTS: Downlink Pilot Time Slot）と呼称し、上りリンク送信が可能な時間領域を上りリンクパイロットタイムスロット（UpPTS: Uplink Pilot Time Slot）と呼称する。例えば、端末装置は、サブフレームｉが下りリンクサブフレームである場合、基地局装置から送信された下りリンク信号を受信することができ、サブフレームｉとは異なるサブフレームｊが上りリンクサブフレームである場合、端末装置から基地局装置へ上りリンク信号を送信することができる。また、サブフレームｉやサブフレームｊとは異なるサブフレームｋがスペシャルサブフレームである場合、下りリンクの時間領域ＤｗＰＴＳで下りリンク信号を受信することができ、上りリンクの時間領域ＵｐＰＴＳで上りリンク信号を送信することができる。
【００２９】
また、ＬＴＥ、ＬＴＥ−ＡにおいてＴＤＤ方式を実現するための上りリンクと下りリンク比率およびスペシャルサブフレーム内のＤｗＰＴＳとＵｐＰＴＳの比率は、それぞれテーブルを用いて設定することができる。それらのテーブルは、特定の情報要素（ＴＤＤ  ＵＬ／ＤＬ設定（TDD UL/DL configuration(s), TDD uplink-downlink configuration(s)）、ＴＤＤ設定（TDD configuration(s), tdd-Config, TDD config）、ＵＬ／ＤＬ設定（uplink-downlink configuration(s)））によって設定することができる。
【００３０】
また、上りリンクのトラフィックと下りリンクのトラフィック（情報量、データ量、通信量）に応じて、上りリンクリソースと下りリンクリソースの比率を変更するトラフィック適応制御技術をＴＤＤに適用してもよい。例えば、下りリンクサブフレームと上りリンクサブフレームの比率をダイナミックに変更することができる。あるサブフレームに対して、下りリンクサブフレームおよび上りリンクサブフレームを適応的に切り替えることができる。このようなサブフレームをフレキシブルサブフレームと呼称する。基地局装置１は、フレキシブルサブフレームにおいて、条件（状況）に応じて、上りリンク信号の受信または下りリンク信号の送信を行なうことができる。また、端末装置２は、基地局装置１によって、フレキシブルサブフレームにおいて上りリンク信号の送信を指示されない限り、該フレキシブルサブフレームを下りリンクサブフレームとみなして受信処理を行なうことができる。また、このような下りリンクサブフレームと上りリンクサブフレームの比率や上りリンクと下りリンクのサブフレーム、ＴＤＤ  ＵＬ／ＤＬ（再）設定をダイナミックに変更するＴＤＤをダイナミックＴＤＤ（DTDD: Dynamic TDD）と呼称する場合もある。また、ダイナミックにＴＤＤ  ＵＬ／ＤＬ（再）設定を行なうことによって、干渉管理（干渉制御）およびトラフィック適応制御技術をＴＤＤ  ｅＩＭＴＡ（TDD enhanced Interference Management and Traffic Adaptation）と呼称する場合もある。例えば、Ｌ１シグナリングでＴＤＤ  ＵＬ／ＤＬ設定情報が送信されてもよい。
【００３１】
単一の基地局装置１は、複数のセルを管理してもよい。また、単一の基地局装置１は、複数のＲＲＨ（Remote Radio Head）を管理してもよい。また、単一の基地局装置１は、複数のローカルエリアを管理してもよい。また、単一の基地局装置１は、複数のＨｅｔＮｅｔ（Heterogeneous Network）を管理してもよい。また、単一の基地局装置１は、複数の小電力基地局装置（LPN: Low Power Node）を管理してもよい。
【００３２】
その通信システムにおいて、ＬＴＥで定義されている一部の物理チャネルや信号が配置されないキャリア（コンポーネントキャリア）を使用し、通信を行なってもよい。ここで、そのようなキャリアをニューキャリアタイプ（NCT: New Carrier Type）と呼称する。例えば、ニューキャリアタイプには、セル固有参照信号や物理下りリンク制御チャネル、同期信号（プライマリー同期信号、セカンダリー同期信号）が配置されなくてもよい。また、ニューキャリアタイプが設定されたセルにおいて、モビリティ測定、時間／周波数同期検出を行なうための物理チャネル（PDCH: Physical Discovery Channel, NDS: New Discovery Signal(s)）の導入が検討されている。なお、ニューキャリアタイプは、追加キャリアタイプ（ACT: Additional Carrier Type）と呼称する場合もある。また、ＮＣＴに対し、既存のキャリアタイプをレガシーキャリアタイプ（LCT: Legacy Carrier Type）と呼称する場合もある。ＬＣＴまたはＮＣＴのキャリア（セル）において、ＴＤＤ方式が適用される場合には、本発明が適用されてもよい。
【００３３】
次に、本発明の実施形態に係わる物理チャネルおよび物理信号について説明する。
【００３４】
ＬＴＥおよびＬＴＥ−Ａで使用される主な物理チャネル（または物理信号）について説明する。チャネルとは、信号の送信に用いられる媒体を意味する。物理チャネルとは、信号の送信に用いられる物理的な媒体を意味する。物理チャネルは、ＬＴＥおよびＬＴＥ−Ａおよびそれ以降の規格リリースにおいて、今後追加、または、その構造やフォーマット形式が変更または追加される可能性があるが、そのような場合でも本発明の各実施形態の説明に影響しない。
【００３５】
ＬＴＥおよびＬＴＥ−Ａでは、物理チャネルのスケジューリングについて無線フレームを用いて管理している。１無線フレームは１０ｍｓであり、１無線フレームは１０サブフレームで構成される。さらに、１サブフレームは２スロットで構成される（すなわち、１スロットは０．５ｍｓである）。また、物理チャネルが配置されるスケジューリングの最小単位としてリソースブロックを用いて管理している。リソースブロックとは、周波数軸を複数サブキャリア（例えば、１２サブキャリア）の集合で構成される一定の周波数領域と、一定の送信時間間隔（例えば、１スロット、７シンボル）で構成される領域で定義される。
【００３６】
物理チャネルは、上位層から出力される情報を伝送するリソースエレメントのセットに対応する。物理信号は、物理層で使用され、上位層から出力される情報を伝送しない。つまり、無線リソース制御（RRC: Radio Resource Control）メッセージやシステムインフォメーション（SI: System Information）などの上位層の制御情報は、物理チャネルで伝送される。
【００３７】
下りリンク物理チャネルには、物理下りリンク共用チャネル（PDSCH: Physical Downlink Shared Channel）、物理報知チャネル（PBCH: Physical Broadcast Channel）、物理マルチキャストチャネル（PMCH: Physical Multicast Channel）、物理制御フォーマットインディケータチャネル（PCFICH: Physical Control Format Indicator Channel）、物理下りリンク制御チャネル（PDCCH: Physical Downlink Control Channel）、物理ハイブリットＡＲＱインディケータチャネル（PHICH: Physical Hybrid ARQ Indicator Channel）、拡張物理下りリンク制御チャネル（EPDCCH: Enhanced Physical Downlink Control Channel）がある。また、下りリンク物理信号は、種々の参照信号と種々の同期信号がある。下りリンク参照信号には、セル固有参照信号（CRS: Cell specific Reference Signal）、端末装置固有参照信号（UERS: UE specific Reference Signal）、チャネル状態情報参照信号（CSI-RS: Channel State Information Reference Signal）がある。同期信号には、プライマリー同期信号（PSS: Primary Synchronization Signal）とセカンダリー同期信号（SSS: Secondary Synchronization Signal）がある。
【００３８】
上りリンク物理チャネルには、物理上りリンク共用チャネル（PUSCH: Physical Uplink Shared Channel）、物理上りリンク制御チャネル（PUCCH: Physical Uplink Control Channel）、物理ランダムアクセスチャネル（PRACH: Physical Random Access Channel）がある。また、上りリンク物理信号には、種々の参照信号がある。上りリンク参照信号には、復調参照信号（DMRS: Demodulation Reference Signal）とサウンディング参照信号（SRS: Sounding Reference Signal）がある。
【００３９】
同期信号（Synchronization Signal）は、３種類のプライマリー同期信号（PSS: Primary Synchronization Signal）と、周波数領域で互い違いに配置される３１種類の符号から構成されるセカンダリー同期信号（SSS: Secondary Synchronization Signal）とで構成され、プライマリー同期信号とセカンダリー同期信号との組み合わせによって、基地局装置を識別する５０４通りの物理層セル識別子（PCI: Physical layer Cell Identity, Physical Cell Identity, Physical Cell Identifier）と無線同期のためのフレームタイミングが示される。端末装置２は、セルサーチによって受信した同期信号のＰＣＩを特定する。
【００４０】
物理報知チャネル（PBCH: Physical Broadcast Channel）は、セル内の端末装置で共通に用いられる制御パラメータ（報知情報やシステム情報）を通知する目的で送信される。ＰＢＣＨで通知されない報知情報は、ＰＤＣＣＨで無線リソースが通知され、ＰＤＳＣＨによってレイヤー３メッセージ（システムインフォメーション（システム制御情報）、ＲＲＣメッセージ）で送信される。報知情報として、セル個別の識別子を示すセルグローバル識別子（CGI: Cell Global Identifier）、ページングによる待ち受けエリアを管理するトラッキングエリア識別子（TAI: Tracking Area Identifier）、ランダムアクセス設定情報（送信タイミングタイマーなど）、共通無線リソース設定情報（共有無線リソース設定情報）などが通知される。
【００４１】
システムインフォメーションブロックタイプ１メッセージは、SFN mod 8 = 0を満たす無線フレームのサブフレーム５においてＰＤＳＣＨを介して初期送信が行われ、SFN mod 2= 0を満たす他の無線フレームにおけるサブフレーム５において再送信（repetition）が行なわれる。システムインフォメーションブロックタイプ１メッセージは、スペシャルサブフレームの構成（ＤｗＰＴＳ、ＧＰ、およびＵｐＰＴＳの長さ）を示す情報を含む。システムインフォメーションブロックタイプ１メッセージは、セル固有の情報である。
【００４２】
システムインフォメーションメッセージは、ＰＤＳＣＨを介して伝送される。システムインフォメーションメッセージは、セル固有の情報である。システムインフォメーションメッセージは、システムインフォメーションブロックタイプ１以外のシステムインフォメーションブロックＸを含んでもよい。
【００４３】
下りリンク参照信号は、その用途によって複数のタイプに分類される。例えば、セル固有参照信号（Cell-specific reference signals; CRS）は、セル毎に所定の電力で送信されるパイロット信号であり、所定の規則に基づいて周波数領域および時間領域で周期的に繰り返される下りリンク参照信号である。端末装置２は、ＣＲＳを受信することでセル毎の受信品質を測定することができる。また、端末装置２は、ＣＲＳと同時に送信されるＰＤＣＣＨ、またはＰＤＳＣＨの復調のための参照信号としても用いられる。ＣＲＳに使用される系列は、セル毎に識別可能な系列が用いられる。例えば、この系列は、擬似ランダム系列に基づいて生成されてもよい。また、この系列は、Ｚａｄｏｆｆ−Ｃｈｕ系列に基づいて生成されてもよい。また、この系列は、ゴールド系列に基づいて生成されてもよい。また、これらの系列の亜種であってもよい。これらの系列は、系列生成器によって、生成されてもよい。系列生成器は、各無線フレームの初めに、ある初期値で初期化されてもよい。ある初期値は、物理チャネル／物理信号毎に独立に定義（設定）されてもよい。
【００４４】
また、下りリンク参照信号は下りリンクの伝搬路変動の推定にも用いられる。伝搬路変動の推定に用いられる下りリンク参照信号のことをチャネル状態情報参照信号（Channel State Information Reference Signals; CSI-RS）あるいはＣＳＩ参照信号と呼称してもよい。また、実際には信号が送信されないＣＳＩ参照信号、つまり基地局装置１から信号の送信が行なわれないリソースは、ゼロパワーチャネル状態情報参照信号（Zero Power Channel State Information Reference Signals; Zero Power CSI-RS）あるいはゼロパワーＣＳＩ参照信号と呼称してもよい。
【００４５】
また、干渉成分を測定するために用いられる下りリンクリソースの事をチャネル状態情報干渉測定リソース（Channel State Information - Interference Measurement Resource: CSI-IMR）と呼称し、ＣＳＩ−ＩＭリソースに含まれるゼロパワーＣＳＩ参照信号を用いて、端末装置２はＣＱＩの値を算出するために干渉信号の測定を行なってもよい。
【００４６】
また、端末装置２毎に個別に設定される下りリンク参照信号は、端末装置固有参照信号（UERS: UE specific Reference Signals）または専用参照信号（Dedicated Reference Signals）、下りリンク復調参照信号（DL DMRS: Downlink Demodulation Reference Signals）などと称され、ＰＤＣＣＨ、またはＰＤＳＣＨの復調に用いられる。
【００４７】
物理下りリンク共用チャネル（Physical Downlink Shared Channel; PDSCH）は、下りリンクデータのほか、ページングや物理報知情報チャネルで通知されない報知情報（システムインフォメーション）をレイヤー３メッセージ（ＲＲＣメッセージ）として端末装置２に通知するためにも使用される。物理下りリンク共用チャネルの無線リソース割り当て情報は、物理下りリンク制御チャネルで示される。また、ＰＤＳＣＨは、下りリンクと上りリンクに関するパラメータ（情報要素、ＲＲＣメッセージ）を通知するためにも使用される。
【００４８】
ＲＲＣメッセージはＰＤＳＣＨを介して伝送される。ＲＲＣメッセージは、ＲＲＣ層において処理される情報／信号である。ＲＲＣメッセージは、セル内の複数の移動局装置１に対して共通であってもよいし、特定の移動局装置１に対して専用であってもよい。なお、ＲＲＣメッセージは、上位層シグナリングまたはＲＲＣシグナリングと呼称される場合もある。
【００４９】
物理下りリンク制御チャネル（Physical Downlink Control Channel; PDCCH）は、各サブフレームの先頭からいくつかのＯＦＤＭシンボルで送信され、端末装置２に対して基地局装置１のスケジューリングに従ったリソース割り当て情報や、送信電力の増減の調整量を指示する目的で使用される。ＰＤＣＣＨには、下りリンク制御情報（Downlink Control Information; DCI）を端末装置２に対して、送信する目的で使用される。端末装置２は、下りリンクデータや下りリンク制御データであるレイヤー３メッセージ（ページング、ハンドオーバコマンド、ＲＲＣメッセージなど）を送受信する前に自局宛の物理下りリンク制御チャネルを監視（モニタ）し、自局宛のＰＤＣＣＨを受信することで、送信時には上りリンクグラント、受信時には下りリンクグラント（下りリンクアサインメントとも呼称される）と呼ばれるリソース割り当て情報をＰＤＣＣＨ（ＰＤＣＣＨに伴うＤＣＩフォーマットを用いて送信されるＤＣＩ）から取得する必要がある。なお、ＰＤＣＣＨは、上述したＯＦＤＭシンボルで送信される以外に、基地局装置１から端末装置２に対して個別（ｄｅｄｉｃａｔｅｄ）に割り当てられるリソースブロックの領域で送信されるように構成することも可能である。この基地局装置１から端末装置２に対して個別（ｄｅｄｉｃａｔｅｄ）に割り当てられるリソースブロックの領域で送信されるＰＤＣＣＨをエンハンスト物理下りリンク制御チャネル（EPDCCH: Enhanced PDCCH）と呼称される場合もある。また、上述したＯＦＤＭシンボルで送信されるＰＤＣＣＨを第１の制御チャネルと呼称される場合もある。また、ＥＰＤＣＣＨを第２の制御チャネルと呼称される場合もある。また、ＰＤＣＣＨが割り当て可能なリソース領域を第１の制御チャネル領域、ＥＰＤＣＣＨが割り当て可能なリソース領域を第２の制御チャネル領域と呼称する場合もある。なお、本発明において、説明の簡略化のため、ＰＤＣＣＨと記載の箇所にはＥＰＤＣＣＨも含まれているものとする。言い換えると、ＰＤＣＣＨと記載されている箇所は、ＥＰＤＣＣＨと置き換えられてもよい。
【００５０】
ここで、端末装置２は、ＰＤＣＣＨ候補（PDCCH candidates）および／またはＥＰＤＣＣＨ候補（EPDCCH candidates）のセットをモニタする。ＰＤＣＣＨ候補とは、基地局装置１によって、ＰＤＣＣＨがマップおよび送信される可能性のある候補を示している。また、ＰＤＣＣＨ候補は、１つまたは複数の制御チャネル要素（CCE: Control Channel Element）から構成される。また、モニタには、モニタされる全てのＤＣＩフォーマットに応じて、ＰＤＣＣＨ候補のセット内のＰＤＣＣＨそれぞれに対して、端末装置２がデコード（復号）を試みることが含まれてもよい。また、モニタには、受信信号の受信レベルを測定することが含まれてもよい。
【００５１】
ここで、端末装置２が、モニタするＰＤＣＣＨ候補のセットは、サーチスペースとも称される。サーチスペースとは、基地局装置１によってＰＤＣＣＨの送信に用いられる可能性のあるリソースのセットである。ＰＤＣＣＨ領域には、コモンサーチスペース（CSS: Common Search Space）と端末装置スペシフィックサーチスペース（USS: UE-specific Search Space）が構成（定義、設定）される。
【００５２】
ＰＤＳＣＨに対するＨＡＲＱフィードバックを行なうためのＰＵＣＣＨリソースは、ＰＤＳＣＨ送信を示すＰＤＣＣＨ（ＥＰＤＣＣＨ）のＣＣＥ（ＥＣＣＥ）インデックスに基づいて、決定されてもよい。
【００５３】
ＣＳＳは、複数の端末装置２に対するＤＣＩの送信に用いられる。すなわち、ＣＳＳは、複数の端末装置２に対して共通のリソースによって定義される。また、ＵＳＳは、ある特定の端末装置２に対するＤＣＩの送信に用いられる。すなわち、ＵＳＳは、ある特定の端末装置２に対して専用のリソースによって定義される。ＤＣＩは、送信するＤＣＩの種類に応じて、複数のフォーマットが用意されている（例えば、ＤＣＩフォーマット０／１／１Ａ／１Ｂ／１Ｃ／１Ｄ／２／２Ａ／２Ｂ／２Ｃ／２Ｄ／３／３Ａ／４）。上りリンク送信制御（例えば、ＰＵＳＣＨのスケジューリングなど）に用いられるフォーマットを上りリンクＤＣＩフォーマット（例えば、ＤＣＩフォーマット０／４）と呼称し、下りリンク受信制御（例えば、ＰＤＳＣＨのスケジューリングなど）に用いられるフォーマットを下りリンクＤＣＩフォーマット（例えば、ＤＣＩフォーマット１／１Ａ／１Ｂ／１Ｃ／１Ｄ／２／２Ａ／２Ｂ／２Ｃ／２Ｄ）と呼称してもよい。複数の端末装置２に対して用いられるフォーマットをグループトリガリングＤＣＩフォーマット（例えば、ＤＣＩフォーマット３／３Ａ）と呼称してもよい。また、ＤＣＩフォーマット０を第１のフォーマットのＤＣＩまたは第１のＤＣＩフォーマットと呼称し、ＤＣＩフォーマット１を第２のフォーマットのＤＣＩまたは第２のＤＣＩフォーマットと呼称してもよい。１つのＤＣＩフォーマットは１つ以上のＤＣＩ（または情報）で構成される。
【００５４】
端末装置２は、ＰＤＣＣＨ領域のＣＳＳおよび／またはＵＳＳにおいてＰＤＣＣＨをモニタし、自装置宛てのＰＤＣＣＨを検出する。
【００５５】
また、ＤＣＩの送信（ＰＤＣＣＨでの送信）には、基地局装置１が端末装置２に割り当てたＲＮＴＩ（Radio Network Temporary Identifier）が利用される。具体的には、ＤＣＩフォーマット（下りリンク制御情報でも良い）に巡回冗長検査（CRC: Cyclic Redundancy check）パリティビットが付加され、付加された後に、ＣＲＣパリティビットがＲＮＴＩによってスクランブルされる。
【００５６】
端末装置２は、ＲＮＴＩによってスクランブルされたＣＲＣパリティビットが付加されたＤＣＩフォーマットに対してデコードを試み、ＣＲＣが成功したＤＣＩフォーマットを、自装置宛のＤＣＩフォーマットとして検出する（ブラインドデコーディングとも呼称される）。すなわち、端末装置２は、ＲＮＴＩによってスクランブルされたＣＲＣを伴うＰＤＣＣＨに対してデコードを試み、ＣＲＣが成功したＰＤＣＣＨを、自装置宛のＰＤＣＣＨとして検出する。
【００５７】
ここで、ＲＮＴＩには、Ｃ−ＲＮＴＩ(Cell-Radio Network Temporary Identifier)が含まれる。Ｃ−ＲＮＴＩは、ＲＲＣ接続およびスケジューリングの識別に対して使用されるユニークな（一意的な）識別子である。Ｃ−ＲＮＴＩは、動的にスケジュールされるユニキャスト送信のために利用される。
【００５８】
また、ＲＮＴＩには、Ｔｅｍｐｏｒａｒｙ  Ｃ−ＲＮＴＩが含まれる。Ｔｅｍｐｏｒａｒｙ  Ｃ−ＲＮＴＩは、ランダムアクセスプロシージャ（例えば、初期アクセス）に対して使用される識別子である。例えば、端末装置２は、Ｔｅｍｐｏｒａｒｙ  Ｃ−ＲＮＴＩによってスクランブルされたＣＲＣが付加されたＤＣＩフォーマットを、コモンサーチスペースのみでデコードを試みてもよい。
【００５９】
物理上りリンク共用チャネル（Physical Uplink Shared Channel; PUSCH）は、主に上りリンクデータと上りリンク制御データを送信し、下りリンクの受信品質やＡＣＫ／ＮＡＣＫなどの制御データを含めることも可能である。この制御データをチャネル状態情報（CSI: Channel State Information）と呼称する場合もある。また、ＰＵＳＣＨで送信されるＣＳＩをアピリオディックＣＳＩ（Ａ−ＣＳＩ）と呼称する場合もある。また、上りリンクデータの他、上りリンク制御情報をレイヤー３メッセージとして基地局装置１に通知するためにも使用される。また、下りリンクの場合と同様に物理上りリンク共用チャネルのリソース割り当て情報は、物理下りリンク制御チャネルで示される。また、ＰＵＳＣＨは、ダイナミックスケジューリンググラントに対しては上りリンクデータを送信する。また、ＰＵＳＣＨは、ランダムアクセスレスポンスグラントに対して、ランダムアクセスに関連した自局の情報（例えば、端末装置２の識別情報、メッセージ３）を送信する。また、ＰＵＳＣＨは、検出したグラントの種類に応じて送信電力制御に使用するパラメータが異なる場合がある。
【００６０】
物理上りリンク制御チャネル（Physical Uplink Control Channel; PUCCH）は、物理下りリンク共用チャネルで送信されたデータの受信確認応答（Acknowledgement/Negative Acknowledgement; ACK/NACK）の通知や下りリンクの伝搬路情報（チャネル状態情報）の報告（CSI report）、上りリンクのリソース割り当て要求（無線リソース要求）であるスケジューリングリクエスト（Scheduling Request; SR）を行なうために使用される。チャネル状態情報（CSI: Channel State Information）は、チャネル品質指標（CQI: Channel Quality Indicator）、プリコーディングマトリックス指標（PMI: Precoding Matrix Indicator）、プリコーディングタイプ指標（PTI: Precoding Type Indicator）、ランク指標（RI: Rank Indicator）を含む。各インディケータ（Indicator）は、インディケーション（Indication）と表記される場合もあるが、その用途と意味は同じである。また、端末装置２は、送信するＵＣＩに応じて、ＰＵＣＣＨのフォーマットを切り替えてもよい。
【００６１】
また、ＰＵＣＣＨフォーマット１／１ａ／１ｂには、ＳＲＳとの衝突を避けるために、１シンボル分パンクチャした短縮フォーマット（shortened format）とパンクチャしていない標準フォーマット（Normal format）がある。例えば、同じサブフレームでＰＵＣＣＨとＳＲＳの同時送信が有効である場合は、ＳＲＳサブフレームでＰＵＣＣＨフォーマット１／１ａ／１ｂは短縮フォーマットで送信される。同じサブフレームでＰＵＣＣＨとＳＲＳの同時送信が有効でない場合は、ＳＲＳサブフレームでＰＵＣＣＨフォーマット１／１ａ／１ｂは標準フォーマットで送信される。その際、ＳＲＳの送信が生じたとしてもＳＲＳは送信されなくてもよい。
【００６２】
ＣＳＩ報告には、周期的またはイベント条件が満たされた場合に、チャネル状態情報を報告するピリオディックＣＳＩ報告（P-CSI reporting）と、ＤＣＩフォーマットに含まれているＣＳＩリクエストによって、ＣＳＩ報告が要求された場合にチャネル状態情報を報告するアピリオディックＣＳＩ報告（A-CSI reporting）がある。ピリオディックＣＳＩ報告は、ＰＵＣＣＨまたはＰＵＳＣＨを用いて行なわれ、アピリオディックＣＳＩ報告は、ＰＵＳＣＨを用いて行なわれる。すなわち、Ｐ−ＣＳＩは、ＰＵＣＣＨまたはＰＵＳＣＨを用いて送信され、Ａ−ＣＳＩは、ＰＵＳＣＨを用いて送信される。端末装置２は、ＤＣＩフォーマットに含まれる情報（ＣＳＩリクエスト）に基づいてＣＳＩ報告が要求される場合、ＰＵＳＣＨで上りリンクデータを伴わないＣＳＩ（Ａ−ＣＳＩ）を送信することもできる。
【００６３】
ＣＳＩ報告が可能なＰＵＣＣＨサブフレーム（reporting instances）は、上位層で設定されるインデックス（ＣＱＩＰＭＩインデックス、ＲＩインデックス）と関連付けられた周期およびサブフレームオフセットに基づいて決定される。なお、上位層で設定されるインデックスは、ＣＳＩを測定するために設定されるサブフレームセット毎に設定可能である。複数のサブフレームセットに対して１つのインデックスしか設定されない場合、そのインデックスは、サブフレームセット間で共通であるとみなしてもよい。
【００６４】
送信モード１〜９で設定された端末装置２に対して、各サービングセルに対して１つのＰ−ＣＳＩ報告は、上位層シグナリングによって設定される。
【００６５】
送信モード１０で設定された端末装置２に対して、各サービングセルに対して１つ以上のＰ−ＣＳＩ報告は、上位層シグナリングによって設定される。
【００６６】
送信モード９または１０で設定された端末装置２に対して、８ＣＳＩ−ＲＳポートが設定され、ワイドバンドＣＱＩでシングルＰＭＩの報告モード（モード１−１）が上位層シグナリングによってあるパラメータ（PUCCH_format1-1_CSI_reporting_mode）を用いてサブモード１もしくはサブモード２に設定される。
【００６７】
端末選択サブバンドＣＱＩ（UE-selected subband CQI）に対して、あるサービングセルのあるサブフレームでのＣＱＩ報告は、帯域幅パートとして示されるサービングセルの帯域幅の特定の部分（一部）におけるチャネル品質の報告である。
【００６８】
ＣＳＩ報告タイプは、ＰＵＣＣＨ  ＣＳＩ報告モードをサポートしている。ＣＳＩ報告タイプは、ＰＵＣＣＨ報告タイプ（PUCCH reporting type）と呼称される場合もある。タイプ１報告は、端末選択サブバンドに対するＣＱＩフィードバックをサポートしている。タイプ１ａ報告は、サブバンドＣＱＩと第２のＰＭＩフィードバンクをサポートしている。タイプ２、タイプ２ｂ、タイプ２ｃ報告は、ワイドバンドＣＱＩとＰＭＩフィードバックをサポートしている。タイプ２ａ報告は、ワイドバンドＰＭＩフィードバンクをサポートしている。タイプ３報告は、ＲＩフィードバックをサポートしている。タイプ４報告は、ワイドバンドＣＱＩをサポートしている。タイプ５報告は、ＲＩとワイドバンドＰＭＩフィードバックをサポートしている。タイプ６報告は、ＲＩとＰＴＩフィードバックをサポートしている。
【００６９】
上りリンク参照信号（Uplink Reference Signal）は、基地局装置１が、物理上りリンク制御チャネルＰＵＣＣＨおよび／または物理上りリンク共用チャネルＰＵＳＣＨを復調するために使用する復調参照信号（Demodulation Reference Signal; DMRS）と、基地局装置１が、主に、上りリンクのチャネル状態を推定するために使用するサウンディング参照信号（Sounding Reference Signal; SRS）が含まれる。また、サウンディング参照信号には、上位層によって周期的に送信するように設定される周期的サウンディング参照信号（P-SRS: Periodic SRS）と、下りリンク制御情報（ＤＣＩ）フォーマットに含まれるＳＲＳリクエストによって送信が要求される非周期的サウンディング参照信号（A-SRS: Aperiodic SRS）とがある。上りリンク参照信号は、上りリンクパイロット信号、上りリンクパイロットチャネルと呼称する場合もある。
【００７０】
なお、これらの上りリンク参照信号の系列は、擬似ランダム系列に基づいて生成されてもよい。また、これらの上りリンク参照信号の系列は、Ｚａｄｏｆｆ−Ｃｈｕ系列に基づいて生成されてもよい。また、これらの上りリンク参照信号の系列は、ゴールド系列に基づいて生成されてもよい。また、これらの上りリンク参照信号の系列は、擬似ランダム系列やＺａｄｏｆｆ−Ｃｈｕ系列、ゴールド系列の亜種・変形であってもよい。
【００７１】
また、周期的サウンディング参照信号をピリオディックサウンディング参照信号、トリガータイプ０サウンディング参照信号（Trigger Type 0 SRS）と呼称する場合もある。また、非周期的サウンディング参照信号をアピリオディックサウンディング参照信号、トリガータイプ１サウンディング参照信号（Trigger Type 1 SRS）と呼称する場合もある。
【００７２】
さらに、Ａ−ＳＲＳは、協調通信において、上りリンクのチャネル推定用に特化した信号（例えば、トリガータイプ１ａＳＲＳと呼称される場合もある）と、下りリンクのチャネル状態（ＣＳＩ，ＣＱＩ，ＰＭＩ，ＲＩ）を基地局装置１において、測定させるために使用される信号（例えば、トリガータイプ１ｂＳＲＳと呼称される場合もある）とに分けられてもよい。なお、ＤＭＲＳは、ＰＵＳＣＨとＰＵＣＣＨそれぞれに対応して、セットされる。また、ＤＭＲＳは、ＰＵＳＣＨまたはＰＵＣＣＨと同じサブフレームで時間多重されて、送信される。
【００７３】
また、ＤＭＲＳは、ＰＵＳＣＨに対する場合とＰＵＣＣＨに対する場合で、時間多重方法が異なってもよい。例えば、ＰＵＳＣＨに対するＤＭＲＳは、７シンボルで構成される１スロット内に１シンボルだけ配置されるのに対して、ＰＵＣＣＨに対するＤＭＲＳは、７シンボルで構成される１スロット内に３シンボル配置される。また、ＰＵＣＣＨに対するＤＭＲＳの配置に用いられるシンボル数は、１スロット内に含まれるシンボル数に応じて、異なってもよい。すなわち、１スロットが７シンボルで構成される場合と６シンボルで構成される場合で、ＰＵＣＣＨに対するＤＭＲＳを配置するために用いられるシンボル数は異なってもよい。
【００７４】
また、ＳＲＳは、上位層シグナリングによって種々のパラメータ（帯域幅、サイクリックシフト、送信サブフレームなど）が通知される。また、ＳＲＳは、上位層シグナリング（higher layer signaling）によって通知されるＳＲＳの設定に含まれる送信サブフレームに関する情報に基づいて、ＳＲＳを送信するサブフレームが決定される。送信サブフレームに関する情報には、セル固有に設定される情報（共有情報）と端末装置固有に設定される情報（専用情報、個別情報）とがある。セル固有に設定される情報には、セル内のすべての端末装置２が共有するＳＲＳが送信されるサブフレームを示す情報が含まれる。また、端末装置固有に設定される情報には、セル固有に設定されるサブフレームのサブセットとなるサブフレームオフセットと周期（periodicity）を示す情報が含まれる。これらの情報によって、端末装置２は、ＳＲＳを送信することができるサブフレーム（ＳＲＳサブフレーム、ＳＲＳ送信サブフレームと呼称する場合もある）を決定することができる。また、端末装置２は、セル固有に設定されたＳＲＳが送信されるサブフレームにおいて、ＰＵＳＣＨを送信する場合、ＳＲＳが送信されるシンボル分だけＰＵＳＣＨの時間リソースをパンクチャし、該時間リソースでＰＵＳＣＨを送信することができる。このことにより、端末装置２間のＰＵＳＣＨの送信とＳＲＳの送信の衝突を回避することができる。ＰＵＳＣＨを送信する端末装置２に対しては、特性劣化を防ぐことができる。また、ＳＲＳを送信する端末装置２に対しては、チャネル推定精度を確保することができる。ここで、端末装置固有に設定される情報は、Ｐ−ＳＲＳとＡ−ＳＲＳとで独立に設定されてもよい。
【００７５】
例えば、第１の上りリンク参照信号は、上位層シグナリングによって種々のパラメータが設定された場合に、設定された送信サブフレームに基づいて周期的に送信される。また、第２の上りリンク参照信号は、下りリンク制御情報フォーマットに含まれる第２の上りリンク参照信号の送信要求に関するフィールド（ＳＲＳリクエスト）によって、送信要求が指示される場合に、非周期的に送信される。端末装置２は、ある下りリンク制御情報フォーマットに含まれるＳＲＳリクエストがポジティブまたはポジティブに相当するインデックス（値）を示している場合、所定の送信サブフレームでＡ−ＳＲＳを送信する。また、端末装置２は、検出したＳＲＳリクエストがネガティブまたはネガティブに相当するインデックス（値）を示す場合、所定のサブフレームでＡ−ＳＲＳを送信しない。なお、セル固有に設定される情報（共有パラメータ、共有情報）は、システムインフォメーションまたは専用制御チャネル（DCCH: Dedicated Control Channel）を用いて通知される。また、端末装置固有に設定される情報（専用パラメータ、個別パラメータ、専用情報、個別情報）は、共有制御チャネル（CCCH: Common Control Channel）を用いて通知される。これらの情報は、ＲＲＣメッセージで通知されてもよい。ＲＲＣメッセージは、上位層によって通知されてもよい。
【００７６】
物理ランダムアクセスチャネル（Physical Random Access Channel; PRACH）は、プリアンブル系列を通知するために使用されるチャネルであり、ガードタイムを有する。プリアンブル系列は、６４種類のシーケンスを用意して６ビットの情報を表現するように構成されている。物理ランダムアクセスチャネルは、端末装置２の基地局装置１へのアクセス手段として用いられる。端末装置２は、ＰＵＣＣＨ未設定時の無線リソース要求や、上りリンク送信タイミングを基地局装置１の受信タイミングウィンドウに合わせるために必要な送信タイミング調整情報を基地局装置１に要求するためにＰＲＡＣＨを用いる。なお、送信タイミング調整情報は、タイミングアドバンス（Timing Advance; TA）と呼称される場合もある。
【００７７】
具体的には、端末装置２は、基地局装置１より設定されたＰＲＡＣＨ用の無線リソースを用いてプリアンブル系列を送信する。送信タイミング調整情報を受信した端末装置２は、報知情報によって共通的に設定される（またはレイヤー３メッセージで個別に設定される）送信タイミング調整情報の有効時間を計時する送信タイミングタイマーを設定し、送信タイミングタイマーの有効時間中（計時中）は送信タイミング調整状態、有効期間外（停止中）は送信タイミング非調整状態（送信タイミング未調整状態）として上りリンクの状態を管理する。レイヤー３メッセージは、端末装置２と基地局装置１の無線リソース制御（RRC: Radio Resource Control）層でやり取りされる制御平面（C-plane: Control-plane）のメッセージであり、ＲＲＣシグナリングまたはＲＲＣメッセージと同義の意味で使用される。また、ＲＲＣシグナリングは、上位層シグナリングや専用シグナリング（Dedicated signaling）と呼称される場合もある。専用シグナリングは、個別シグナリングと呼称される場合もある。
【００７８】
ランダムアクセスプロシージャには、コンテンションベースのランダムアクセスプロシージャ（Contention based Random Access procedure）とノンコンテンションベースのランダムアクセスプロシージャ（Non-contention based Random Access procedure）の２つのランダムアクセスプロシージャが含まれる。コンテンションベースのランダムアクセスプロシージャは、複数の端末装置２間で衝突が発生する可能性のあるランダムアクセスである。
【００７９】
また、ノンコンテンションベースのランダムアクセスプロシージャは、複数の端末装置２間で衝突が発生しないランダムアクセスである。例えば、ノンコンテンションベースのランダムアクセスプロシージャにおいて、基地局装置１は、衝突が発生しないように、ランダムアクセスプリアンブルを端末装置２に対して割り当てることができる。
【００８０】
ノンコンテンションベースのランダムアクセスプロシージャは、３ステップから成り、下りリンクの専用シグナリング（Dedicated signaling）によって、ランダムアクセスプリアンブルアサインメント（Random Access Preamble assignment）が基地局装置１から端末装置２に通知される。その際、ランダムアクセスプリアンブルアサインメントは、基地局装置１が端末装置２に対してノンコンテンション用のランダムアクセスプリアンブルを割り当て、ハンドオーバに対するソース基地局装置によって送信され、ターゲット基地局装置によって生成されたハンドオーバコマンドまたは下りリンクデータアライバルの場合ＰＤＣＣＨによってシグナルされる。
【００８１】
そのランダムアクセスプリアンブルアサインメントを受信した端末装置２は、上りリンクにおいてＲＡＣＨでランダムアクセスプリアンブル（メッセージ１）を送信する。その際、端末装置２は、割り当てられたノンコンテンション用のランダムアクセスプリアンブルを送信する。
【００８２】
ランダムアクセスプリアンブルを受信した基地局装置１は、下りリンクデータ（DL-SCH: Downlink Shared Channel）でランダムアクセスレスポンスを端末装置２へ送信する。その際、メッセージ１で準同期し、ＨＡＲＱは含まない、ＰＤＣＣＨでＲＡ−ＲＮＴＩへアドレスされ、少なくともハンドオーバに対する最初の上りリンクグラントとタイミング調整情報（Timing Alignment information）、下りリンクデータアライバルに対するタイミング調整情報、ランダムアクセスプリアンブル識別子、１つのＤＬ−ＳＣＨメッセージで１つ以上の端末装置２向けに伝送する。下りリンクデータは下りリンク共用チャネルデータと呼称される場合もある。
【００８３】
ここで、ノンコンテンションベースのランダムアクセスプロシージャは、ハンドオーバ、下りリンクデータアライバル、ポジショニングに対して適用される。コンテンションベースのランダムアクセスプロシージャは、ＲＲＣ_ＩＤＬＥからの初期アクセス、ＲＲＣコネクションの再確立、ハンドオーバ、下りリンクデータアライバル、上りリンクデータアライバルに対して適用される。
【００８４】
次に、コンテンションベースのランダムアクセスプロシージャの例を説明する。
【００８５】
端末装置２は、基地局装置１によって送信されたシステムインフォメーションブロックタイプ２（ＳＩＢ２）を取得する。ＳＩＢ２は、セル内における全ての端末装置２（または、複数の端末装置２）に対して共通の設定（共通の情報）である。例えば、該共通の設定には、ＰＲＡＣＨの設定が含まれる。
【００８６】
端末装置２は、ランダムアクセスプリアンブルの番号をランダムに選択する。また、端末装置２は、選択した番号のランダムアクセスプリアンブル（メッセージ１）を、ＰＲＡＣＨを用いて基地局装置１に送信する。基地局装置１は、ランダムアクセスプリアンブルを用いて上りリンクの送信タイミングを推定する。
【００８７】
基地局装置１は、ＰＤＳＣＨを用いてランダムアクセスレスポンス（ＤＬ−ＳＣＨ、メッセージ２）を送信する。ランダムアクセスレスポンスには、基地局装置１によって検出されたランダムアクセスプリアンブルに対する複数の情報が含まれる。例えば、該複数の情報には、ランダムアクセスプリアンブルの番号、Ｔｅｍｐｏｒａｒｙ  Ｃ−ＲＮＴＩ、ＴＡコマンド（Timing Advance Command）、および、ランダムアクセスレスポンスグラントが含まれる。
【００８８】
端末装置２は、ランダムアクセスレスポンスグラントを用いてスケジューリングされたＰＵＳＣＨで、上りリンクデータ（ＵＬ−ＳＣＨ、メッセージ３）を送信（初期送信）する。該上りリンクデータには、端末装置２を識別するための識別子（InitialUE-IdentityまたはC-RNTIを示す情報）が含まれる。上りリンクデータは、上りリンク共用チャネルデータと呼称される場合もある。
【００８９】
基地局装置１は、上りリンクデータの復号に失敗した場合、Ｔｅｍｐｏｒａｒｙ  Ｃ−ＲＮＴＩによってスクランブルされたＣＲＣパリティビットが付加されたＤＣＩフォーマットを用いて、上りリンクデータの再送信を指示する。端末装置２は、該ＤＣＩフォーマットによって上りリンクデータの再送信を指示された場合、Ｔｅｍｐｏｒａｒｙ  Ｃ−ＲＮＴＩによってスクランブルされたＣＲＣパリティビットが付加されたＤＣＩフォーマットを用いてスケジュールされたＰＵＳＣＨで、同一の上りリンクデータを再送信する。
【００９０】
また、基地局装置１は、上りリンクデータの復号に失敗した場合、ＰＨＩＣＨ（ＮＡＣＫ）を用いて、上りリンクデータの再送信を指示することができる。端末装置２は、該ＮＡＣＫによって上りリンクデータの再送信を指示された場合、ＰＵＳＣＨで、同一の上りリンクデータを再送信する。
【００９１】
基地局装置１は、上りリンクデータの復号に成功し、上りリンクデータを取得することによって、何れの端末装置２がランダムアクセスプリアンブルおよび上りリンクデータの送信を行なっていたかを知ることができる。すなわち、基地局装置１は、上りリンクデータの復号に成功する前は、何れの端末装置２がランダムアクセスプリアンブルおよび上りリンクデータの送信を行なっているかを知ることはできない。
【００９２】
基地局装置１は、InitialUE-Identityを含むメッセージ３を受信した場合、受信したInitialUE-Identityに基づいて生成したコンテンションレゾリューション識別子（contention resolution identity）（メッセージ４）を、ＰＤＳＣＨを用いて端末装置２に送信する。端末装置２は、受信したコンテンションレゾリューション識別子と、送信したInitialUE-Identityがマッチした場合に、（１）ランダムアクセスプリアンブルのコンテンションレゾリューションに成功したとみなし、（２）Ｔｅｍｐｏｒａｒｙ  Ｃ−ＲＮＴＩの値をＣ−ＲＮＴＩにセットし、（３）Ｔｅｍｐｏｒａｒｙ  Ｃ−ＲＮＴＩを破棄し、（４）ランダムアクセスプロシージャが正しく完了したとみなす。
【００９３】
また、基地局装置１は、Ｃ−ＲＮＴＩを示す情報を含むメッセージ３を受信した場合、受信したＣ−ＲＮＴＩによってスクランブルされたＣＲＣパリティビットが付加されたＤＣＩフォーマット（メッセージ４）を、端末装置２に送信する。端末装置２は、Ｃ−ＲＮＴＩによってスクランブルされたＣＲＣパリティビットが付加されたＤＣＩフォーマットをデコードした場合に、（１）ランダムアクセスプリアンブルのコンテンションレゾリューションに成功したとみなし、（２）Ｔｅｍｐｏｒａｒｙ  Ｃ−ＲＮＴＩを破棄し、（３）ランダムアクセスプロシージャが正しく完了したとみなす。
【００９４】
すなわち、基地局装置１は、コンテンションベースのランダムアクセスプロシージャの一環として（as part of contention based random access procedure）、ランダムアクセスレスポンスグラントを用いて、ＰＵＳＣＨをスケジュールする。
【００９５】
端末装置２は、ランダムアクセスレスポンスグラントを用いてスケジュールされたＰＵＳＣＨで、上りリンクデータ（メッセージ３）を送信する。すなわち、端末装置２は、コンテンションベースのランダムアクセスプロシージャの一環として、ランダムアクセスレスポンスグラントに対応するＰＵＳＣＨでの送信を行なう。
【００９６】
また、基地局装置１は、コンテンションベースのランダムアクセスプロシージャの一環として、Ｔｅｍｐｏｒａｒｙ  Ｃ−ＲＮＴＩによってスクランブルされたＣＲＣが付加されたＤＣＩフォーマットを用いて、ＰＵＳＣＨをスケジュールする。また、基地局装置１は、コンテンションベースのランダムアクセスプロシージャの一環として、ＰＨＩＣＨ（ＮＡＣＫ）を用いて、ＰＵＳＣＨでの送信をスケジュール／指示する。
【００９７】
端末装置２は、Ｔｅｍｐｏｒａｒｙ  Ｃ−ＲＮＴＩによってスクランブルされたＣＲＣが付加されたＤＣＩフォーマットを用いてスケジュールされたＰＵＳＣＨで、上りリンクデータ（メッセージ３）を送信（再送信）する。また、端末装置２は、ＰＨＩＣＨの受信に応じて、スケジュールされたＰＵＳＣＨで、上りリンクデータ（メッセージ３）を送信（再送信）する。すなわち、端末装置２は、コンテンションベースのランダムアクセスプロシージャの一環として、同一の上りリンクデータ（トランスポートブロック）の再送信に対応するＰＵＳＣＨでの送信を行なう。
【００９８】
ＴＤＤ方式において、基地局装置１は、スペシャルサブフレームのＤｗＰＴＳにおいて、ＰＣＦＩＣＨ、ＰＨＩＣＨ、ＰＤＣＣＨ、ＥＰＤＣＣＨ、ＰＤＳＣＨ、同期信号、および、下りリンク参照信号を送信してもよい。また、基地局装置１は、スペシャルサブフレームのＤｗＰＴＳにおいて、ＰＢＣＨを送信しなくてもよい。
【００９９】
また、ＴＤＤ方式において、端末装置２は、スペシャルサブフレームのＵｐＰＴＳにおいて、ＰＲＡＣＨ、およびＳＲＳを送信してもよい。また、端末装置２は、スペシャルサブフレームのＵｐＰＴＳにおいて、ＰＵＣＣＨ、ＰＵＳＣＨ、およびＤＭＲＳを送信しなくてもよい。
【０１００】
また、ＴＤＤ方式において、端末装置２は、スペシャルサブフレームがＧＰおよびＵｐＰＴＳのみによって構成されている場合には、スペシャルサブフレームのＵｐＰＴＳにおいて、ＰＵＣＣＨおよび／またはＰＵＳＣＨおよび／またはＤＭＲＳを送信してもよい。
【０１０１】
以下、論理チャネルについて説明する。
【０１０２】
論理チャネルは、ＲＲＣメッセージや情報要素を伝送するために用いられる。また、論理チャネルは、トランスポートチャネルを介して、物理チャネルで送信される。
【０１０３】
報知制御チャネル（BCCH: Broadcast Control Channel）は、システム制御情報を報知するために用いられる下りリンクチャネルである。例えば、システム情報や初期アクセスに必要な情報は、このチャネルを用いて送信される。ＭＩＢ（Master Information Block）やＳＩＢ１（System Information Block Type 1）は、このチャネルを用いて伝送される。
【０１０４】
共有制御チャネル（CCCH: Common Control Channel）は、ネットワークとＲＲＣコネクションを持たない端末装置とネットワーク間で制御情報を送信するために用いられるチャネルである。例えば、端末固有の制御情報や設定情報は、このチャネルを用いて送信される。
【０１０５】
専用制御チャネル（DCCH: Dedicated Control Channel）は、ＲＲＣコネクションを持つ端末装置とネットワーク間を双方向で専用制御情報を送信するために用いられるチャネルである。例えば、セル固有の再設定情報は、このチャネルを用いて送信される。
【０１０６】
ＣＣＣＨやＤＣＣＨを用いるシグナリングをＲＲＣシグナリング（上位層シグナリング）と総称する場合もある。
【０１０７】
上りリンク電力制御に関する情報（情報要素、パラメータ、設定）は、報知情報として設定される情報と、同じセル内の端末装置２間で共有される情報（共有情報）として（再）設定される情報と、端末装置固有の専用情報として（再）設定される情報と、がある。端末装置２は、報知情報として設定される情報のみ、または、報知情報／共有情報として設定される情報と、専用情報として設定される情報に基づいて送信電力制御を行なう。
【０１０８】
無線リソース制御設定共有情報は、報知情報（またはシステム情報）として通知されてもよい。また、無線リソース制御設定共有情報は、専用情報（モビリティ制御情報）として通知されてもよい。
【０１０９】
無線リソース設定には、ランダムアクセスチャネル（ＲＡＣＨ）設定、報知制御チャネル（ＢＣＣＨ）設定、ページング制御チャネル（ＰＣＣＨ）設定、物理ランダムアクセスチャネル（ＰＲＡＣＨ）設定、物理下りリンク共用チャネル（ＰＤＳＣＨ）設定、物理上りリンク共用チャネル（ＰＵＳＣＨ）設定、物理上りリンク制御チャネル（ＰＵＣＣＨ）設定、サウンディング参照信号（ＳＲＳ）設定、上りリンク電力制御、上りリンクサイクリックプレフィックス長などが含まれる。報知情報として通知される場合と再設定情報として設定される場合で、通知する情報は同じでなくてもよい。つまり、報知情報と再設定情報にセットされる種々の設定は独立にセットされてもよい。
【０１１０】
種々の物理チャネル／物理信号（ＰＲＡＣＨ，ＰＵＣＣＨ，ＰＵＳＣＨ、ＳＲＳ，ＵＬ  ＤＭＲＳ、ＣＲＳ，ＣＳＩ−ＲＳ、ＰＤＣＣＨ、ＰＤＳＣＨ、ＰＳＳ／ＳＳＳ,ＤＬ  ＤＭＲＳ，ＰＢＣＨ，ＰＭＣＨなど）を設定するために必要な情報要素は、同一セル内の端末装置２間で共有する共有設定情報と、端末装置２毎に設定される専用設定情報で構成される。共有設定情報は、システムインフォメーションで送信されてもよい。また、共有設定情報は、再設定を行なう場合には、専用情報として送信されてもよい。これら設定情報は、パラメータの設定を含む。パラメータの設定とは、パラメータの値の設定を含む。また、パラメータの設定とは、パラメータがテーブル管理されている場合、インデックスの値を含む。
【０１１１】
上記物理チャネルのパラメータに関する情報は、ＲＲＣメッセージを用いて端末装置２へ送信される。つまり、端末装置２は、受信したＲＲＣメッセージに基づいて、各物理チャネルのリソース割り当てや送信電力を設定する。ＲＲＣメッセージには、報知チャネルに関するメッセージ、マルチキャストチャネルに関するメッセージ、ページングチャネルに関するメッセージ、下りリンクの各チャネルに関するメッセージ、上りリンクの各チャネルに関するメッセージなどがある。各ＲＲＣメッセージは、情報要素（IE: Information element）を含んで構成されてもよい。また、情報要素は、パラメータに相当する情報が設定されてもよい。なお、ＲＲＣメッセージは、メッセージと呼称される場合もある。また、メッセージクラスは、１つ以上のメッセージのセットである。メッセージには、情報要素が含まれてもよい。情報要素には、無線リソース制御に関する情報要素、セキュリティ制御に関する情報要素、モビリティ制御に関する情報要素、測定に関する情報要素、マルチメディアブロードキャストマルチキャストサービス（MBMS: Multimedia Broadcast Multicast Service）に関する情報要素などがある。また、情報要素には、下位の情報要素が含まれてもよい。情報要素は、パラメータとして設定されてもよい。また、情報要素は、１つ以上のパラメータを示す制御情報として定義されてもよい。
【０１１２】
情報要素（IE: Information Element）は、システムインフォメーション（SI: System Information）または専用シグナリング（Dedicated signaling）で種々のチャネル／信号／情報に対するパラメータを規定（指定、設定）するために使われる。また、ある情報要素は、１つ以上のフィールドを含む。情報要素は、１つ以上の情報要素で構成されてもよい。なお、情報要素に含まれるフィールドをパラメータと呼称する場合もある。つまり、情報要素は、１種類（１つ）以上のパラメータを含んでもよい。また、端末装置２は、種々のパラメータに基づいて無線リソース割り当て制御や上りリンク電力制御、送信制御等を行なう。また、システムインフォメーションは情報要素として定義されてもよい。
【０１１３】
情報要素を構成するフィールドには、情報要素が設定されてもよい。また、情報要素を構成するフィールドには、パラメータが設定されてもよい。
【０１１４】
ＲＲＣメッセージは、１つ以上の情報要素を含む。また、複数のＲＲＣメッセージがセットされたＲＲＣメッセージをメッセージクラスと呼称する。
【０１１５】
システムインフォメーションを用いて端末装置２に通知される上りリンク電力制御に関するパラメータには、ＰＵＳＣＨに対する標準電力（標準レベル、標準電力レベル、基準電力、基準レベル、基準電力レベル、公称電力、公称レベル、公称電力レベル）、ＰＵＣＣＨに対する標準電力、伝搬路損失補償係数αｃ、ＰＵＣＣＨフォーマット毎に設定される電力オフセットのリスト、プリアンブルとメッセージ３の電力オフセットがある。また、システムインフォメーションを用いて端末装置２に通知されるランダムアクセスチャネルに関するパラメータには、プリアンブルに関するパラメータ、ランダムアクセスチャネルの送信電力制御に係るパラメータ、ランダムアクセスプリアンブルの送信制御に係るパラメータがある。これらのパラメータは、初期アクセス時または無線リンク障害（RLF: Radio Link Failure）発生後の再接続時に使用される。また、システムインフォメーションを用いて端末装置２に通知される下りリンク電力制御に関するパラメータには、セル固有参照信号の送信電力（referenceSignalPower）、セル固有参照信号が存在するサブフレームにおける物理下りリンク共用チャネルとセル固有参照信号との送信電力の電力比を表すインデックスＰＢ（p-b）がある。
【０１１６】
送信電力制御（上りリンク電力制御、ランダムアクセスチャネル、下りリンク電力制御）に関する情報は、報知情報として端末装置２に通知されてもよい。また、共有情報として端末装置２に通知されてもよい。また、専用情報として端末装置２に通知されてもよい。また、システムインフォメーションとして端末装置２に通知されてもよい。
【０１１７】
本発明の実施形態における通信システムには、基地局装置１（以下、アクセスポイント、ポイント、送信ポイント、受信ポイント、セル、サービングセル、送信装置、受信装置、送信局、受信局、送信アンテナ群、送信アンテナポート群、受信アンテナ群、受信アンテナポート群、通信装置、通信端末、ｅＮｏｄｅＢとも呼称される）が含まれる。また、基地局装置１として、マスター基地局装置（マクロ基地局装置、第１の基地局装置、第１の通信装置、サービング基地局装置、プライマリー基地局装置、アンカー基地局装置、第１のアクセスポイント、第１のポイント、第１の送信ポイント、第１の受信ポイント、マクロセル、第１のセル、プライマリーセルとも呼称される）が含まれてもよい。
【０１１８】
さらに、本発明の実施形態に係わる通信システムには、セカンダリー基地局装置（ＲＲＨ（Remote Radio Head）、リモートアンテナ、張り出しアンテナ、分散アンテナ、第２のアクセスポイント、第２のポイント、第２の送信ポイント、第２の受信ポイント、参照点、小電力基地局装置（LPN: Low Power Node）、マイクロ基地局装置、ピコ基地局装置、フェムト基地局装置、スモール基地局装置、ローカルエリア基地局装置、ファントム基地局装置、家庭（屋内）向け基地局装置（Home eNodeB, Home NodeB, HeNB, HNB）、第２の基地局装置、第２の通信装置、協調基地局装置群、協調基地局装置セット、協調基地局装置、ホットスポット、マイクロセル、ピコセル、フェムトセル、スモールセル、ファントムセル、ローカルエリア、第２のセル、セカンダリーセルとも呼称される）が含まれてもよい。ここで、セカンダリー基地局装置は、複数のセカンダリー基地局装置として示されてもよい。例えば、マスター基地局装置とセカンダリー基地局装置は、ヘテロジーニアスネットワーク配置を利用して、セカンダリー基地局装置のカバレッジの一部または全てが、マスター基地局装置のカバレッジに含まれ、端末装置２と通信が行なわれてもよい。また、セカンダリー基地局装置は、マスター基地局装置のカバレッジの外に配置されてもよい。
【０１１９】
また、本発明の実施形態に係る通信システムには、端末装置２（以下、移動局、移動局装置、移動端末、受信装置、送信装置、受信端末、送信端末、第３の通信装置、受信アンテナ群、受信アンテナポート群、送信アンテナ群、送信アンテナポート群、ユーザ装置、ユーザ端末（UE: User Equipment）とも呼称される）が含まれる。
【０１２０】
また、本発明の実施形態に係る通信システムには、基地局装置１と端末装置２とが含まれる。
【０１２１】
また、単一の基地局装置１は、１つ以上の端末装置２を管理してもよい。また、単一の基地局装置１は、１つ以上のセル（サービングセル、プライマリーセル、セカンダリーセル、マクロセル、フェムトセル、ピコセル、スモールセル、ファントムセル）を管理してもよい。つまり、単一の基地局装置１は、マクロセルおよびスモールセルを管理してもよい。また、単一の基地局装置１は、１つ以上の周波数帯域（コンポーネントキャリア、キャリア周波数）を管理してもよい。また、単一の基地局装置１は、１つ以上の小電力基地局装置（LPN: Low Power Node）を管理してもよい。また、単一の基地局装置１は、１つ以上の家庭（屋内）向け基地局装置（HeNB: Home eNodeB）を管理してもよい。また、単一の基地局装置１は、１つ以上のアクセスポイントを管理してもよい。基地局装置１間は、有線（光ファイバ、銅線、同軸ケーブルなど）または無線（Ｘ２インタフェース、Ｘ３インタフェース、Ｘｎインタフェースなど）で接続されてもよい。また、複数の基地局装置１は、ネットワークで管理されてもよい。また、単一の基地局装置１は、１つ以上の中継局装置（Relay）を管理してもよい。また、複数の基地局装置１でネットワークを構築してもよい。また、複数の基地局装置１はクラスタ化されてもよい。
【０１２２】
また、本発明の実施形態に係る通信システムは、複数の基地局装置および／または小電力基地局装置および／または家庭用基地局装置で協調通信（CoMP: Coordination Multiple Points）を実現してもよい。つまり、本発明の実施形態に係る通信システムは、ダイナミックに端末装置２と接続しているポイント（基地局装置、セル）を切り替えるダイナミックポイントセレクション（DPS: Dynamic Point Selection）を行なってもよい。
【０１２３】
また、本発明の実施形態に係る通信システムは、協調スケジューリング（CS: Coordinated Scheduling）や協調ビームフォーミング（CB: Coordinated Beamforming）を行なってもよい。また、本発明の実施形態に係る通信システムは、ジョイント送信（JT: Joint Transmission）やジョイント受信（JR: Joint Reception）を行なってもよい。
【０１２４】
また、近くに配置された複数の小電力基地局装置またはスモールセルは、クラスタリング（クラスタ化、グループ化）されてもよい。クラスタリングされた複数の小電力基地局装置は、同じ設定情報を通知してもよい。また、クラスタ化されたスモールセルの領域（カバレッジ）をローカルエリアと呼称する場合もある。
【０１２５】
下りリンク送信において、基地局装置１は、送信点（TP: Transmission Point）と呼称される場合もある。また、上りリンク送信において、基地局装置１は、受信点（RP: Reception Point）と呼称される場合もある。また、下りリンク送信点および上りリンク受信点は、下りリンクパスロス測定用のパスロス参照点（Pathloss Reference Point, Reference Point）になりうる。また、パスロス測定用の参照点は、送信点や受信点とは独立に設定されてもよい。
【０１２６】
また、スモールセルやファントムセル、ローカルエリアセルは、第３のセルとして設定されてもよい。また、スモールセルやファントムセル、ローカルエリアセルは、プライマリーセルとして再設定されてもよい。また、スモールセルやファントムセル、ローカルエリアセルは、セカンダリーセルとして再設定されてもよい。スモールセルやファントムセル、ローカルエリアセルは、サービングセルとして再設定されてもよい。また、スモールセルやファントムセル、ローカルエリアセルはサービングセルに含まれてもよい。
【０１２７】
スモールセルが構成可能な基地局装置１は必要に応じて、間欠受信（DRX: Discrete Reception）や間欠送信（DTX: Discrete Transmission）を行なってもよい。また、スモールセルが構成可能な基地局装置１は、断続的に、電源のオン／オフを行なってもよい。
【０１２８】
マクロセルを構成する基地局装置１とスモールセルを構成する基地局装置１とは、独立な識別子（ID: Identity, Identifier）が設定される場合がある。つまり、マクロセルとスモールセルの識別子は、独立に設定される場合がある。例えば、セル固有参照信号（CRS: Cell specific Reference Signal）がマクロセルおよびスモールセルから送信される場合、送信周波数および無線リソースが同じであっても、異なる識別子でスクランブルされる場合もある。マクロセルでは物理セルＩＤ（PCI: Physical Cell layer Identity）でスクランブルされ、スモールセルでは仮想セルＩＤ（VCI: Virtual Cell Identity）でスクランブルされてもよい。マクロセルでは物理セルＩＤ（PCI: Physical Cell layer Identity）でスクランブルされ、スモールセルではグローバルセルＩＤ（GCI: Global Cell Identity）でスクランブルされてもよい。マクロセルでは第１の物理セルＩＤでスクランブルされ、スモールセルでは第２の物理セルＩＤでスクランブルされてもよい。マクロセルでは第１の仮想セルＩＤでスクランブルされ、スモールセルでは第２の仮想セルＩＤでスクランブルされてもよい。また、仮想セルＩＤは、物理セルＩＤとは独立に設定される。また、仮想セルＩＤには、物理チャネルＩＤや参照信号ＩＤが含まれてもよい。仮想セルＩＤは、物理セルＩＤとは独立に物理チャネルや物理信号に設定されるＩＤであってもよい。
【０１２９】
また、スモールセルまたはスモールセルとして設定されたサービングセルまたはスモールセルに対応するコンポーネントキャリアでは、一部の物理チャネル／物理信号が送信されなくてもよい。例えば、ＣＲＳやＰＤＣＣＨが送信されなくてもよい。ただし、スモールセルにおいて、ＥＰＤＣＣＨは送信されてもよい。また、スモールセルまたはスモールセルとして設定されたサービングセルまたはスモールセルに対応するコンポーネントキャリアでは、新しい物理チャネル／物理信号が送信されてもよい。
【０１３０】
本発明の実施形態では、ダイナミックＴＤＤを行なうことによって、ＣＳＩ報告を行なうＰＵＣＣＨが送信可能なサブフレームが制限され、複数のＣＳＩ報告を行なうＰＵＣＣＨの衝突が生じる場合の処理手順を示す。
【０１３１】
また、本発明の実施形態では、特定の条件を満たすことによって、ＴＤＤ方式が適用された１つのサービングセル（セル）に対して、複数のサブフレームセットが設定され、複数のサブフレームセットそれぞれに対するＣＳＩ報告を行なうサブフレームが同じであった場合の処理手順を示す。
【０１３２】
図４は、本発明の実施形態に係る端末装置２における処理１の手順を示すフローチャートである。端末装置２は、特定の条件を満たした場合、１つのサービングセルに対して、複数のサブフレームセットが設定されているか否かを判定する（ステップＳ４０１）。１つのサービングセルに対して、複数のサブフレームセットが設定される場合（Ｓ４０１：ＹＥＳ）、処理２へ移行する。１つのサービングセルに対して、複数のサブフレームセットが設定されない場合（Ｓ４０１：ＮＯ）、処理３へ移行する。
【０１３３】
以下、処理２の例を示す。
【０１３４】
端末装置２は、ＴＤＤ方式が適用された１つのサービングセルに対して、複数のサブフレームセットが設定される場合、あるサブフレームにおいて、複数のサブフレームセットそれぞれに対するＣＳＩ報告が生じるとすれば、特定のサブフレームセットに対するＣＳＩ報告を優先する。すなわち、特定のサブフレームセット以外のサブフレームセットに対するＣＳＩ報告をドロップする。この場合、基地局装置１は、そのサブフレームにおいて、特定のサブフレームセット以外のサブフレームセットに対するＣＳＩ報告が行なわれることを期待しない。そのため、基地局装置１は、そのサブフレームにおいて、特定のサブフレームセット以外のサブフレームセットに対するＣＳＩ報告に対する受信処理を行なわなくてもよい。言い換えると、基地局装置１は、そのサブフレームにおいて、特定のサブフレームセット以外のサブフレームセットに対するＣＳＩ報告のＰＵＣＣＨに対する受信処理を行なわなくてもよい。基地局装置１は、特定のサブフレームセットに対するＣＳＩ報告を行なうＰＵＣＣＨに対して受信処理を行ない、特定のサブフレームセットに対するＣＳＩ報告を検出する。
【０１３５】
端末装置２は、ＴＤＤ方式が適用された１つのサービングセルに対して、複数のサブフレームセットが設定される場合、あるサブフレームにおいて、ＰＵＣＣＨによる複数のサブフレームセットそれぞれに対するＣＳＩ報告（Ｐ−ＣＳＩ報告）とＰＵＳＣＨによるＣＳＩ報告（Ａ−ＣＳＩ報告）が生じるとすれば、端末装置２は、ＰＵＳＣＨによるＣＳＩ報告を優先する。この場合、基地局装置１は、ＰＵＣＣＨでＣＳＩ報告が行なわれることを期待しない。
【０１３６】
端末装置２は、ＴＤＤ方式が適用された１つのサービングセルに対して、複数のサブフレームセットが設定される場合、あるサブフレームにおいて、複数のサブフレームセットそれぞれに対するＣＳＩ報告が生じるとすれば、複数のサブフレームセットそれぞれに対するＣＳＩ報告の優先度が同じであれば、特定のサブフレームセットに対するＣＳＩ報告を優先する。すなわち、特定のサブフレームセット以外のサブフレームセットに対するＣＳＩ報告をドロップする。この場合、基地局装置１は、そのサブフレームにおいて、特定のサブフレームセット以外のサブフレームセットに対するＣＳＩ報告が行なわれることを期待しない。そのため、基地局装置１は、そのサブフレームにおいて、特定のサブフレームセット以外のサブフレームセットに対するＣＳＩ報告に対する受信処理を行なわなくてもよい。言い換えると、基地局装置１は、そのサブフレームにおいて、特定のサブフレームセット以外のサブフレームセットに対するＣＳＩ報告のＰＵＣＣＨに対する受信処理を行なわなくてもよい。基地局装置１は、特定のサブフレームセットに対するＣＳＩ報告を行なうＰＵＣＣＨに対して受信処理を行ない、特定のサブフレームセットに対するＣＳＩ報告を検出する。
【０１３７】
なお、異なるサブフレームセットに対するＣＳＩ報告の優先度は、同じであってもよい。また、異なるサブフレームセットに対するＣＳＩ報告の優先度は、異なってもよい。
【０１３８】
ここで、特定のサブフレームセットとは、複数のサブフレームセットにおいて、同じ種類のサブフレームで構成されるサブフレームのセットであってもよい。例えば、図３を用いて説明すると、サブフレーム０、１、２、５が異なるＴＤＤ  ＵＬ／ＤＬ設定間で同じ種類のサブフレームである。これらのサブフレームで構成されるサブフレームセットを特定のサブフレームセットとしてもよい。
【０１３９】
また、特定のサブフレームセットとは、複数のサブフレームセットにおいて、異なる種類のサブフレームで構成されるサブフレームのセットであってもよい。例えば、図３を用いて説明すると、サブフレーム３、４、６、７、８、９が異なるＴＤＤ  ＵＬ／ＤＬ設定間で異なる種類のサブフレームである。これらのサブフレームで構成されるサブフレームセットを特定のサブフレームセットとしてもよい。
【０１４０】
特定のサブフレームセットとは、固定サブフレームで構成されるサブフレームセットであってもよい。特定のサブフレームセットとは、フレキシブルサブフレームで構成されるサブフレームセットであってもよい。
【０１４１】
また、特定のサブフレームセットとは、報告の優先度が高いサブフレームセットであってもよい。
【０１４２】
端末装置２は、ＴＤＤ方式が適用された１つのサービングセルに対して、複数のサブフレームセットが設定される場合、あるサブフレームにおいて、複数のサブフレームセットそれぞれに対する同じ優先度のＣＳＩ報告が生じるとすれば、優先度の高いＣＳＩ報告を優先する。すなわち、サブフレームセットの種類に因らず、優先度の低いＣＳＩ報告をドロップする。この場合、基地局装置１は、そのサブフレームにおいて、優先度の低いＣＳＩ報告が行なわれることを期待しない。
【０１４３】
端末装置２は、ＴＤＤ方式が適用された１つのサービングセルに対して、複数のサブフレームセットが設定され、端末装置２に同一サブフレームで複数のＰＵＣＣＨの送信を行なう機能がある場合、あるサブフレームにおいて、複数のサブフレームセットそれぞれに対するＣＳＩ報告が生じたとしても、第１のサブフレームセットに対するＣＳＩ報告と第２のサブフレームセットに対するＣＳＩ報告それぞれを異なるＰＵＣＣＨを用いて行なう。つまり、第１のサブフレームセットに対するＣＳＩ報告を行なうＰＵＣＣＨリソースと第２のサブフレームセットに対するＣＳＩ報告を行なうＰＵＣＣＨリソースは、独立に設定されてもよい。また、第１のサブフレームセットに対するＣＳＩ報告を行なうＰＵＣＣＨリソースと第２のサブフレームセットに対するＣＳＩ報告を行なうＰＵＣＣＨリソースは、周波数オフセットが設定されてもよい。また、第１のサブフレームセットに対するＣＳＩ報告を行なうＰＵＣＣＨリソースと第２のサブフレームセットに対するＣＳＩ報告を行なうＰＵＣＣＨリソースは、同一の時間周波数リソースを用いて、符号分割多重（CDM: Code Division Multiplexing）されてもよい。また、この場合、基地局装置１は、そのサブフレームにおいて、複数のＰＵＣＣＨ送信に対する受信処理を行なう。すなわち、基地局装置１は、複数のサブフレームセットに対するＣＳＩ報告に対する受信処理を行なう。
【０１４４】
端末装置２は、ＴＤＤ方式が適用された１つのサービングセルに対して、複数のサブフレームセットが設定され、端末装置２に同一サブフレームで複数のＰＵＣＣＨの送信を行なう機能がある場合、あるサブフレームにおいて、複数のサブフレームセットそれぞれに対するＣＳＩ報告が生じたとしても、各サブフレームセットに対するＣＳＩ報告をそれぞれ異なるＰＵＣＣＨを用いて行なう。この場合、基地局装置１は、そのサブフレームにおいて、複数のＰＵＣＣＨ送信に対する受信処理を行なう。すなわち、基地局装置１は、複数のサブフレームセットに対するＣＳＩ報告に対する受信処理を行なう。
【０１４５】
端末装置２は、ＴＤＤ方式が適用された１つのサービングセルに対して、複数のサブフレームセットが設定され、端末装置２にＰＵＳＣＨとＰＵＣＣＨの同時送信を行なう機能が無い場合、複数のサブフレームセットに対するＣＳＩ報告が同じサブフレームで生じていれば、特定のサブフレームセットに対するＣＳＩ報告を優先する。この場合、基地局装置１は、特定のサブフレームセットに対するＣＳＩ報告を受信する。
【０１４６】
端末装置２は、ＴＤＤ方式が適用された１つのサービングセルに対して、複数のサブフレームセットが設定され、端末装置２にＰＵＳＣＨとＰＵＣＣＨの同時送信を行なう機能が無い場合、複数のサブフレームセットに対するＣＳＩ報告が同じサブフレームで生じれば、同じサブフレームでＰＵＳＣＨを送信可能であれば、ＰＵＳＣＨで送信する。この場合、基地局装置１は、ＰＵＳＣＨから複数のサブフレームセットに対するＣＳＩ報告をそれぞれ検出する。
【０１４７】
端末装置２は、ＴＤＤ方式が適用された１つのサービングセルに対して、複数のサブフレームセットが設定される場合、端末装置２にマルチＣＳＩ報告を行なう機能があれば、あるサブフレームにおいて、複数のサブフレームセットそれぞれに対する同じ優先度のＣＳＩ報告が生じても、ＰＵＣＣＨフォーマット３を用いて、報告することができる。
【０１４８】
端末装置２は、ＴＤＤ方式が適用された１つのサービングセルに対して、複数のサブフレームセットが設定される場合、端末装置２にマルチＣＳＩ報告を行なう機能があり、ＰＵＣＣＨフォーマット３のリソースがあれば、あるサブフレームにおいて、複数のサブフレームセットそれぞれに対する同じ優先度のＣＳＩ報告が生じても、ＰＵＣＣＨフォーマット３を用いて、報告することができる。
【０１４９】
端末装置２は、ＴＤＤ方式が適用された１つのサービングセルに対して、複数のサブフレームセットが設定され、端末装置２にＰＵＳＣＨとＰＵＣＣＨの同時送信を行なう機能がある場合、複数のサブフレームセットに対するＣＳＩ報告が同じサブフレームで生じれば、複数のサブフレームセットに対するＣＳＩ報告をＰＵＳＣＨで送信してもよい。この場合、基地局装置１は、ＰＵＳＣＨから複数のサブフレームセットに対するＣＳＩ報告をそれぞれ検出する。
【０１５０】
端末装置２は、ＴＤＤ方式が適用された１つのサービングセルに対して、複数のサブフレームセットが設定される場合、端末装置２は、複数のサブフレームセットに対するＣＳＩ報告は、常にＰＵＳＣＨで送信してもよい。この場合、基地局装置１は、ある端末装置２に対して複数のサブフレームセットが設定したら、その端末装置２によるＣＳＩ報告は、常にＰＵＳＣＨで行なわれると認識し、受信処理を行なう。その際、基地局装置１は、ＰＵＣＣＨでＣＳＩ報告が行なわれることを期待しない。この場合、ＣＳＩ報告は、ＰＵＳＣＨ送信が生じるまで行なわれない。
【０１５１】
端末装置２は、ＴＤＤ方式が適用された１つのサービングセルに対して、複数のサブフレームセットが設定される場合、あるサブフレームにおいて、複数のサブフレームセットそれぞれに対するＣＳＩ報告が生じるとすれば、ＰＵＣＣＨフォーマット３を用いて、各ＣＳＩ報告を同じサブフレームで行なう。すなわち、端末装置２は、ＰＵＣＣＨフォーマット３に、第１のサブフレームセットに対するＣＳＩ報告と第２のサブフレームセットに対するＣＳＩ報告を含めて、送信する。その際、基地局装置１は、ＰＵＣＣＨフォーマット３に対する受信処理を行ない、各サブフレームセットに対するＣＳＩ報告を検出する。この場合、端末装置２は、ＰＵＣＣＨフォーマット３送信を行なう機能をサポートしている。また、この場合、端末装置２は、ＰＵＳＣＨとＰＵＣＣＨの同時送信を行なう機能をサポートしていなくてもよい。
【０１５２】
ＰＵＣＣＨフォーマット３において、ＨＡＲＱとＣＳＩの同時送信をサポートし、あるサブフレームにおいて、複数のサブフレームセットそれぞれに対するＣＳＩ報告が生じるとすれば、端末装置２は、ＰＵＣＣＨフォーマット３を用いて、複数のサブフレームセットそれぞれに対するＣＳＩ報告を送信する。その際、基地局装置１は、ＰＵＣＣＨフォーマット３に対する受信処理を行ない、各サブフレームセットに対するＣＳＩ報告を検出する。
【０１５３】
端末装置２は、ＴＤＤ方式が適用された１つのサービングセルに対して、複数のサブフレームセットが設定され、端末装置２にＰＵＣＣＨフォーマット３でＣＳＩを送信する機能が無い場合、あるサブフレームにおいて、複数のサブフレームセットそれぞれに対するＣＳＩ報告が生じるとすれば、特定のサブフレームセットに対するＣＳＩ報告を優先し、そのＵＣＩをＰＵＣＣＨで送信する。基地局装置１は、受信したＰＵＣＣＨから特定のサブフレームセットに対するＣＳＩ報告を検出する。
【０１５４】
端末装置２は、ＴＤＤ方式が適用された１つのサービングセルに対して、複数のサブフレームセットが設定される場合、あるサブフレームにおいて、複数のサブフレームセットそれぞれに対するＣＳＩ報告が生じるとすれば、複数のサブフレームセットに対するＣＳＩ報告それぞれに対応するインデックス（cqi-pmi-ConfigIndex, ri-ConfigIndex）によって得られる報告サブフレーム（reporting instances）が同じであれば、フォーマット３を用いるＰＵＣＣＨで各サブフレームセットに対するＣＳＩ報告を送信する。その際、端末装置２でＰＤＳＣＨまたはＰＤＣＣＨを受信されていなければ、ＨＡＲＱ−ＡＣＫは多重されなくてもよい。基地局装置１は、ＰＵＣＣＨフォーマット３より各サブフレームセットに対するＣＳＩ報告を検出する。例えば、第１のサブフレームセットに対するＣＳＩ報告に対応するインデックス（第１のインデックス）と第２のサブフレームセットに対するＣＳＩ報告に対応するインデックス（第２のインデックス）によって示される報告サブフレームが同じであれば、ＰＵＣＣＨフォーマット３を用いて第１のサブフレームセットに対するＣＳＩ報告と第２のサブフレームセットに対するＣＳＩ報告を送信する。この場合、ＵＣＩは、２つのサブフレームセットに対するＰ−ＣＳＩ（第１のサブフレームセットに対するＣＳＩと第２のサブフレームセットに対するＣＳＩ）で構成される。
【０１５５】
端末装置２は、ＴＤＤ方式が適用された１つのサービングセルに対して、複数のサブフレームセットが設定される場合、複数のサブフレームセットに対するＣＳＩ報告それぞれに対応するインデックス（cqi-pmi-ConfigIndex, ri-ConfigIndex）によって得られる報告サブフレーム（reporting instances）が同じであれば、各サブフレームセットに対するＣＳＩ報告間の優先度に因らず、フォーマット３を用いるＰＵＣＣＨで各サブフレームセットに対するＣＳＩ報告を送信する。その際、端末装置２でＰＤＳＣＨまたはＰＤＣＣＨを受信されていなければ、ＨＡＲＱ−ＡＣＫは多重されなくてもよい。基地局装置１は、ＰＵＣＣＨフォーマット３より各サブフレームセットに対するＣＳＩ報告を検出する。
【０１５６】
端末装置２は、ＴＤＤ方式が適用された１つのサービングセルに対して、複数のサブフレームセットが設定される場合、複数のサブフレームセットに対するＣＳＩ報告それぞれに対応するインデックス（cqi-pmi-ConfigIndex, ri-ConfigIndex）によって得られる報告サブフレーム（reporting instances）が同じであれば、各サブフレームセットに対するＣＳＩ報告間の優先度に因らず、フォーマット３を用いるＰＵＣＣＨで各サブフレームセットに対するＣＳＩ報告を送信する。しかし、１つのサブフレームセットに対して、１つのＣＳＩ報告しか行なえない場合には、優先度の低いＣＳＩ報告をドロップする。１つのサブフレームセットに対して、最も優先度の高いＣＳＩ報告を行なう。
【０１５７】
端末装置２は、ＴＤＤ方式が適用された１つのサービングセルに対して、複数のサブフレームセットが設定される場合、報告周期が長い方のＣＳＩ報告を優先して伝送してもよい。すなわち、端末装置２は、より報告機会の少ない方のＣＳＩ報告を優先する。その際、基地局装置１は、報告周期が長い方のＣＳＩ報告が行なわれることを期待しない。
【０１５８】
端末装置２は、ＴＤＤ方式が適用された１つのサービングセルに対して、複数のサブフレームセットが設定される場合、報告周期が短い方のＣＳＩ報告を優先して伝送してもよい。すなわち、端末装置２は、より報告機会の多い方のＣＳＩ報告を優先する。その際、基地局装置１は、報告周期が短い方のＣＳＩ報告が行なわれることを期待しない。
【０１５９】
端末装置２は、ＴＤＤ方式が適用された１つのサービングセルに対して、複数のサブフレームセットが設定され、ＣＳＩ報告をＰＵＳＣＨで送信可能である場合、各サブフレームセットに対するＣＳＩ報告は、同じサブフレーム（同じサブフレームの同じＰＵＳＣＨ）で送信されてもよい。この場合、基地局装置１は、ＰＵＳＣＨから各サブフレームセットに対するＣＳＩ報告を検出する。
【０１６０】
以下、処理３の例を示す。
【０１６１】
端末装置２は、１つのサービングセルでＰＵＳＣＨとＰＵＣＣＨの同時送信を行なう機能がなければ、端末装置２がＰＵＳＣＨでＵＣＩを送信しないとすれば、ＵＣＩは、フォーマット１／１ａ／１ｂ／３もしくは２／２ａ／２ｂをＰＵＣＣＨで送信される。また、ＵＣＩは、ランダムアクセスレスポンスグラントに対応するＰＵＳＣＨ送信またはコンテンションベースのランダムアクセスプロシージャの一部である同じトランスポートブロックの再送が同じサブフレームで生じなければ、ＰＵＳＣＨで送信される。
【０１６２】
端末装置２は、１つのサービングセルでＰＵＳＣＨとＰＵＣＣＨの同時送信を行なう機能があれば、ＵＣＩがＨＡＲＱ−ＡＣＫおよび／またはＳＲから構成されるとすれば、そのＵＣＩは、フォーマット１／１ａ／１ｂ／３を用いるＰＵＣＣＨ（ＰＵＣＣＨフォーマット１／１ａ／１ｂ／３）で送信されてもよい。また、ＵＣＩがピリオディックＣＳＩだけから構成されるとすれば、そのＵＣＩは、フォーマット２（ＰＵＣＣＨフォーマット２）を用いるＰＵＣＣＨで送信されてもよい。また、ＵＣＩがピリオディックＣＳＩとＨＡＲＱ−ＡＣＫから構成され、端末装置２がＰＵＳＣＨを送信しなければ、そのＵＣＩは、フォーマット２／２ａ／２ｂ／３を用いるＰＵＣＣＨ（ＰＵＣＣＨフォーマット２／２ａ／２ｂ／３）で送信されてもよい。
【０１６３】
端末装置２は、１つのサービングセルでＰＵＳＣＨとＰＵＣＣＨの同時送信を行なう機能があれば、端末装置２に対して、ＵＣＩがＨＡＲＱ−ＡＣＫ／ＨＡＲＱ−ＡＣＫ＋ＳＲ／ポジティブＳＲとＰ−ＣＳＩ／Ａ−ＣＳＩから構成されるとすれば、ＵＣＩは、ＰＵＣＣＨとＰＵＳＣＨで送信される。ＨＡＲＱ−ＡＣＫ／ＨＡＲＱ−ＡＣＫ＋ＳＲ／ポジティブＳＲはＰＵＣＣＨで送信され、Ｐ−ＣＳＩ／Ａ−ＣＳＩは、ランダムアクセスレスポンスグラントに対応するＰＵＳＣＨ送信またはコンテンションベースのランダムアクセスプロシージャの一部である同じトランスポートブロックの再送が同じサブフレームで生じなければ、ＰＵＳＣＨで送信される。ランダムアクセスレスポンスグラントに対応するＰＵＳＣＨ送信またはコンテンションベースのランダムアクセスプロシージャの一部である同じトランスポートブロックの再送が同じサブフレームで生じれば、Ｐ−ＣＳＩ／Ａ−ＣＳＩは送信されない。この場合、基地局装置１は、端末装置２からＰ−ＣＳＩ／Ａ−ＣＳＩが送信されることを期待しない。
【０１６４】
端末装置２は、１つ以上のサービングセルが設定され、ＰＵＳＣＨとＰＵＣＣＨの同時送信が設定されていない場合、端末装置２があるサブフレーム（サブフレームｎ）でＰＵＳＣＨを送信しないとすれば、ＵＣＩは、フォーマット１／１ａ／１ｂ／３もしくは２／２ａ／２ｂを用いるＰＵＣＣＨで送信される。また、この場合、ＵＣＩがＡ−ＣＳＩまたはＡ−ＣＳＩとＨＡＲＱ−ＡＣＫから構成されるとすれば、ＵＣＩは、そのサービングセルのＰＵＳＣＨで送信される。また、この場合、ＵＣＩがＰ−ＣＳＩおよび／またはＨＡＲＱ−ＡＣＫから構成され、あるサブフレームでプライマリーセルのＰＵＳＣＨを送信するとすれば、ランダムアクセスレスポンスグラントに対応するプライマリーセルでのＰＵＳＣＨ送信またはコンテンションベースのランダムアクセスプロシージャにおける同じトランスポートブロックの再送が無ければ、ＵＣＩは、ＰＵＳＣＨで送信される。この場合、基地局装置１は、ＰＵＳＣＨからＵＣＩを検出する。それ以外の場合、ＵＣＩは送信されない。この場合、基地局装置１は、端末装置２からＵＣＩが送信されることを期待しない。
【０１６５】
端末装置２は、１つ以上のサービングセルが設定され、ＰＵＳＣＨとＰＵＣＣＨの同時送信が設定されていない場合、ＵＣＩがＰ−ＣＳＩおよび／またはＨＡＲＱ−ＡＣＫから構成され、端末装置２がプライマリーセルでＰＵＳＣＨを送信しないが、少なくとも１つのセカンダリーセルにおいて、ＰＵＳＣＨを送信すれば、ＰＵＳＣＨが送信されるセカンダリーセルの中で、最小のセカンダリーセルインデックスのセカンダリーセルのＰＵＳＣＨでＵＣＩは送信される。この場合、基地局装置１は、ＰＵＳＣＨが送信される最小のセカンダリーセルインデックスのセカンダリーセルのＰＵＳＣＨからＵＣＩを検出する。
【０１６６】
端末装置２は、１つ以上のサービングセルとＰＵＳＣＨとＰＵＣＣＨの同時送信が設定される場合、ＵＣＩがＨＡＲＱ−ＡＣＫおよび／またはＳＲだけから構成されるとすれば、ＵＣＩは、フォーマット１／１ａ／１ｂ／３を用いるＰＵＣＣＨで送信される。また、この場合、ＵＣＩがＰ−ＣＳＩだけから構成されるとすれば、ＵＣＩは、フォーマット２を用いるＰＵＣＣＨで送信される。また、この場合、ＵＣＩがＨＡＲＱ−ＡＣＫおよびＰ−ＣＳＩから構成され、端末装置２がＰＵＳＣＨをプライマリーセルで送信しているとすれば、端末装置２は、ＰＵＣＣＨとプライマリーセルのＰＵＳＣＨでＵＣＩを送信する。この場合、ＨＡＲＱ−ＡＣＫは、フォーマット１／１ａ／１ｂ／３を用いるＰＵＣＣＨで送信され、Ｐ−ＣＳＩは、ランダムアクセスレスポンスグラントに対応するプライマリーセルでのＰＵＳＣＨ送信またはコンテンションベースのランダムアクセスプロシージャにおける同じトランスポートブロックの再送が無ければ、ＰＵＳＣＨで送信される。それ以外は、Ｐ−ＣＳＩは送信されない。
【０１６７】
端末装置２は、１つ以上のサービングセルとＰＵＳＣＨとＰＵＣＣＨの同時送信が設定される場合、ＵＣＩがＨＡＲＱ−ＡＣＫとＰ−ＣＳＩから構成され、端末装置２がプライマリーセルでＰＵＳＣＨを送信せずに、少なくとも１つのセカンダリーセルでＰＵＳＣＨを送信するとすれば、ＰＵＳＣＨが送信されるセカンダリーセルの中で、最小のセカンダリーセルインデックスのセカンダリーセルのＰＵＳＣＨでＵＣＩは送信される。この場合、ＨＡＲＱ−ＡＣＫは、フォーマット１／１ａ／１ｂ／３を用いるＰＵＣＣＨで送信され、Ｐ−ＣＳＩはＰＵＳＣＨで送信される。この場合、基地局装置１は、ＰＵＳＣＨからＰ−ＣＳＩを検出し、ＰＵＣＣＨフォーマット１／１ａ／１ｂ／３からＨＡＲＱ−ＡＣＫを検出する。
【０１６８】
端末装置２は、１つ以上のサービングセルとＰＵＳＣＨとＰＵＣＣＨの同時送信が設定される場合、ＵＣＩがＨＡＲＱ−ＡＣＫ／ＨＡＲＱ−ＡＣＫ＋ＳＲ／ポジティブＳＲおよびＡ−ＣＳＩから構成されるとすれば、ＵＣＩは、ＰＵＣＣＨとＰＵＳＣＨで送信される。この場合、ＨＡＲＱ−ＡＣＫ／ＨＡＲＱ−ＡＣＫ＋ＳＲ／ポジティブＳＲは、フォーマット１／１ａ／１ｂ／３を用いるＰＵＣＣＨで送信され、Ａ−ＣＳＩは、あるサービングセルのＰＵＳＣＨで送信される。この場合、基地局装置１は、ＨＡＲＱ−ＡＣＫ／ＨＡＲＱ−ＡＣＫ＋ＳＲ／ポジティブＳＲをＰＵＣＣＨフォーマット１／１ａ／１ｂ／３から検出し、Ａ−ＣＳＩをあるサービングセルのＰＵＳＣＨから検出する。
【０１６９】
１つのサービングセルが設定され、ＰＵＣＣＨフォーマット３が設定されない端末装置２に対して、ＰＵＳＣＨ送信が無いサブフレームでＰ−ＣＳＩ報告とＨＡＲＱ−ＡＣＫ間の衝突がある場合、ＡｃｋＮａｃｋとＣＱＩの同時送信に関するパラメータがＴＲＵＥにセットされて上位層より通知されていれば、Ｐ−ＣＳＩ報告は、ＨＡＲＱ−ＡＣＫと多重されてＰＵＣＣＨで送信される。この場合、基地局装置１は、受信したＰＵＣＣＨからＨＡＲＱ−ＡＣＫとＰ−ＣＳＩ報告を検出する。それ以外の場合（ＡｃｋＮａｃｋとＣＱＩの同時送信に関するパラメータが“ＴＲＵＥ”にセットされていなければ）、ＣＳＩはドロップされる。
【０１７０】
ＴＤＤ方式において、１つのサービングセルが設定され、ＰＵＣＣＨフォーマット３が設定される端末装置２に対して、Ｐ−ＣＳＩ報告とＨＡＲＱ−ＡＣＫの衝突がＰＵＳＣＨ送信のないサブフレームで生じる場合、ＡｃｋＮａｃｋとＣＱＩの同時送信に関するパラメータまたはフォーマット３におけるＡｃｋＮａｃｋとＣＱＩの同時送信に関するパラメータの何れかがＴＲＵＥにセットされ、上位層より通知されていれば、Ｐ−ＣＳＩ報告は、ＨＡＲＱ−ＡＣＫと多重されて送信される。それ以外の場合、ＣＳＩはドロップされる。
【０１７１】
ピリオディックＣＳＩ報告は、端末装置２にＰＵＳＣＨとＰＵＣＣＨの同時送信を行なう機能がサポートされているか否かに応じて、ＰＵＣＣＨを用いて行なわれるかＰＵＳＣＨを用いて行なわれるかが決定されてもよい。例えば、端末装置２にＰＵＳＣＨとＰＵＣＣＨの同時送信を行なう機能がない場合、ピリオディックＣＳＩ報告は、ＰＵＣＣＨを用いて行なわれる。また、端末装置２にＰＵＳＣＨとＰＵＣＣＨの同時送信（同一サブフレームでのＰＵＳＣＨとＰＵＣＣＨの送信）を行なう機能がサポートされている場合、ピリオディックＣＳＩ報告を行なうサブフレームにおいてＰＵＳＣＨの送信があれば、ピリオディックＣＳＩ報告は、ＰＵＳＣＨを用いて行なわれる。また、ピリオディックＣＳＩ報告を行なうサブフレームにおいてＰＵＳＣＨの送信がなければ、ピリオディックＣＳＩ報告は、ＰＵＣＣＨを用いて行なわれる。
【０１７２】
なお、本発明の実施形態において、ＰＵＣＣＨフォーマット３を用いて、複数のＣＳＩ報告を行なう場合、ＰＵＣＣＨフォーマット３とは異なるＰＵＣＣＨフォーマットであってもよい。例えば、ＰＵＣＣＨフォーマット３ａであってもよいし、ＰＵＣＣＨフォーマット３ｂであってもよいし、ＰＵＣＣＨフォーマット４であってもよい。つまり、複数のＣＳＩ報告を行なうＰＵＣＣＨフォーマットを用いて、基地局装置１に送信される。
【０１７３】
端末装置２は、１セルに対して複数のサブフレームセットが設定される場合、Ｐ−ＳＲＳとＰＵＳＣＨは、Ｐ−ＳＲＳを送信するサブフレームに因らず、共通のパラメータ（標準電力や伝搬路損失補償係数、送信電力制御（TPC: Transmit Power Control）コマンドによる電力補正値など）を用いて各々の送信電力がセットされる。なお、ＴＰＣコマンドは、電力を調整するために使用されるパラメータである。
【０１７４】
また、Ａ−ＳＲＳとＰＵＳＣＨは、Ａ−ＳＲＳを送信するサブフレームに因らず、共通のパラメータ（標準電力や伝搬路損失補償係数、ＴＰＣコマンドによる電力補正値など）を用いて各々の送信電力がセットされる。つまり、１セルに対して複数のサブフレームセットが設定されない端末装置２は、Ｐ−ＳＲＳ、Ａ−ＳＲＳ、ＰＵＳＣＨの送信電力を少なくとも１つの共通のパラメータを用いてセットする。ここで、ＴＰＣコマンドは、ＤＣＩフォーマットにセットされるフィールドの１つである。ＴＰＣコマンドフィールドの値と電力補正値は、テーブル管理されており、予め対応付けられている。つまり、ＴＰＣコマンドによって得られた電力補正値とは、ＴＰＣコマンドフィールドの値と対応付けられた電力補正値と言い換えることができる。
【０１７５】
また、ＴＰＣコマンドによって得られた電力補正値とは、ＴＰＣコマンドフィールドの値と対応付けられた電力補正値に基づいて決定した電力調整値と言い換えることができる。電力調整値の初期値は、０であってもよい。端末装置固有の電力制御パラメータが変更されるまたは再設定される場合、電力調整値の初期値は、０であってもよい。サービングセルｃに対するランダムアクセスレスポンスメッセージを受信する場合、ランダムアクセスの送信電力制御に基づいて電力調整値の初期値を決定してもよい。なお、電力調整値は、ＴＰＣコマンドによって得られた電力補正値に基づいて設定されてもよい。
【０１７６】
言い換えると、端末装置２は、特定の条件を満たすことによって、複数のサブフレームセット（サブフレームサブセット、サブフレームタイプ）が設定（構成、セット、定義）される場合、Ｐ−ＳＲＳの送信電力は、Ｐ−ＳＲＳを送信するサブフレームに因らず、第１のサブフレームセット（または第２のサブフレームセット）に含まれる上りリンクサブフレームで送信するＰＵＳＣＨの電力制御に用いられるパラメータに基づいてセットされる。例えば、特定の条件とは、第１の設定と第２の設定がセットされることであってもよい。Ａ−ＳＲＳの送信電力は、第１のサブフレームセットに含まれる上りリンクサブフレームで送信する場合には、第１のサブフレームセットに含まれる上りリンクサブフレームで送信されるＰＵＳＣＨの電力制御に用いられるパラメータに基づいてセットされ、第２のサブフレームセットに含まれる上りリンクサブフレームで送信する場合には、第２のサブフレームセットに含まれる上りリンクサブフレームで送信するＰＵＳＣＨの電力制御に用いられるパラメータに基づいてセットされる。ただし、Ａ−ＳＲＳの場合、サブフレームセットに因らず、ＰＵＳＣＨとＡ−ＳＲＳの電力オフセット（pSRS-OffsetAp）は共通であってもよい。ここで、サブフレームセットに含まれるサブフレームとは、サブフレームセットに属するサブフレームと言い換えることができる。
【０１７７】
端末装置２は、複数のサブフレームセットがセットされる状況において、ＰＵＳＣＨに対する電力制御に関するパラメータの設定が複数セットされる場合、Ｐ−ＳＲＳの送信電力は、第１のサブフレームセット（または第２のサブフレームセット）に含まれる上りリンクサブフレームで送信されるＰＵＳＣＨの電力制御に用いられるパラメータに基づいてセットされ、Ａ−ＳＲＳの送信電力は、Ａ−ＳＲＳを送信するサブフレームのサブフレームセットに応じて、同じサブフレームセットで送信されるＰＵＳＣＨの電力制御に用いられるパラメータに基づいてセットされる。なお、端末装置２は、ＰＵＳＣＨに対して電力制御に関するパラメータの設定が複数セットされない場合には、複数のサブフレームセットが設定されても前述のような処理は行なわなくてもよい。
【０１７８】
ここで、ＰＵＳＣＨに対する電力制御に関するパラメータの設定には、ＰＵＳＣＨ標準電力（p0-NominalPUSCH）が含まれてもよい。また、ＰＵＳＣＨに対する電力制御に関するパラメータの設定には、端末固有ＰＵＳＣＨ電力（p0-UE-PUSCH）が含まれてもよい。また、ＰＵＳＣＨに対する電力制御に関するパラメータの設定には、伝搬路損失補償係数（alpha）が含まれてもよい。
【０１７９】
また、ＰＵＳＣＨに対する電力制御に関するパラメータの設定には、ＰＵＳＣＨに対する送信電力コマンドによる電力補正値が含まれてもよい。なお、これらＰＵＳＣＨに対する電力制御に関するパラメータの設定にセットされるパラメータのうち、一部のパラメータは、上位層シグナリング（ＲＲＣシグナリング、Ｌ３シグナリング）で通知（伝送、送信）されてもよい。
【０１８０】
また、これらＰＵＳＣＨに対する電力制御に関するパラメータの設定にセットされるパラメータのうち、一部のパラメータは、Ｌ１シグナリング（ＤＣＩフォーマット、制御信号、ＰＤＣＣＨ、ＥＰＤＣＣＨ）で通知されてもよい。また、これらＰＵＳＣＨに対する電力制御に関するパラメータの設定にセットされるパラメータのうち、一部のパラメータは、システムインフォメーションで通知されてもよい。
【０１８１】
また、ＰＵＳＣＨの電力制御に関する共有パラメータの設定が複数セットされ、ＰＵＳＣＨに対する電力制御に関する専用パラメータの設定がセットされていない場合、デフォルト（デフォルト値、デフォルト設定）が予めセットされているパラメータに関しては、デフォルトを用いてもよい。また、第１のサブフレームセット（特定のサブフレームセット）に対応するＰＵＳＣＨの電力制御に関するパラメータの設定は、システムインフォメーションで通知され、第２のサブフレームセット（特定のサブフレームセット以外のサブフレームセット）に対応するＰＵＳＣＨの電力制御に関するパラメータの設定は、上位層シグナリングで通知されてもよい。また、第１のサブフレームセットおよび第２のサブフレームセットに対してＰＵＳＣＨの電力制御に関するパラメータの設定が通知されない場合、端末装置２は、デフォルト（デフォルト値、デフォルト設定）が予め設定されているパラメータに関してはそのデフォルトを用いてＰＵＳＣＨやＳＲＳの送信電力をセットする。つまり、複数のサブフレームセットが設定される端末装置２に対して、サブフレームセットに対応する電力制御に関するパラメータの設定が通知されなかった場合、各サブフレームセットに対応する電力制御は、各パラメータのデフォルトに基づいて行なわれる。なお、サブフレームセットとサブフレームタイプが対応付けられてもよい。なお、第１の設定に関する情報および／または第２の設定に関する情報は、システムインフォメーションで送信されてもよい。
【０１８２】
また、第１の設定に関する情報および／または第２の設定に関する情報は、上位層シグナリング（Ｌ３シグナリング、ＲＲＣシグナリング、インプリシットシグナリング、セミスタティックシグナリング）で送信されてもよい。また、第１の設定に関する情報または第２の設定に関する情報の何れか一方はダイナミックシグナリング（Ｌ１シグナリング、制御シグナリング、エクスプリシットシグナリング）で送信されてもよい。また、第１の設定に関する情報または第２の設定に関する情報の何れか一方はＭＡＣシグナリング（Ｌ２シグナリング）で送信されてもよい。
【０１８３】
また、本発明の実施形態では、端末装置２は、複数のサブフレームセットが設定されるか否かでＰ−ＳＲＳおよびＡ−ＳＲＳの送信電力の設定方法を切り替えてもよい。つまり、複数のサブフレームセット（サブフレームタイプ、サブフレームサブセット）が設定（構成、セット、定義）されない場合、端末装置２は、Ｐ−ＳＲＳの送信電力をＰＵＳＣＨの電力制御に用いられるパラメータに基づいてセットする。また、端末装置２は、Ａ−ＳＲＳの送信電力をＰＵＳＣＨの電力制御に用いられるパラメータに基づいてセットする。複数のサブフレームセットが設定される場合、端末装置２は、Ｐ−ＳＲＳの送信電力を複数のサブフレームセットのうち、１つのサブフレームセット（例えば、第１のサブフレームセット、所定のサブフレームセット、特定のサブフレームセット）に含まれる上りリンクサブフレームで送信されるＰＵＳＣＨの電力制御に用いられるパラメータに基づいてセットしてもよい。また、端末装置２は、Ａ−ＳＲＳの送信電力を複数のサブフレームセットそれぞれで送信されるＰＵＳＣＨの電力制御に用いられるパラメータに基づいてセットしてもよい。例えば、第１のサブフレームセットに含まれる上りリンクサブフレームでＡ−ＳＲＳを送信する場合、第１のサブフレームセットで送信されるＰＵＳＣＨの電力制御に用いられるパラメータに基づいてＡ−ＳＲＳの送信電力はセットされ、第２のサブフレームセットに含まれる上りリンクサブフレームでＡ−ＳＲＳを送信する場合、第２のサブフレームセットで送信されるＰＵＳＣＨの電力制御に用いられるパラメータに基づいてＡ−ＳＲＳの送信電力はセットされる。第３のサブフレームセット以降も同様の処理を行なう。なお、ＰＵＳＣＨとＳＲＳの電力オフセットがサブフレームセット毎に設定される場合には、その電力オフセットも用いてサブフレームセットに含まれる上りリンクサブフレームで送信されるＳＲＳの送信電力はセットされる。ここで、上りリンクサブフレームとは、上りリンク信号が送信可能なサブフレームである。
【０１８４】
図１は、本発明の基地局装置１の構成を示す概略ブロック図である。図示するように、基地局装置１は、上位層処理部１０１、制御部１０３、受信部１０５、送信部１０７、チャネル測定部１０９、および、送受信アンテナ１１１、を含んで構成される。また、受信部１０５は、復号化部１０５１、復調部１０５３、多重分離部１０５５と無線受信部１０５７を含んで構成される。また、基地局装置１の受信処理は、上位層処理部１０１、制御部１０３、受信部１０５、送受信アンテナ１１１で行なわれる。また、送信部１０７は、符号化部１０７１、変調部１０７３、多重部１０７５、無線送信部１０７７と下りリンク参照信号生成部１０７９を含んで構成される。また、基地局装置１の送信処理は、上位層処理部１０１、制御部１０３、送信部１０７、送受信アンテナ１１１で行なわれる。
【０１８５】
上位層処理部１０１は、媒体アクセス制御（MAC: Medium Access Control）層、パケットデータ統合プロトコル（PDCP: Packet Data Convergence Protocol）層、無線リンク制御（RLC: Radio Link Control）層、無線リソース制御（RRC: Radio Resource Control）層の処理を行う。
【０１８６】
上位層処理部１０１は、下りリンクの各チャネルに配置する情報を生成、又は上位ノードから取得し、送信部１０７に出力する。また、上位層処理部１０１は、上りリンクの無線リソースの中から、端末装置２が上りリンクのデータ情報であるＰＵＳＣＨを配置する無線リソースを割り当てる。
【０１８７】
また、上位層処理部１０１は、下りリンクの無線リソースの中から、下りリンクのデータ情報であるＰＤＳＣＨを配置する無線リソースを決定する。上位層処理部１０１は、当該無線リソースの割り当てを示すＤＣＩを生成し、送信部１０７を介して、端末装置２に送信する。
【０１８８】
また、上位層処理部１０１は、ＰＵＳＣＨを配置する無線リソースを割り当てる際に、チャネル測定部１０９から入力された上りリンクのチャネル測定結果を基に、チャネル品質のよい無線リソースを優先的に割り当てる。つまり、上位層処理部１０１は、ある端末装置２またはあるセルに対して各種下りリンク信号の設定および各種上りリンク信号の設定をセットする。
【０１８９】
また、上位層処理部１０１は、種々の下りリンク信号の設定および種々の上りリンク信号の設定をセル毎にセットしてもよい。
【０１９０】
また、上位層処理部１０１は、種々の下りリンク信号の設定および種々の上りリンク信号の設定を端末装置２毎にセットしてもよい。また、上位層処理部１０１は、ある端末装置２またはあるセルに対して、つまり、端末装置固有および／またはセル固有に、第１の設定から第ｎの設定（ｎは自然数）をセットし、送信部１０７を介して、端末装置２へ送信してもよい。例えば、下りリンク信号および／または上りリンク信号の設定とは、リソース割り当てに関するパラメータを含んでもよい。また、下りリンク信号および／または上りリンク信号の設定とは、系列算出に使用するパラメータを含んでもよい。なお、これらの無線リソースを時間周波数リソース、サブキャリア、リソースエレメント（RE: Resource Element）、リソースエレメントグループ（REG: Resource Element Group）、制御チャネル要素（CCE: Control Channel Element）、リソースブロック（RB: Resource Block）、リソースブロックグループ（RBG: Resource Block Group）などと呼称される場合もある。
【０１９１】
これらの設定および／または制御に関する情報は情報要素として定義されてもよい。また、これらの設定および／または制御に関する情報はＲＲＣメッセージとして定義されてもよい。また、これらの設定および／または制御に関する情報はシステム情報で端末装置２へ送信されてもよい。また、これらの設定および／または制御に関する情報は専用シグナリングで端末装置２へ送信されてもよい。
【０１９２】
また、上位層処理部１０１は、システムインフォメーションブロックタイプ１に少なくとも１つのＴＤＤ  ＵＬ／ＤＬ設定（TDD UL/DL configuration(s), TDD config, tdd-Config, uplink-downlink configuration(s)）をセットする。ＴＤＤ  ＵＬ／ＤＬ設定は、図３のように定義されてもよい。インデックスをセットすることによって、ＴＤＤの構成を示してもよい。さらに、下りリンク参照として、第２のＴＤＤ  ＵＬ／ＤＬ設定をセットしてもよい。また、システムインフォメーションブロックは複数のタイプを用意してもよい。例えば、システムインフォメーションブロックタイプ１には、ＴＤＤ  ＵＬ／ＤＬ設定に関する情報要素が含まれる。また、システムインフォメーションブロックタイプ２には、無線リソース制御に関する情報要素が含まれる。なお、ある情報要素の中に、その情報要素に係るパラメータが情報要素として含まれてもよい。例えば、物理層では、パラメータと呼称されるものが、上位層では、情報要素として定義されてもよい。また、情報要素の一部がパラメータと呼称されてもよい。また、複数の種類のパラメータを一纏め（一括り、一覧）にしたものを情報要素と呼称してもよい。
【０１９３】
なお、本発明では、identity, identifier, identificationをＩＤ（識別子、識別符号、識別番号）と呼称する。端末固有に設定されるＩＤ（ＵＥＩＤ）には、Ｃ−ＲＮＴＩ（Cell Radio Network Temporary Identifier），ＳＰＳ  Ｃ−ＲＮＴＩ（Semi-persistent Scheduling C-RNTI），Ｔｅｍｐｏｒａｒｙ  Ｃ−ＲＮＴＩ，ＴＰＣ−ＰＵＳＣＨ  ＲＮＴＩ，ＴＰＣ−ＰＵＣＣＨ  ＲＮＴＩ、コンテンションレゾリューションのためのランダム値がある。これらのＩＤは、セル単位で使用される。これらのＩＤは、上位層処理部１０１によってセットされる。
【０１９４】
また、上位層処理部１０１は、端末装置２に対して種々の識別子をセットし、送信部１０７を介して、端末装置２へ通知する。例えば、ＲＮＴIを設定し、端末装置２へ通知する。また、物理セルＩＤまたは仮想セルＩＤまたは仮想セルＩＤに相当するＩＤをセットし、通知する。例えば、仮想セルＩＤに相当するＩＤとして、物理チャネル固有に設定可能なＩＤ（ＰＵＳＣＨ  ＩＤ，ＰＵＣＣＨ  ＩＤ，スクランブリング初期化ＩＤ，参照信号ＩＤ（ＲＳＩＤ）など）がある。物理セルＩＤや仮想セルＩＤは物理チャネルおよび物理信号の系列生成に用いられる。
【０１９５】
上位層処理部１０１は、端末装置２からＰＵＣＣＨで通知された上りリンク制御情報（UCI: Uplink Control Information）、および端末装置２から通知されたバッファの状況や上位層処理部１０１が設定した端末装置２各々の各種設定情報（ＲＲＣメッセージ、システムインフォメーション、パラメータ、情報要素）に基づき、受信部１０５および送信部１０７の制御を行うために制御情報を生成し、制御部１０３に出力する。なお、ＵＣＩには、ＡＣＫ／ＮＡＣＫ、ＳＲ、ＣＳＩのうち少なくとも一つが含まれる。なお、ＣＳＩには、ＣＱＩ，ＰＭＩ，ＲＩのうち少なくとも一つが含まれる。
【０１９６】
上位層処理部１０１は、上りリンク信号（ＰＲＡＣＨ、ＰＵＣＣＨ、ＰＵＳＣＨ、ＵＬ  ＤＭＲＳ、Ｐ−ＳＲＳ、およびＡ−ＳＲＳ）の送信電力および送信電力に関するパラメータを設定する。
【０１９７】
また、上位層処理部１０１は、下りリンク信号（ＣＲＳ、ＤＬ  ＤＭＲＳ、ＣＳＩ−ＲＳ、ＰＤＳＣＨ、ＰＤＣＣＨ／ＥＰＤＣＣＨなど）の送信電力および送信電力に関するパラメータを、送信部１０７を介して、端末装置２に送信する。つまり、上位層処理部１０１は、上りリンクの電力制御に関する情報および下りリンクの電力制御に関する情報を、送信部１０７を介して、端末装置２に送信する。言い換えると、上位層処理部１０１は、基地局装置１および端末装置２の電力制御に関するパラメータの設定をセットする。例えば、上位層処理部１０１は、基地局装置１の送信電力に関するパラメータ（下りリンク電力制御に関するパラメータ）を端末装置２に通知する。
【０１９８】
また、上位層処理部１０１は、端末装置２の最大送信電力に関するパラメータを端末装置２に通知する。
【０１９９】
また、上位層処理部１０１は、種々の物理チャネルの電力制御に関する情報を端末装置２に通知する。
【０２００】
また、上位層処理部１０１は、隣接する基地局装置からの干渉量を示す情報、隣接する基地局装置から通知された隣接する基地局装置１に与えている干渉量を示す情報、また、チャネル測定部１０９から入力されたチャネルの品質などに応じて、ＰＵＳＣＨなどが所定のチャネル品質を満たすよう、また隣接する基地局装置１への干渉を考慮し、端末装置２の送信電力をセットし、これらの設定を示す情報を、送信部１０７を介して、端末装置２に送信する。
【０２０１】
具体的には、上位層処理部１０１は、端末装置２間で共有する情報（上りリンク電力制御に関する共有パラメータ）または端末装置２間で共通なパラメータとして、ＰＵＳＣＨとＰＵＣＣＨそれぞれに対する標準電力（ＰＯ＿ＮＯＭＩＮＡＬ＿ＰＵＳＣＨ（p0-NominalPUSCH），ＰＯ＿ＮＯＭＩＮＡＬ＿ＰＵＣＣＨ（p0-NominalPUCCH））、伝搬路損失補償係数（減衰係数）αｃ（alpha）、メッセージ３用の電力オフセット（deltaPreambleMsg3）、ＰＵＣＣＨフォーマット毎に規定される電力オフセット（deltaFList-PUCCH）などをシステムインフォメーションで送信する。その際、ＰＵＣＣＨフォーマット３の電力オフセット（deltaF-PUCCH-Format3）およびデルタＰＵＣＣＨフォーマット１ｂＣＳの電力オフセット（deltaF-PUCCH-Format1bCS）を追加して通知してもよい。また、これらのパラメータは、ＲＲＣメッセージ（上位層シグナリング、dedicated signaling）で通知されてもよい。
【０２０２】
また、上位層処理部１０１は、端末装置２毎に設定可能なパラメータ（上りリンク電力制御に関する専用パラメータ）として、端末装置固有ＰＵＳＣＨ電力Ｐ０＿ＵＥ＿ＰＵＳＣＨ（p0-UE-PUSCH）、デルタＭＣＳ有効Ｋｓ（deltaMCS-Enabled）、アキュムレーション有効（accumulationEnabled）、端末装置固有ＰＵＣＣＨ電力（p0-UE-PUCCH）、Ｐ−ＳＲＳ電力オフセット（pSRS-Offset）、フィルタ係数（filterCoefficient）をＲＲＣメッセージで通知する。その際、各ＰＵＣＣＨフォーマットにおける送信ダイバーシチの電力オフセット（deltaTxD-OffsetListPUCCH）、Ａ−ＳＲＳ電力オフセット（pSRS-OffsetAp）を通知してもよい。デルタＭＣＳ有効は、デルタＭＣＳを適用するか否かを指示するパラメータ（情報）である。デルタＭＣＳが有効な場合、Ｋｓ＝１．２５とし、デルタＭＣＳが有効ではない場合、Ｋｓ＝０として処理を行なう。アキュムレーション有効は、送信電力制御コマンドによるアキュムレーション（累算処理）を行なうか否かを指示するパラメータ（情報）である。アキュムレーションが有効な場合、端末装置２は、ＴＰＣコマンドによって得られた電力補正値のアキュムレーション（累算処理）を行なってから、その結果（累算値、アキュムレーション値）に基づいて送信電力をセットする。また、アキュムレーションが有効ではない場合、端末装置２は、１つのＴＰＣコマンドから得られた電力補正値に基づいて送信電力をセットする。なお、ここで述べるαｃとはパスロス値と共に送信電力をセットするために用いられ、パスロスを補償する度合いを表す係数、言い換えるとパスロスに応じてどの程度送信電力を増減させるか（つまり、どの程度送信電力を補償するか）を決定する係数（減衰係数、伝搬路損失補償係数）である。αｃは通常０から１の値をとり、０であればパスロスに応じた電力の補償は行なわず、１であればパスロスの影響が基地局装置１において生じないよう端末装置２の送信電力を補償する。これらの情報は、再設定情報として端末装置２へ送信されてもよい。
【０２０３】
また、上位層処理部１０１は、ランダムアクセスチャネルの電力制御に関するパラメータ（グループＢの電力オフセット（messagePowerOffsetGroupB）、パワーランピングステップ（powerRampingStep）、プリアンブルの初期受信目標電力（preambleInitialReceivedTargetPower））を通知してもよい。また、上位層処理部１０１は、下りリンク電力制御に関するパラメータとして、ＰＤＳＣＨとＣＳＩ−ＲＳの電力比（p-C）、基地局装置１（または基地局装置１から送信されるＣＲＳ）の参照信号電力（referenceSignalPower）、ＣＲＳが存在しないサブフレームにおけるＰＤＳＣＨとＣＲＳの電力比ＰＡ（p-a）、ＣＲＳが存在するサブフレームにおけるＰＤＳＣＨとＣＲＳの電力比を表すインデックスＰＢ（p-b）、ＰＤＳＣＨとＣＲＳの電力比の電力シフトΔｏｆｆｓｅｔ（nomPDSCH-RS-EPRE-Offset）を通知してもよい。
【０２０４】
また、上位層処理部１０１は、キャリア周波数における端末装置２の最大送信電力を制限するパラメータ（P-Max）をシステムインフォメーション（例えば、ＳＩＢ１）で通知してもよい。これらのパラメータの一部は、上位層シグナリングで通知されてもよい。これら電力制御に関するパラメータの設定は、サービングセル毎にセットされてもよい。これら電力制御に関するパラメータの設定は、サブフレームセット毎にセットされてもよい。基地局装置１の参照信号電力は、基地局装置１の送信電力と呼称してもよい。
【０２０５】
また、上位層処理部１０１は、端末装置２毎に下りリンク信号／上りリンク信号の送信電力または送信電力に関するパラメータをセットしてもよい。また、上位層処理部１０１は、端末装置２間で共通の下りリンク／上りリンク信号の送信電力または送信電力に関するパラメータを設定してもよい。これらのパラメータに関する情報は上りリンク電力制御に関する情報および／または下りリンク電力制御に関する情報として端末装置２へ送信されてもよい。
【０２０６】
上位層処理部１０１は、種々の物理チャネル／物理信号に係る種々のＩＤの設定を行ない、制御部１０３を介して、受信部１０５および送信部１０７へＩＤの設定に関する情報を出力する。例えば、上位層処理部１０１は、下りリンク制御情報フォーマットに含まれるＣＲＣをスクランブルするＲＮＴＩ（ＵＥＩＤ）の値を設定する。また、上位層処理部１０１は、Ｃ−ＲＮＴＩ（Cell Radio Network Temporary Identifier），Ｔｅｍｐｏｒａｒｙ  Ｃ−ＲＮＴＩ，Ｐ−ＲＮＴＩ（Paging-RNTI），ＲＡ−ＲＮＴＩ（Random Access-RNTI），ＳＰＳ  Ｃ−ＲＮＴＩ（Semi-Persistent Scheduling C-RNTI）などの種々の識別子の値を設定してもよい。
【０２０７】
また、上位層処理部１０１は、物理セルＩＤや仮想セルＩＤ、スクランブル初期化ＩＤなどのＩＤの値を設定する。これらの設定情報は、制御部１０３を介して、各処理部へ出力される。また、これらの設定情報は、ＲＲＣメッセージやシステムインフォメーション、端末装置固有の専用情報、情報要素として端末装置２へ送信されてもよい。また、一部のＲＮＴＩはＭＡＣ  ＣＥ（Control Element）を用いて送信されてもよい。
【０２０８】
また、上位層処理部１０１は、ＰＵＣＣＨフォーマット１／１ａ／１ｂのリソースに関する情報を、送信部１０７を介して、端末装置２へ送信する。
【０２０９】
また、上位層処理部１０１は、ＰＵＣＣＨフォーマット２／２ａ／２ｂのリソースに関する情報を、送信部１０７を介して、端末装置２へ送信する。
【０２１０】
また、上位層処理部１０１は、ＰＵＣＣＨフォーマット３のリソースに関する情報を、送信部１０７を介して、端末装置２へ送信する。
【０２１１】
また、上位層処理部１０１は、ＰＵＣＣＨフォーマットに関する情報を含むＰＵＣＣＨ設定に関する情報を、送信部１０７を介して、端末装置２へ送信する。なお、ＰＵＣＣＨ設定に関する情報は、上位層シグナリングを用いて通知されてもよい。
【０２１２】
また、上位層処理部１０１は、ＰＵＣＣＨフォーマット毎に仮想セルＩＤ（スクランブリング用のＩＤ）を設定し、送信部１０７を介して、端末装置２へ送信してもよい。
【０２１３】
また、上位層処理部１０１は、ＣＳＩ報告（ＣＱＩ報告）に関する情報を、送信部１０７を介して、端末装置２へ送信する。なお、ＣＳＩ報告（ＣＱＩ報告）に関する情報は、上位層シグナリングによって通知されてもよい。
【０２１４】
ＣＳＩ報告に関する情報には、ＡＣＫ／ＮＡＣＫとＣＱＩ（ＣＳＩ）の同時送信を行なうか否かを指示するパラメータ（simultaneousAckNackAndCQI, simultaneousAckNackAndCQI-Format3）が含まれてもよい。また、ＣＳＩ報告に関する情報には、ＣＱＩＰＭＩ設定に関するインデックス（cqi-pmi-ConfigIndex）が含まれてもよい。また、ＣＳＩ報告に関する情報には、ＲＩ設定に関するインデックス（ri-ConfigIndex）が含まれてもよい。また、ＣＳＩ報告に関する情報には、ＣＱＩ（ＣＳＩ）のためのＰＵＣＣＨリソースに関するインデックスが含まれてもよい。ＣＳＩ報告に関する情報には、ＣＳＩ測定サブフレームセットに関するパラメータが含まれてもよい。また、ＣＳＩ報告に関する情報には、ＣＱＩ（ＣＳＩ）のためのＰＵＣＣＨリソースに関するインデックス（cqi-PUCCH-ResourceIndx）が含まれてもよい。インデックスやサブフレームセットに関するパラメータは、複数が設定されてもよい。また、ＣＳＩ報告に関する情報には、ＣＱＩ（ＣＳＩ）のためのアンテナポート１のＰＵＣＣＨリソースに関するインデックス（cqi-PUCCH-ResourceIndxP1）が含まれてもよい。また、ＣＳＩ報告に関する情報には、複数のＣＳＩ報告をＰＵＣＣＨフォーマット３で行なうか否かを指示する情報が含まれてもよい。
【０２１５】
ＭＡＣ  ＣＥはＰＤＳＣＨを介して送信される。ＭＡＣ  ＣＥは、ＭＡＣ層において処理される情報／信号である。
【０２１６】
制御部１０３は、上位層処理部１０１からの制御情報に基づいて、受信部１０５、および送信部１０７の制御を行なうための制御信号を生成する。制御部１０３は、生成した制御信号を受信部１０５、および送信部１０７に出力して受信部１０５、および送信部１０７の制御を行なう。
【０２１７】
受信部１０５は、制御部１０３から入力された制御信号に従って、送受信アンテナ１１１を介して端末装置２から受信した受信信号を分離、復調、復号し、復号した情報を上位層処理部１０１に出力する。
【０２１８】
無線受信部１０５７は、送受信アンテナ１１１を介して受信した上りリンクの信号を、中間周波数（IF: Intermediate Frequency）に変換し（ダウンコンバート）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。
【０２１９】
無線受信部１０５７は、変換したディジタル信号からガードインターバル（GI: Guard Interval）に相当する部分を除去する。無線受信部１０５７は、ガードインターバルを除去した信号に対して高速フーリエ変換（FFT: Fast Fourier Transform）を行い、周波数領域の信号を抽出し多重分離部１０５５に出力する。
【０２２０】
多重分離部１０５５は、無線受信部１０５７から入力された信号をＰＵＣＣＨ、ＰＵＳＣＨ、ＵＬ  ＤＭＲＳ、ＳＲＳなどの信号に、それぞれ分離する。なお、この分離は、予め基地局装置１が決定して各端末装置２に通知した無線リソースの割り当て情報に基づいて行われる。また、多重分離部１０５５は、チャネル測定部１０９から入力された伝搬路の推定値から、ＰＵＣＣＨとＰＵＳＣＨの伝搬路の補償を行なう。また、多重分離部１０５５は、分離したＵＬ  ＤＭＲＳおよびＳＲＳをチャネル測定部１０９に出力する。
【０２２１】
復調部１０５３は、ＰＵＳＣＨを逆離散フーリエ変換（IDFT: Inverse Discrete Fourier Transform）し、変調シンボルを取得し、ＰＵＣＣＨとＰＵＳＣＨの変調シンボルそれぞれに対して、２位相偏移変調（BPSK: Binary Phase Shift Keying）、４相位相偏移変調（QPSK: Quadrature Phase Shift Keying）、１６値直交振幅変調（16QAM: 16 Quadrature Amplitude Modulation）、６４値直交振幅変調（64QAM: 64 Quadrature Amplitude Modulation）等の予め定められた、または基地局装置１が端末装置２各々に下りリンク制御情報で予め通知した変調方式を用いて受信信号の復調を行なう。
【０２２２】
復号化部１０５１は、復調したＰＵＣＣＨとＰＵＳＣＨの符号化ビットを、予め定められた符号化方式の、予め定められた、又は基地局装置１が端末装置２に上りリンクグラント（UL grant）で予め通知した符号化率で復号を行ない、復号したデータ情報と、上りリンク制御情報を上位層処理部１０１へ出力する。
【０２２３】
チャネル測定部１０９は、多重分離部１０５５から入力された上りリンク復調参照信号ＵＬ  ＤＭＲＳとＳＲＳから伝搬路の推定値、チャネルの品質などを測定し、多重分離部１０５５および上位層処理部１０１に出力する。また、チャネル測定部１０９は、第１の信号から第ｎの信号の受信電力および／または受信品質を測定し、多重分離部１０５５および上位層処理部１０１に出力する。
【０２２４】
送信部１０７は、制御部１０３から入力された制御信号に従って、下りリンクの参照信号（下りリンク参照信号）を生成し、上位層処理部１０１から入力されたデータ情報、下りリンク制御情報を符号化、および変調し、ＰＤＣＣＨ（ＥＰＤＣＣＨ）、ＰＤＳＣＨ、および下りリンク参照信号を多重して、送受信アンテナ１１１を介して端末装置２に下りリンク信号を送信する。
【０２２５】
また、送信部１０７は、ＴＤＤ方式が適用されたセルに属するある端末装置２に対して、複数のサブフレームセットまたは複数のＴＤＤ  ＵＬ／ＤＬ設定をセットした場合、下りリンク参照ＴＤＤ  ＵＬ／ＤＬ設定において示される下りリンクサブフレームに基づいて、下りリンク信号を送信する。または、送信部１０７は、ＳＩＢ１に含まれるＴＤＤ  ＵＬ／ＤＬ設定において示される下りリンクサブフレームに基づいて、下りリンク信号を送信する。
【０２２６】
符号化部１０７１は、上位層処理部１０１から入力された下りリンク制御情報、およびデータ情報を、ターボ符号化、畳み込み符号化、ブロック符号化等の符号化を行なう。変調部１０７３は、符号化ビットをＱＰＳＫ、１６ＱＡＭ、６４ＱＡＭ等の変調方式で変調する。下りリンク参照信号生成部１０７９は、基地局装置１を識別するためのセル識別子（Cell ID, Cell Identity, Cell Identifier, Cell Identification）などを基に予め定められた規則で求まる、端末装置２が既知の系列で下りリンク参照信号として生成する。多重部１０７５は、変調した各チャネルと生成した下りリンク参照信号を多重する。
【０２２７】
無線送信部１０７７は、多重した変調シンボルを逆高速フーリエ変換（IFFT: Inverse Fast Fourier Transform）して、ＯＦＤＭ方式の変調を行い、ＯＦＤＭ変調されたＯＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート）し、余分な周波数成分を除去し、電力増幅し、送受信アンテナ１１１に出力して送信する。
【０２２８】
送信部１０７は、各下りリンク信号（物理チャネル／物理信号）に対する系列を生成し、各下りリンク信号に対する送信電力をセットし、端末装置２へ送信する。その際、送信部１０７は、各無線フレームの初めに、各下りリンク信号に対する系列生成器を各下りリンク信号に対する初期値を用いて初期化する。なお、系列生成器には、擬似乱数系列生成器が含まれてもよい。また、系列生成器には、スクランブリング系列生成器が含まれてもよい。
【０２２９】
図２は、本実施形態に係る端末装置２の構成を示す概略ブロック図である。図示するように、端末装置２は、上位層処理部２０１、制御部２０３、受信部２０５、送信部２０７、チャネル測定部２０９、および、送受信アンテナ２１１、を含んで構成される。また、受信部２０５は、復号化部２０５１、復調部２０５３、多重分離部２０５５と無線受信部２０５７を含んで構成される。端末局装置２の受信処理は、上位層処理部２０１、制御部２０３、受信部２０５、送受信アンテナ２１１で行なわれる。また、送信部２０７は、符号化部２０７１、変調部２０７３、多重部２０７５と無線送信部２０７７を含んで構成される。また、端末装置２の送信処理は、上位層処理部２０１、制御部２０３、送信部２０７、送受信アンテナ２１１で行なわれる。
【０２３０】
上位層処理部２０１は、ユーザの操作等により生成された上りリンクのデータ情報を、送信部に出力する。また、上位層処理部２０１は、媒体アクセス制御（MAC: Medium Access Control）層、パケットデータ統合プロトコル（PDCP: Packet Data Convergence Protocol）層、無線リンク制御（RLC: Radio Link Control）層、無線リソース制御（RRC: Radio Resource Control）層の処理を行う。
【０２３１】
上位層処理部２０１は、自局の各種設定情報の管理を行なう。また、上位層処理部２０１は、上りリンクの各チャネルに配置する情報を生成し、送信部２０７に出力する。上位層処理部２０１は、基地局装置１からＰＤＣＣＨで通知された下りリンク制御情報、およびＰＤＳＣＨで通知された無線リソース制御情報に基づいて設定された上位層処理部２０１が管理する自局の各種設定情報に基づき、受信部２０５、および送信部２０７の制御を行うための制御情報を生成し、制御部２０３に出力する。
【０２３２】
また、上位層処理部２０１は、基地局装置１から通知された第１の設定に関する情報から第ｎの設定に関する情報に基づいて、各信号の種々のパラメータ（情報要素、ＲＲＣメッセージ）をセットする。また、それらのセットした情報を生成し、制御部２０３を介して、送信部２０７に出力する。
【０２３３】
上位層処理部２０１は、基地局装置１が報知しているＳＲＳを送信するための無線リソースを予約するサブフレームであるサウンディングサブフレーム（ＳＲＳサブフレーム、ＳＲＳ送信サブフレーム）、およびサウンディングサブフレーム内でＳＲＳを送信するために予約する無線リソースの帯域幅を示す情報、および、基地局装置１が端末装置２に通知したピリオディックＳＲＳを送信するサブフレームと、周波数帯域と、Ｐ−ＳＲＳのＣＡＺＡＣ系列に用いるサイクリックシフトの量と、を示す情報、および、基地局装置１が端末装置２に通知したＡ−ＳＲＳを送信する周波数帯域と、アピリオディックＳＲＳのＣＡＺＡＣ系列に用いるサイクリックシフトの量と、を示す情報を受信部２０５から取得する。
【０２３４】
上位層処理部２０１は、前記情報に従ってＳＲＳ送信の制御を行なう。具体的には、上位層処理部２０１は、前記ピリオディックＳＲＳに関する情報に従ってピリオディックＳＲＳを１回または周期的に送信するよう送信部２０７を制御する。また、上位層処理部２０１は、受信部２０５から入力されたＳＲＳリクエスト（ＳＲＳインディケータ）においてＡ−ＳＲＳの送信を要求された場合、アピリオディックＳＲＳに関する情報に基づいてＡ−ＳＲＳを予め定められた回数（例えば、１回）だけ送信する。
【０２３５】
上位層処理部２０１は、基地局装置１から送信される種々の上りリンク信号の送信電力制御に関する情報に基づいて、ＰＲＡＣＨ、ＰＵＣＣＨ、ＰＵＳＣＨ、Ｐ−ＳＲＳ、およびＡ−ＳＲＳの送信電力の制御を行なう。具体的には、上位層処理部２０１は、受信部２０５から取得した種々の上りリンク電力制御に関する情報に基づいて種々の上りリンク信号の送信電力を設定する。例えば、ＳＲＳの送信電力は、Ｐ０＿ＰＵＳＣＨ、αｃ、Ｐ−ＳＲＳ用の電力オフセットＰＳＲＳ＿ＯＦＦＳＥＴ（０）（第１の電力オフセット（pSRS-Offset））、Ａ−ＳＲＳ用の電力オフセットＰＳＲＳ＿ＯＦＦＳＥＴ（１）（第２の電力オフセット（pSRS-OffsetAp））、およびＰＵＳＣＨに対するＴＰＣコマンドに基づいて制御される。つまり、ＳＲＳの送信電力は、ＰＵＳＣＨの電力制御に基づいてセットされる。なお、上位層処理部２０１は、ＰＳＲＳ＿ＯＦＦＳＥＴに対してＰ−ＳＲＳかＡ−ＳＲＳかに応じて第１の電力オフセットか第２の電力オフセットかを切り替える。
【０２３６】
また、上位層処理部２０１は、Ｐ−ＳＲＳおよび／またはＡ−ＳＲＳに対して第３の電力オフセットが設定されている場合、第３の電力オフセットに基づいて送信電力をセットする。なお、第３の電力オフセットは、第１の電力オフセットや第２の電力オフセットよりも広い範囲で値が設定されてもよい。第３の電力オフセットは、Ｐ−ＳＲＳおよびＡ−ＳＲＳそれぞれに対して設定されてもよい。つまり、上りリンク電力制御に関する情報とは、種々の上りリンク物理チャネルの送信電力の制御に係るパラメータ（情報要素、ＲＲＣメッセージ）のことである。これらの情報の一部は、システムインフォメーションで送信されてもよい。また、これらの情報の一部は、上位層シグナリングで送信されてもよい。これらの情報の一部は、物理チャネル／物理信号で送信されてもよい。
【０２３７】
また、上位層処理部２０１は、条件に応じて、適宜、サービングセルｃに対する端末装置２の最大送信電力（ＰＣＭＡＸ，ｃ）を設定する。上位層処理部２０１は、上りリンク信号の送信電力を電力制御に関するパラメータの設定に基づいてセットするが、最大送信電力を超える場合があり、その際、上位層処理部２０１は、最大送信電力で上りリンク信号を送信するように送信部２０７へ指示する。つまり、算出した送信電力と最大送信電力を比較し、最大送信電力より低ければ、算出した送信電力で上りリンク信号を送信し、最大送信電力より高ければ、最大送信電力で上りリンク信号を送信する。
【０２３８】
また、上位層処理部２０１は、あるサービングセルおよびあるサブフレームにおいて、第１の上りリンク参照信号の送信電力と物理上りリンク共用チャネルの送信電力の合計が端末装置２に設定される最大送信電力（例えば、ＰＣＭＡＸ）を超える場合、物理上りリンク共用チャネルを送信するように、制御部２０３を介して送信部２０７に指示情報を出力する。また、上位層処理部２０１は、あるサービングセルおよびあるサブフレームにおいて、第１の上りリンク参照信号の送信電力と物理上りリンク制御チャネルの送信電力の合計が端末装置２に設定される最大送信電力を超える場合、物理上りリンク制御チャネルを送信するように、制御部２０３を介して送信部２０７に指示情報を出力する。
【０２３９】
また、上位層処理部２０１は、あるサービングセルおよびあるサブフレームにおいて、第２の上りリンク参照信号の送信電力と物理上りリンク共用チャネルの送信電力の合計が、端末装置２が設定する最大出力電力ＰＣＭＡＸ（UE total configure maximum output power）を超える場合、上りリンクデータ（ＵＬ−ＳＣＨ）を、ＰＵＳＣＨを用いて送信するように、制御部２０３を介して送信部２０７に出力する。また、上位層処理部２０１は、あるサービングセル（例えば、サービングセルｃ）およびあるサブフレーム（例えば、サブフレームｉ）において、第２の上りリンク参照信号の送信電力とＰＵＣＣＨの送信電力の合計が最大出力電力を超える場合、ＰＵＣＣＨを送信するように、制御部２０３を介して送信部２０７に出力する。また、上位層処理部２０１は、複数のサービングセルで同時に通信を行なう場合、最大出力電力ＰＣＭＡＸを超えないように各サービングセルで送信される上りリンク信号の送信電力を制御する。
【０２４０】
また、上位層処理部２０１は、同じタイミング（例えば、サブフレーム）で複数の物理チャネルの送信が生じる場合、種々の物理チャネルの優先度に応じて、種々の物理チャネルの送信電力を制御したり、種々の物理チャネルの送信を制御したりすることもできる。上位層処理部２０１は、制御部２０３を介してその制御情報を送信部２０７に出力する。
【０２４１】
また、上位層処理部２０１は、複数のサービングセルまたは複数のサービングセルそれぞれに対応する複数のコンポーネントキャリア（複数のセル）を用いるキャリアアグリゲーション（セルアグリゲーション）を行なう場合、物理チャネルの優先度に応じて、種々の物理チャネルの送信電力を制御したり、種々の物理チャネルの送信を制御したりすることもできる。また、上位層処理部２０１は、セルの優先度に応じて、該セルから送信される種々の物理チャネルの送信制御を行なってもよい。上位層処理部２０１は、制御部２０３を介してその制御情報を送信部２０７に出力する。
【０２４２】
上位層処理部２０１は、基地局装置１から通知された上りリンク参照信号の設定に関する情報に基づいて上りリンク参照信号の生成等を行なうように制御部２０３を介して送信部２０７に指示情報を出力する。つまり、上位層処理部２０１は、制御部２０３を介して、上りリンク参照信号の設定に関する情報を上りリンク参照信号生成部２０７９へ出力する。
【０２４３】
上位層処理部２０１は、端末装置２がＰＵＳＣＨとＰＵＣＣＨの同時送信を行なう機能をサポートしている場合、その機能情報を、送信部２０７を介して、基地局装置１へ送信する。
【０２４４】
上位層処理部２０１は、ＰＵＣＣＨフォーマット３に対するリソースに関するパラメータを設定した場合、ＰＵＣＣＨフォーマット３を用いた通信を行なうことができることを、制御部２０３を介して、送信部２０７へ出力する。
【０２４５】
上位層処理部２０１は、端末装置２がＰＵＣＣＨフォーマット１ｂの送信ダイバーシティのチャネル選択を行なう機能をサポートしている場合、その機能情報を、送信部２０７を介して、基地局装置１へ送信する。
【０２４６】
上位層処理部２０１は、端末装置２がマルチＡＣＫとＣＳＩ報告を行なう機能をサポートしている場合、その機能情報を、送信部２０７を介して、基地局装置１へ送信する。
【０２４７】
上位層処理部２０１は、端末装置２がマルチＣＳＩ報告を行なう機能をサポートしている場合、その機能情報を、送信部２０７を介して、基地局装置１へ送信する。
【０２４８】
制御部２０３は、上位層処理部２０１からの制御情報に基づいて、受信部２０５、および送信部２０７の制御を行なう制御信号を生成する。制御部２０３は、生成した制御信号を受信部２０５および送信部２０７に出力して、受信部２０５および送信部２０７の制御を行なう。
【０２４９】
受信部２０５は、制御部２０３から入力された制御信号に従って、送受信アンテナ２１１を介して基地局装置１から受信した受信信号を、分離、復調、復号し、復号した情報を上位層処理部２０１に出力する。
【０２５０】
また、受信部２０５は、ＳＩＢ１に含まれるＴＤＤ  ＵＬ／ＤＬ設定において示される下りリンクサブフレームに基づいて、下りリンク信号を受信する。
【０２５１】
受信部２０５は、第１の設定に関する情報および／または第２の設定に関する情報を受信するか否かによって、適切な受信処理を行なう。例えば、第１の設定に関する情報または第２の設定に関する情報のうち、何れか一方を受信している場合には、受信した下りリンク制御情報フォーマットから第１の制御情報フィールドを検出し、第１の設定に関する情報および第２の設定に関する情報を受信している場合には、受信した下りリンク制御情報フォーマットから第２の制御情報フィールドを検出する。
【０２５２】
無線受信部２０５７は、各受信アンテナを介して受信した下りリンクの信号を、中間周波数に変換し（ダウンコンバート）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部２０５７は、変換したディジタル信号からガードインターバルに相当する部分を除去し、ガードインターバルを除去した信号に対して高速フーリエ変換を行い、周波数領域の信号を抽出する。
【０２５３】
多重分離部２０５５は、抽出した信号を物理下りリンク制御チャネル（PDCCH: Physical Downlink Control Channel）、ＰＤＳＣＨ、および下りリンク参照信号（DRS: Downlink Reference Signal）に、それぞれ分離する。なお、この分離は、下りリンク制御情報で通知された無線リソースの割り当て情報などに基づいて行われる。また、多重分離部２０５５は、チャネル測定部２０９から入力された伝搬路の推定値から、ＰＤＣＣＨとＰＤＳＣＨの伝搬路の補償を行なう。また、多重分離部２０５５は、分離した下りリンク参照信号をチャネル測定部２０９に出力する。
【０２５４】
復調部２０５３は、ＰＤＣＣＨに対して、ＱＰＳＫ変調方式の復調を行ない、復号化部２０５１へ出力する。復号化部２０５１は、ＰＤＣＣＨの復号を試み、復号に成功した場合、復号した下りリンク制御情報を上位層処理部２０１に出力する。復調部２０５３は、ＰＤＳＣＨに対して、ＱＰＳＫ、１６ＱＡＭ、６４ＱＡＭ等の下りリンク制御情報で通知された変調方式の復調を行ない、復号化部２０５１へ出力する。復号化部２０５１は、下りリンク制御情報で通知された符号化率に対する復号を行い、復号したデータ情報を上位層処理部２０１へ出力する。
【０２５５】
チャネル測定部２０９は、多重分離部２０５５から入力された下りリンク参照信号から下りリンクのパスロスを測定し、測定したパスロスを上位層処理部２０１へ出力する。また、チャネル測定部２０９は、下りリンク参照信号から下りリンクの伝搬路の推定値を算出し、多重分離部２０５５へ出力する。
【０２５６】
また、チャネル測定部２０９は、上位層処理部２０１から制御部２０３を介して通知された測定に関する種々の情報、測定報告に関する種々の情報に従って、第１の信号および／または第２の信号の受信電力測定や受信品質測定を行なう。その結果を上位層処理部２０１に出力する。
【０２５７】
また、チャネル測定部２０９は、第１の信号および／または第２の信号のチャネル評価を行なうことを指示された場合、それぞれの信号のチャネル評価に関する結果を上位層処理部２０１に出力してもよい。ここで、第１の信号や第２の信号は、参照信号（パイロット信号、パイロットチャネル、基準信号）であり、第１の信号や第２の信号の他に第３の信号や第４の信号があってもよい。つまり、チャネル測定部２０９は、１つ以上の信号のチャネルを測定する。また、チャネル測定部２０９は、上位層処理部２０１から、制御部２０３を介して、通知された制御情報に従って、チャネル測定を行なう信号を設定する。
【０２５８】
また、チャネル測定部２０９は、ＴＤＤ方式において、複数のサブフレームセットまたは複数のＴＤＤ  ＵＬ／ＤＬ設定がセットされる場合、下りリンク参照ＴＤＤ  ＵＬ／ＤＬ設定において示される下りリンクサブフレームに基づいて、下りリンク信号（ＣＲＳやＣＳＩ−ＲＳなど）を測定する。
【０２５９】
送信部２０７は、制御部２０３から入力された制御信号（制御情報）に従って、上りリンク復調参照信号（ＵＬ  ＤＭＲＳ）および／またはサウンディング参照信号（ＳＲＳ）を生成し、上位層処理部２０１から入力されたデータ情報を符号化および変調し、ＰＵＣＣＨ、ＰＵＳＣＨ、および生成したＵＬ  ＤＭＲＳおよび／またはＳＲＳを多重し、ＰＵＣＣＨ、ＰＵＳＣＨ、ＵＬ  ＤＭＲＳ、およびＳＲＳの送信電力を調整し、送受信アンテナ２１１を介して基地局装置１に送信する。
【０２６０】
また、送信部２０７は、上位層処理部２０１から測定結果に関する情報が出力された場合、送受信アンテナ２１１を介して基地局装置１に送信する。また、送信部２０７は、上位層処理部２０１からチャネル評価に関する結果であるチャネル状態情報が出力された場合、そのチャネル状態情報を基地局装置１へフィードバックする。つまり、上位層処理部２０１は、チャネル測定部２０９から通知された測定結果に基づいてチャネル状態情報（ＣＳＩ、ＣＱＩ、ＰＭＩ、ＲＩ）を生成し、制御部２０３を介して基地局装置１へフィードバックする。送信部２０７は、受信部２０５において、所定のグラント（または所定の下りリンク制御情報フォーマット）が検出されると、所定のグラントに対応する上りリンク信号はグラントを検出したサブフレームから所定のサブフレーム以降の最初の上りリンクサブフレームで送信される。例えば、受信部２０５において、サブフレームｉでグラントを検出すると、送信部２０７は、サブフレームｉ＋ｋ以降の最初の上りリンクサブフレームで上りリンク信号を送信する。ここで、ｋは所定の値であってもよい。また、ｋはテーブルによって管理されてもよい。
【０２６１】
また、送信部２０７は、上りリンク信号の送信サブフレームがサブフレームｉである場合、サブフレームｉ−ｋで受信した送信電力制御コマンドを用いて上りリンク信号の送信電力を設定する。ここで、ｋは所定の値であってもよい。また、ｋはテーブルによって管理されてもよい。また、ｋは送信サブフレームと関連付けられてもよい。
【０２６２】
送信部２０７は、受信部２０５において第１の設定に関する情報または第２の設定に関する情報のうち、何れか一方を受信し、第１の設定または第２の設定のうち、何れか一方がセットされる場合には、Ｐ−ＳＲＳおよびＡ−ＳＲＳの送信電力をＰＵＳＣＨの電力制御に用いられるパラメータに基づいてセットし、受信部２０５において第１の設定に関する情報および第２の設定に関する情報を受信し、第１の設定および第２の設定がセットされ、複数のサブフレームセットが設定される場合には、Ｐ−ＳＲＳの送信電力を第１のサブフレームセットまたは第２のサブフレームセットで送信されるＰＵＳＣＨの電力制御パラメータに基づいてセットし、Ａ−ＳＲＳを送信するサブフレームが第１のサブフレームセットに含まれる場合には、Ａ−ＳＲＳの送信電力を第１のサブフレームセットで送信されるＰＵＳＣＨの電力制御パラメータに基づいてセットし、第２のサブフレームセットで送信される場合には、Ａ−ＳＲＳの送信電力を第２のサブフレームセットで送信されるＰＵＳＣＨの電力制御パラメータに基づいてセットし、Ａ−ＳＲＳを送信する。
【０２６３】
送信部２０７は、複数のサブフレームセットが設定される場合、上りリンク信号を送信サブフレームがどのサブフレームセットに属しているかによって、送信電力制御パラメータセットを切り替えてもよい。
【０２６４】
送信部２０７は、同じサブフレームで複数のＣＳＩ報告が重複した場合、優先度の低いＣＳＩ報告をドロップする。
【０２６５】
送信部２０７は、同じサブフレームで異なるＰＵＣＣＨ報告タイプのＣＳＩ報告が重複した場合、優先度の低いＰＵＣＣＨ報告タイプのＣＳＩ報告をドロップする。
【０２６６】
送信部２０７は、異なるサービングセルにおいて、同じサブフレームで同じ優先度のＰＵＣＣＨ報告タイプのＣＳＩ報告が重複した場合、最も低いサービングセルインデックスを除くサービングセルに対するＣＳＩ報告をドロップする。この場合、最も低いサービングセルインデックスのサービングセルに対するＣＳＩ報告のみを行なう。
【０２６７】
送信部２０７は、送信モード１０が設定された場合、異なるサービングセルにおいて、同じサブフレームで同じ優先度のＰＵＣＣＨ報告タイプで異なるＣＳＩプロセスＩＤのＣＳＩプロセスに対応するＣＳＩ報告が重複した場合、最も低いＣＳＩプロセスインデックスを除くＣＳＩプロセスに対するＣＳＩ報告をドロップする。この場合、最も低いＣＳＩプロセスインデックスのＣＳＩプロセスに対するＣＳＩ報告のみを行なう。
【０２６８】
送信部２０７は、送信モード１〜９が設定されたサービングセルに対するＣＳＩ報告と送信モード１０が設定されたサービングセルに対するＣＳＩ報告が同じ優先度のＰＵＣＣＨ報告タイプで同じサブフレームで衝突する場合、異なるサービングセルのＣＳＩプロセスＩＤ＞１のＣＳＩプロセスに対応するＣＳＩ報告をドロップする。
【０２６９】
送信部２０７は、送信モード１〜９が設定されたあるサービングセルに対するＣＳＩ報告と送信モード１０が設定された異なるサービングセルのＣＳＩプロセスＩＤ＝１のＣＳＩプロセスに対するＣＳＩ報告が同じ優先度のＰＵＣＣＨ報告タイプで同じサブフレームで衝突する場合、最も高いサービングセルインデックスのサービングセルに対するＣＳＩ報告をドロップする。
【０２７０】
送信部２０７は、特定のＰＵＣＣＨ報告タイプのＣＳＩ報告は、第２のＰＵＣＣＨリソースで送信される。また、第２のＰＵＣＣＨリソースは、上位層処理部２０１によって、設定される。
【０２７１】
送信部２０７は、ＰＵＳＣＨとＰＵＣＣＨの同時送信が端末装置２に設定されていなければ、もしくは、ＰＵＳＣＨとＰＵＣＣＨの同時送信が端末装置２に設定され、ＰＵＳＣＨの送信を行なわなければ、同じサブフレームでＣＳＩとポジティブＳＲ間の衝突が生じる場合、ＣＳＩをドロップする。
【０２７２】
送信部２０７は、複数のＡＣＫ（マルチＡＣＫ）とＣＳＩ報告が端末装置２に設定されていれば、ＰＵＣＣＨフォーマット３を用いて、マルチセルに対するＡＣＫおよびＰ−ＣＳＩ報告
【０２７３】
送信部２０７は、複数のＣＳＩ報告（マルチＣＳＩ報告）が端末装置２に設定されていれば、複数のＣＳＩ報告が重複した場合、ＰＵＣＣＨフォーマット３を用いて、送信する。なお、複数のＣＳＩ報告は、複数のサブフレームセットに対するＣＳＩであってもよい。複数のＣＳＩ報告は、複数のサービングセルに対するＣＳＩ報告であってもよい。複数のＣＳＩ報告は、複数のサービングセルおよび／または複数のサブフレームセットに対するＣＳＩ報告であってもよい。複数のＣＳＩ報告は、１つのサービングセルおよび／または１つのサブフレームセットにおける複数のＰＵＣＣＨ報告タイプに対するＣＳＩ報告であってもよい。ここで、各サブフレームセットに対するＣＳＩ報告が同じサブフレームに生じなかった場合、それぞれのＣＳＩ報告は、ＰＵＣＣＨフォーマット２を用いて、行なわれてもよい。すなわち、この場合、それぞれのＣＳＩ報告は、ＰＵＣＣＨフォーマット３を用いて、送信されなくてもよい。
【０２７４】
送信部２０７は、マルチＣＳＩプロセスが端末装置２に設定されていれば、複数のＣＳＩ報告が重複した場合、ＰＵＣＣＨフォーマット３を用いて、複数のＣＳＩプロセスそれぞれに対するＣＳＩ報告を行なう。
【０２７５】
送信部２０７は、マルチＣＳＩプロセスが端末装置２に設定されていれば、複数のＣＳＩ報告が重複した場合、同じサブフレームでＰＵＳＣＨ送信が生じていれば、ＰＵＳＣＨで複数のＣＳＩプロセスそれぞれに対するＣＳＩ報告を行なう。
【０２７６】
送信部２０７は、ＰＵＣＣＨフォーマット毎に仮想セルＩＤが設定された場合、送信するＰＵＣＣＨフォーマットに応じて、各ＰＵＣＣＨフォーマットに使われる系列を、仮想セルＩＤに基づいて設定してもよい。
【０２７７】
符号化部２０７１は、上位層処理部２０１から入力された上りリンク制御情報、およびデータ情報を、ターボ符号化、畳み込み符号化、ブロック符号化等の符号化を行う。変調部２０７３は、符号化部２０７１から入力された符号化ビットをＢＰＳＫ、ＱＰＳＫ、１６ＱＡＭ、６４ＱＡＭ等の変調方式で変調する。
【０２７８】
上りリンク参照信号生成部２０７９は、上りリンク参照信号の設定に関する情報に基づいて上りリンク参照信号を生成する。つまり、上りリンク参照信号生成部２０７９は、基地局装置１を識別するためのセル識別子、上りリンク復調参照信号、第１の上りリンク参照信号、第２の上りリンク参照信号を配置する帯域幅などを基に予め定められた規則で求まる、基地局装置１が既知のＣＡＺＡＣ系列を生成する。また、上りリンク参照信号生成部２０７９は、制御部２０３から入力された制御信号に従って、生成した上りリンク復調参照信号、第１の上りリンク参照信号、第２の上りリンク参照信号のＣＡＺＡＣ系列にサイクリックシフトを与える。
【０２７９】
上りリンク参照信号生成部２０７９は、上りリンク復調参照信号および／またはサウンディング参照信号、上りリンク参照信号の基準系列を所定のパラメータに基づいて初期化してもよい。所定のパラメータは各参照信号で同じパラメータであってもよい。また、所定のパラメータは各参照信号に独立に設定されたパラメータであってもよい。つまり、上りリンク参照信号生成部２０７９は、独立に設定されたパラメータがなければ、同じパラメータに基づく初期値で各参照信号の基準系列を初期化することができる。ここで、基準系列を初期化するとは、基準系列に対する系列生成器を初期化することが含まれてもよい。
【０２８０】
多重部２０７５は、制御部２０３から入力された制御信号に従って、ＰＵＳＣＨの変調シンボルを並列に並び替えてから離散フーリエ変換（DFT: Discrete Fourier Transform）し、ＰＵＣＣＨとＰＵＳＣＨの信号と生成したＵＬ  ＤＭＲＳおよびＳＲＳを多重する。
【０２８１】
無線送信部２０７７は、多重した信号を逆高速フーリエ変換して、ＳＣ−ＦＤＭＡ方式の変調を行ない、ＳＣ−ＦＤＭＡ変調されたＳＣ−ＦＤＭＡシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数（無線周波数）の信号に変換（アップコンバート）し、余分な周波数成分を除去し、電力増幅し、送受信アンテナ２１１に出力して送信する。
【０２８２】
ＰＵＳＣＨの電力制御に用いられるパラメータには、ＰＵＳＣＨの電力レベルに関するパラメータ（ＰＯ＿ＮＯＭＩＮＡＬ＿ＰＵＳＣＨ、ＰＯ＿ＵＥ＿ＰＵＳＣＨ）が含まれてもよい。また、ＰＵＳＣＨの電力制御に用いられるパラメータには、伝搬路損失補償係数αｃが含まれてもよい。また、ＰＵＳＣＨの電力制御に用いられるパラメータには、ＴＰＣコマンドによる電力調整値（電力補正値）が含まれてもよい。
【０２８３】
送信部２０７は、各上りリンク信号（物理チャネル／物理信号）に対する系列を生成し、各上りリンク信号に対する送信電力をセットし、基地局装置１へ送信する。その際、送信部２０７は、各無線フレームの初めに、各上りリンク信号に対する系列生成器を各上りリンク信号に対する初期値を用いて初期化する。なお、系列生成器には、擬似乱数系列生成器（Pseudo-random sequence generator）が含まれてもよい。また、系列生成器には、スクランブリング系列生成器（scrambling sequence generator）が含まれてもよい。
【０２８４】
本発明の実施形態において、基地局装置１は、複数のサブフレームセットが設定される端末装置２に対して、同じＤＣＩフォーマットに各サブフレームセットに対応しているＴＰＣコマンドをセットして送信してもよい。また、基地局装置１は、複数のサブフレームセットが設定される端末装置２に対して、同じ種類のＤＣＩフォーマットの第１のサブフレームセットに対応しているＴＰＣコマンドフィールドを第２のサブフレームセットに対応するＴＰＣコマンドフィールドとしてセットして送信してもよい。つまり、基地局装置１は、第１のサブフレームセットに対応しているＴＰＣコマンドフィールドから第２のサブフレームセットに対応しているＴＰＣコマンドフィールドに入れ替えて送信してもよい。つまり、第１のサブフレームセットに対応するＴＰＣコマンドフィールドと第２のサブフレームセットに対応するＴＰＣコマンドフィールドは、同じフィールドとして共有されてもよい。また、基地局装置１は、複数のサブフレームセットが設定される端末装置２に対して、一部の制御情報フィールドを第２のサブフレームセットに対応しているＴＰＣコマンドフィールドとしてセットして送信してもよい。端末装置２は、基地局装置１が設定したＤＣＩフォーマットから第２のサブフレームセットに対応しているＴＰＣコマンドフィールドを検出することができる。なお、第２のサブフレームセットに対応しているＴＰＣコマンドを適用できるか否かは、第１の設定に関する情報および第２の設定に関する情報とは異なる制御情報で示されてもよい。
【０２８５】
本発明の実施形態において、基地局装置１は、端末装置２に対して、電力制御に関するパラメータの設定を複数セットしてもよい。複数セットされるパラメータは、セル固有にセットされるパラメータであってもよい。また、複数セットされるパラメータは、端末装置固有にセットされるパラメータであってもよい。また、複数セットされるパラメータは、セル固有にセットされるパラメータおよび端末固有にセットされるパラメータであってもよい。また、同じ種類のパラメータが複数セットされるパラメータは、セル固有にセットされるパラメータまたは端末固有にセットされるパラメータに含まれる特定のパラメータであってもよい。例えば、電力制御に関するパラメータの設定は、ＰＵＳＣＨの送信電力やＰＵＣＣＨの送信電力、ＳＲＳの送信電力を制御するためのパラメータまたはパラメータセットを少なくとも１つは含まれてもよい。また、電力制御に関するパラメータの設定は、ＰＤＳＣＨの送信電力やＰＤＣＣＨの送信電力、ＣＲＳの送信電力、ＣＳＩ−ＲＳの送信電力、ＤＬ  ＤＭＲＳの送信電力を制御するためのパラメータまたはパラメータセットを少なくとも１つは含まれてもよい。つまり、第２の電力制御に関するパラメータの設定にセットされていないパラメータは、第１の電力制御に関するパラメータの設定にセットされているパラメータを代用してもよい。第２の電力制御に関するパラメータの設定にセットされていないパラメータは、デフォルト値を用いてもよい。
【０２８６】
例えば、第１の電力制御と第２の電力制御で異なる電力制御は、異なるセル固有の電力制御に関するパラメータ（セット）を切り替えて、信号の電力を制御することである。また、異なる電力制御は、異なる端末固有の電力制御に関するパラメータ（セット）を切り替えて、信号の電力を制御することである。また、異なる電力制御は、異なるセル固有または端末固有の電力制御に関するパラメータ（セット）を切り替えて、信号の電力を制御することである。また、異なる電力制御は、異なるループでアキュムレーション送信電力制御を行なうことである。
【０２８７】
本発明の実施形態において、サブフレームセット毎に、後述の電力制御に関するパラメータが設定されてもよい。
【０２８８】
第１の上りリンク電力制御に関するパラメータの設定には、セル固有（セル内の端末装置間で共有）に設定されるパラメータの設定（上りリンク電力制御に関する共有パラメータの設定（UplinkPowerControlCommon））と端末装置毎に設定されるパラメータの設定（上りリンク電力制御に関する専用パラメータの設定（UplinkPowerControlDedicated））がある。共有パラメータの設定としては、セル固有に設定可能なＰＵＳＣＨ電力である標準ＰＵＳＣＨ電力（p0-NominalPUSCH）、フラクショナル送信電力制御の減衰係数（伝搬路損失補償係数）αｃ（alpha）、セル固有に設定可能なＰＵＣＣＨ電力である標準ＰＵＣＣＨ電力（p0-NominalPUCCH）、ＰＵＣＣＨフォーマット毎の電力調整値（電力オフセット）ΔＦ＿ＰＵＣＣＨは（deltaFList-PUCCH）、プリアンブルメッセージ３が送信される場合の電力調整値（電力オフセット）（deltaPreambleMsg3）がある。また、専用パラメータの設定としては、端末装置固有に設定可能なＰＵＳＣＨ電力である端末固有ＰＵＳＣＨ電力（p0-UE-PUSCH）、変調符号化方式による電力調整値Ｋｓを考慮するか否かを指示する情報（deltaMCS-Enabled）、アキュムレーション送信電力制御（ＴＰＣコマンドのアキュムレーション）を行なうか否かを指示する情報（accumulationEnabled）、端末装置固有に設定可能なＰＵＣＣＨ電力である端末固有ＰＵＣＣＨ電力（p0-UE-PUCCH）、ピリオディックＳＲＳおよびアピリオディックＳＲＳの電力オフセットＰＳＲＳ＿ＯＦＦＳＥＴ（pSRS-Offset、pSRS-OffsetAp）、参照信号の受信電力（RSRP: Reference Signal Received Power）のフィルタ係数（filterCoefficient）がある。これらの情報は、プライマリーセルに対して設定可能であるが、セカンダリーセルに対しても同様の設定を行なうことができる。さらに、セカンダリーセルに対する専用パラメータの設定では、プライマリーセルかセカンダリーセルのパスロス測定用参照信号を用いてパスロスの計算を行なうことを指示する情報（pathlossReferenceLinking）が含まれてもよい。
【０２８９】
また、第２の（プライマリーセルに対する）上りリンク電力制御に関する共有パラメータの設定または第２のセカンダリーセルに対する上りリンク電力制御に関する共有パラメータの設定に含まれるパラメータは、一つも含まれてなくてもよい。この場合には、基地局装置１は、解放を選択し、その共有パラメータの設定に関する情報を端末２へ送信する。また、第２の上りリンク電力制御に関する共有パラメータの設定でセットされなかったパラメータは、第１の上りリンク電力制御に関する共有パラメータの設定と同じ設定であってもよい。
【０２９０】
第１のプライマリーセル／セカンダリーセルに対する上りリンク電力制御に関する専用パラメータの設定には、パスロスを測定する下りリンク参照信号（下りリンク無線リソース）を指示するパスロス参照リソースが設定されてもよい。また、第２の（プライマリーセルに対する）上りリンク電力制御に関す専用パラメータの設定または第２のセカンダリーセルに対する上りリンク電力制御に関する専用パラメータの設定に含まれるパラメータは、一つも設定されていなくてもよい。この場合には、基地局装置１は、解放を選択し、その情報を端末装置２へ送信する。また、第２の上りリンク電力制御に関する専用パラメータの設定でセットされなかったパラメータは、第１の上りリンク電力制御に関する専用パラメータの設定と同じ設定であってもよい。つまり、第２の上りリンク電力制御に関する専用パラメータの設定においてパスロス参照リソースが設定されなかった場合には、第１の上りリンク電力制御に関する専用パラメータの設定で設定されているパスロス参照リソースに基づいてパスロスの計算を行なってもよい。
【０２９１】
なお、第１の上りリンク電力制御に関するパラメータの設定および第２の上りリンク電力制御に関するパラメータの設定は同じ情報要素または同じＲＲＣメッセージに含まれて端末装置２へ送信されてもよい。
【０２９２】
端末装置２に対して複数の上りリンク電力制御に関するパラメータの設定（例えば、第１の上りリンク電力制御に関するパラメータの設定および第２の上りリンク電力制御に関するパラメータの設定）がセットされる場合、第１の上りリンク電力制御に関するパラメータの設定は、第１のサブフレームセットで送信される上りリンク信号に対して適用され、第２の上りリンク電力制御に関するパラメータの設定は、第２のサブフレームセットで送信される上りリンク信号に対して適用されてもよい。また、端末装置２に対して複数の下りリンク電力制御に関するパラメータの設定（例えば、第１の下りリンク電力制御に関するパラメータの設定および第２の下りリンク電力制御に関するパラメータの設定）がセットされる場合、第１の下りリンク電力制御に関するパラメータの設定は、第１のサブフレームセットで送信される下りリンク信号に対して適用され、第２の下りリンク電力制御に関するパラメータの設定は、第２のサブフレームセットで送信される下りリンク信号に対して適用されてもよい。
【０２９３】
これら電力制御に関するパラメータの設定にセットされるパラメータのうち、少なくとも一つは、システムインフォメーションで端末装置２に送信されてもよい。これら電力制御に関するパラメータの設定にセットされるパラメータのうち、少なくとも一つは、上位層シグナリング（ＲＲＣシグナリング、Dedicated signaling）で端末装置２に送信されてもよい。これら電力制御に関するパラメータの設定にセットされるパラメータのうち、少なくとも一つは、物理チャネル（ＤＣＩフォーマット）で端末装置２に送信されてもよい。これら電力制御に関するパラメータの設定にセットされるパラメータのうち、少なくとも一つは、端末装置２にそのパラメータのデフォルトが設定されてもよい。
【０２９４】
第１の設定および第２の設定がそれぞれ、同じサブフレーム（１つのサブフレーム）に対して上りリンクサブフレームと下りリンクサブフレーム、または、下りリンクサブフレームとスペシャルサブフレーム、または、上りリンクサブフレームとスペシャルサブフレームのように、異なる種類のサブフレームが設定される場合、そのようなサブフレームをフレキシブルサブフレームと呼称する場合もある。つまり、フレキシブルサブフレームは、状況に応じて、異なる種類のサブフレームとして処理可能なサブフレームのことである。それに対し、固定サブフレームは、第１の設定および第２の設定で同じ種類のサブフレームが設定されるサブフレームのことである。例えば、サブフレームｉで第１の設定および第２の設定ともに上りリンクサブフレームを示す場合、サブフレームｉは固定サブフレームである。サブフレームｉで第１の設定および第２の設定が異なる種類のサブフレームを示す場合には、サブフレームｉはフレキシブルサブフレームである。複数の固定サブフレームと複数のフレキシブルサブフレームは、それぞれサブフレームセットとして設定されてもよい。
【０２９５】
サブフレームセット毎にＴＰＣコマンドによる送信電力制御（アキュムレーション送信電力制御、アブソリュート送信電力制御）を行なってもよい。その際、各サブフレームセットにおけるアキュムレーション送信電力制御は、各サブフレームセットに対応する上りリンク電力制御に関するパラメータの設定に含まれる端末装置２毎に設定される物理チャネル（ＰＵＳＣＨ、ＰＵＣＣＨ）の電力（p0-UE-PUSCH, p0-UE-PUCCH）が再設定（変更）される場合、アキュムレーションによる累算値（累積値、積算値、加算値）もリセット（初期化）されてもよい。また、各サブフレームセットに含まれる上りリンクサブフレームに対応する下りリンクサブフレームでランダムアクセスレスポンスメッセージを受信する場合、各サブフレームセットに対応するアキュムレーションの累算値をリセット（初期化）してもよい。端末装置２は、サブフレームセット毎にアキュムレーションによる累算値を独立にリセットしてもよい。
【０２９６】
ＴＰＣコマンドは上りリンクに関するグラント（上りリンクグラント）または下りリンクに関するグラント（下りリンクグラント）にセットされて、端末装置２へ送信される。上りリンクに関するグラント（上りリンクグラント）には、セミパーシステントグラント（Semi-persistent grant, semi-persistent scheduling grant）、ダイナミックスケジュールドグラント（Dynamic scheduled grant）、ランダムアクセスレスポンスグラント（Random Access Response grant）がある。
【０２９７】
セミパーシステントグラントは、周期的（定期的、準静的）なデータの送信を指示するために用いられる。ここで、セミパーシステントグラントとは、ＳＰＳ  Ｃ−ＲＮＴＩによってスクランブルされたＣＲＣパリティビットが付加されたＤＣＩフォーマットが含まれる。ダイナミックスケジュールドグラントは、ユーザデータの送信およびリソース割り当てを指示するために用いられる。ここで、ダイナミックスケジュールドグラントとは、Ｃ−ＲＮＴＩによってスクランブルされたＣＲＣパリティビットが付加されたＤＣＩフォーマットが含まれる。
【０２９８】
ランダムアクセスレスポンスグラントは、基地局装置１から送信されたランダムアクセスレスポンスに対してユーザ情報（端末装置２の情報）を含むデータの送信およびそのリソース割り当てを指示するために用いる。上述したように、ランダムアクセルレスポンスグラントには、コンテンションベースのランダムアクセスプロシージャにおけるランダムアクセスレスポンスグラントが含まれる。これらのデータの送信はＰＵＳＣＨを用いて行なわれる。つまり、これらのグラントは、ＰＵＳＣＨのリソース割り当ておよびＰＵＳＣＨの送信指示、ＰＵＳＣＨのスケジューリングを含んでいる。
【０２９９】
ここで、セミパーシステントグラントによるＰＵＳＣＨの送信の指示には、セミパーシステントグラントによってＰＵＳＣＨのリソース割り当てが指示されること、またはＰＵＳＣＨがスケジュールされることが含まれる。ダイナミックスケジュールドグラントによるＰＵＳＣＨの送信の指示には、ダイナミックスケジュールドグラントによってＰＵＳＣＨのリソース割り当てが指示されること、またはＰＵＳＣＨがスケジュールされることが含まれる。ランダムアクセスレスポンスグラントによるＰＵＳＣＨの送信の指示には、ランダムアクセスレスポンスグラントによってＰＵＳＣＨのリソース割り当てが指示されることまたはＰＵＳＣＨがスケジュールされることが含まれる。つまり、各グラントにおけるＰＵＳＣＨの送信の指示とは、各グラントに対応するＰＵＳＣＨのリソース割り当てが指示されること、またはＰＵＳＣＨがスケジュールされることを含む。
【０３００】
例えば、端末装置２は、受信した情報に基づいて第１の設定または第２の設定の何れか一方のみがセットされる場合、ダイナミックスケジュールドグラントによってＰＵＳＣＨがスケジュールされると、第１の電力制御（第１の電力制御方法）に基づいて前記ＰＵＳＣＨの送信電力はセットされ、第１の設定および第２の設定の両方がセットされる場合、ダイナミックスケジュールドグラントによってＰＵＳＣＨがスケジュールされると、第２の電力制御（第２の電力制御方法）に基づいてＰＵＳＣＨの送信電力はセットされる。この際、同じグラントによってＳＲＳの送信が要求される（ポジティブＳＲＳリクエストを検出する）場合、ＰＵＳＣＨに適用される電力制御に基づいてＳＲＳの送信電力はセットされる。また、セミパーシステントグラントによってＰＵＳＣＨがスケジュールされる場合もそのＰＵＳＣＨの送信電力は同様の処理を行なってセットされてもよい。これらの電力制御に関するパラメータの設定は、サブフレームセット毎に設定されてもよい。これらの電力制御に関するパラメータの設定は、サービングセル毎に設定されてもよい。一部のパラメータは、サブフレームセット間またはサービングセル間で共有されてもよい。端末装置２は、サブフレームセットの設定に、電力制御ＩＤが含まれている場合、そのサブフレームセットで送受信するサブフレームは、その電力制御ＩＤと対応付けられた電力制御に関するパラメータの設定に基づいて送信電力および／または受信電力をセットする。端末装置２は、サブフレームセットと電力制御ＩＤが対応付けられている場合には、その電力制御に関するパラメータの設定に基づいて電力をセットする。
【０３０１】
また、ランダムアクセスレスポンスグラントによってスケジュールされるＰＵＳＣＨの送信電力は、受信した情報に基づいて第１の設定または第２の設定の何れか一方がセットされる場合、第３の電力制御（第３の電力制御方法）に基づいて設定され、受信した情報に基づいて第１の設定および第２の設定の両方が設定される場合であっても、第３の電力制御に基づいて設定される。つまり、この場合、端末装置２はセットした設定に因らず、共通の電力制御を行なう。
【０３０２】
なお、第１の電力制御に関するパラメータの設定、第２の電力制御に関するパラメータの設定、第３の電力制御に関するパラメータの設定およびそのパラメータの設定に含まれる種々のパラメータは、それぞれ独立にセットされてもよい。また、第３の電力制御に関するパラメータの設定は、ランダムアクセスチャネルの設定に含まれてもよい。  
【０３０３】
ランダムアクセスレスポンスグラントに対応する上りリンク信号の送信電力制御に関する情報には、独立なパラメータ（preambleInitialReceivedTargetPower（ＰＯ＿ＰＲＥ）、ΔＰＲＥＡＭＢＬＥ＿Ｍｓｇ３）が設定されてもよい。また、ランダムアクセスレスポンスグラントに対応する上りリンク送信電力には、専用のＴＰＣコマンド（δｍｓｇ２）が適用されてもよい。また、これらのパラメータはサブフレームセット毎に設定されてもよい。
【０３０４】
ランダムアクセスレスポンスグラントに対応する上りリンク信号の電力制御に関する情報が独立に複数セットされる場合、他のグラントに対応する上りリンク信号の電力制御と同様に処理してもよい。
【０３０５】
すなわち、受信したグラントの種類に応じて、１つの電力制御を処理するのか２つの電力制御を処理するのかを切り替えられる。
【０３０６】
なお、本発明の実施形態において、第１の設定と第２の設定の両方がセットされているか否かによって、２つの電力制御方法を切り替えられるグラントと第１の設定と第２の設定の両方がセットされているか否かに因らず同一の電力制御方法が適用されるグラントがある。干渉を考慮して適切な電力制御を行なうグラントと干渉を考慮せずに電力制御を行なうグラントを分けることができる。
【０３０７】
第１の設定または第２の設定の何れか一方がセットされた端末装置２、または、１つのサービングセルに対して、複数のサブフレームセットが設定される端末装置２は、ダイナミックスケジュールドグラントまたはセミパーシステントグラントによって上りリンク信号がスケジュールされると、第１の電力制御方法に基づいて上りリンク信号の送信電力をセットし、第１の設定および第２の設定の両方がセットされた端末装置２は、ダイナミックスケジュールドグラントまたはセミパーシステントグラントによって上りリンク信号がスケジュールされると、第２の電力制御方法に基づいて上りリンク信号の送信電力をセットする。また、端末装置２は、ランダムアクセスレスポンスグラントによって上りリンク信号がスケジュールされると、セットされた設定に因らず、常に第３の電力制御方法に基づいて上りリンク信号の送信電力をセットする。
【０３０８】
なお、本発明の実施形態において、第１の設定および第２の設定がセットされる場合、または、１つのサービングセルにおいて、複数のサブフレームセットが設定される場合、端末装置２は、ランダムアクセスレスポンスメッセージを受信すると、第１の上りリンク電力制御および／または第２の上りリンク電力制御に含まれるＴＰＣコマンドによるアキュムレーションの累算値をリセット（初期化）してもよい。また、端末装置２に対して、第１の上りリンク電力制御に関する情報および第２の上りリンク電力制御に関する情報にそれぞれ端末装置固有の電力パラメータ（ＰＯ＿ＵＥ＿ＰＵＳＣＨ、ＰＯ＿ＵＥ＿ＰＵＣＣＨ）が設定されている場合、それらの電力パラメータが上位層によって再設定（値が変更）されると、それぞれの上りリンク電力制御に含まれるＴＰＣコマンドによる電力補正値のアキュムレーションの累算値はリセット（初期化）されてもよい。ＴＰＣコマンドのアキュムレーションによって得られた累算値を電力調整値と呼称してもよい。
【０３０９】
ここで、ランダムアクセスレスポンスグラントによってスケジュールされる上りリンク信号の送信電力制御が第１のサブフレームセットおよび第２のサブフレームセット、すなわち、複数のサブフレームセットで共通である場合、端末装置２は、ランダムアクセスレスポンスメッセージを受信すると、アキュムレーションによる累算値をリセットする。つまり、第１の上りリンク電力制御および第２の上りリンク電力制御で独立にアキュムレーションによる電力制御が行なわれていたとしても、アキュムレーションによる累算値はリセットされてもよい。
【０３１０】
また、第１の電力制御に関する情報および第２の電力制御に関する情報で端末固有の電力パラメータ（ＰＯ＿ＵＥ＿ＰＵＳＣＨ、ＰＯ＿ＵＥ＿ＰＵＣＣＨ）が共通である場合、端末固有の電力パラメータが再設定（値が変更）されると、アキュムレーションによる累算値をリセットする。つまり、第１の電力制御および第２の電力制御で独立にアキュムレーションによる電力制御が行なわれていたとしても、アキュムレーションによる累算値はリセットされてもよい。
【０３１１】
端末装置２は、第１の設定および第２の設定の両方がセットされる場合、セミパーシステントグラントによってＰＵＳＣＨがスケジュールされると、ＰＵＳＣＨの送信サブフレームが固定サブフレーム（第１のサブフレーム）であれば、すなわち、固定サブフレームに対してＰＵＳＣＨがスケジュールされていれば、第１の電力制御に関する情報に設定されているパラメータ（例えば、ＰＯ＿ＮＯＭＩＮＡＬ＿ＰＵＳＣＨ、ＰＯ＿ＵＥ＿ＰＵＳＣＨ）に基づいてセミパーシステントグラントに対応するＰＵＳＣＨの送信電力をセットし、ＰＵＳＣＨの送信サブフレームがフレキシブルサブフレーム（第２のサブフレーム）であれば、すなわち、フレキシブルサブフレームに対してＰＵＳＣＨがスケジュールされていれば、第２の電力制御に関する情報にセットされているパラメータ（例えば、ＰＯ＿ＮＯＭＩＮＡＬ＿ＰＵＳＣＨ、ＰＯ＿ＵＥ＿ＰＵＳＣＨ）に基づいてセミパーシステントグラントに対応するＰＵＳＣＨの送信電力をセットする。
【０３１２】
端末装置２は、第１の設定および第２の設定の両方がセットされる場合、または、１つのサービングセルに対して複数のサブフレームセットが設定される場合、ダイナミックスケジュールドグラントによってＰＵＳＣＨがスケジュールされると、ＰＵＳＣＨの送信サブフレームが固定サブフレーム（第１のサブフレーム）であれば、すなわち、固定サブフレームに対してＰＵＳＣＨがスケジュールされていれば、第１の電力制御に関するパラメータの設定にセットされているパラメータ（例えば、ＰＯ＿ＮＯＭＩＮＡＬ＿ＰＵＳＣＨ、ＰＯ＿ＵＥ＿ＰＵＳＣＨ）に基づいてダイナミックスケジュールドグラントに対応するＰＵＳＣＨの送信電力をセットし、ＰＵＳＣＨの送信サブフレームがフレキシブルサブフレーム（第２のサブフレーム）であれば、すなわち、フレキシブルサブフレームに対してＰＵＳＣＨがスケジュールされていれば、第２の電力制御に関するパラメータの設定にセットされているパラメータ（例えば、ＰＯ＿ＮＯＭＩＮＡＬ＿ＰＵＳＣＨ、ＰＯ＿ＵＥ＿ＰＵＳＣＨ）に基づいてダイナミックスケジュールドグラントに対応するＰＵＳＣＨの送信電力をセットする。
【０３１３】
端末装置２は、第１の設定および第２の設定の両方がセットされる場合、ランダムアクセスレスポンスグラントによってＰＵＳＣＨがスケジュールされると、ＰＵＳＣＨの送信サブフレームが固定サブフレームまたはフレキシブルサブフレームに因らず、同一の電力制御に関するパラメータの設定にセットされているパラメータに基づいてランダムアクセスレスポンスグラントに対応しているＰＵＳＣＨの送信電力をセットする。
【０３１４】
端末装置２に対して、第１の設定および第２の設定がセットされる場合、共有探索領域（CSS: Common Search Space）で検出した下りリンク制御情報（ＤＣＩ）フォーマットで上りリンク信号がスケジュールされる場合と、端末装置固有探索領域（USS: UE specific Search Space）で検出した下りリンク制御情報フォーマットで上りリンク信号がスケジュールされる場合とで、独立な電力制御方法が適用されてもよい。つまり、端末装置２は、第１の設定および第２の設定の両方がセットされている場合、ＣＳＳで検出したＤＣＩフォーマットで上りリンク信号がスケジュールされると、第１の電力制御方法に基づいて上りリンク信号の送信電力を設定し、ＵＳＳで検出したＤＣＩフォーマットで上りリンク信号がスケジュールされると、第２の電力制御方法に基づいて上りリンク信号の送信電力を設定する。また、ＵＳＳで検出したＤＣＩフォーマットで上りリンク信号がスケジュールされると、第１の電力制御方法または第２の電力制御方法に基づいて上りリンク信号の送信電力を設定してもよい。
【０３１５】
また、ＵＳＳで検出されたＤＣＩフォーマットが第１のサブフレームセットに含まれる上りリンクサブフレームに対して上りリンク信号をスケジュールする場合と第２のサブフレームセットに含まれる上りリンクサブフレームに対して上りリンク信号をスケジュールする場合でＤＣＩフォーマットにセットされるＴＰＣコマンドによる送信電力制御（アキュムレーション送信電力制御、アブソリュート送信電力制御）は独立に行なわれてもよい。
【０３１６】
また、ＣＳＳで検出されたＤＣＩフォーマットが上りリンク信号をスケジュールしている場合には、第１のサブフレームセットおよび第２のサブフレームセットに因らず、共通の送信電力制御が行なわれてもよい。
【０３１７】
なお、本発明の実施形態において、端末装置２は、第１の設定または第２の設定の何れか一方がセットされる場合、第１のＤＣＩフォーマットによって上りリンク信号の送信が指示されると、第１の電力制御方法（または第２の電力制御方法）に基づいて上りリンク信号の送信電力をセットし、第１の設定および第２の設定の両方がセットされる場合、第１のサブフレームセットおよび第２のサブフレームセットを設定することができ、第１のサブフレームセットに含まれる上りリンクサブフレームに対して第１のＤＣＩフォーマットによって上りリンク信号の送信が指示されると、第１の電力制御方法に基づいて上りリンク信号の送信電力をセットし、第２のサブフレームセットに含まれる上りリンクサブフレームに対して第１のＤＣＩフォーマットによって上りリンク信号の送信が指示されると、第２の電力制御方法に基づいて上りリンク信号の送信電力をセットしてもよい。
【０３１８】
例えば、同一の上りリンクデータ（トランスポートブロック）に対するＰＵＳＣＨの再送信においては、ＰＵＳＣＨの再送信を指示するＤＣＩフォーマットに付加されているＣＲＣは、Ｃ−ＲＮＴＩを用いてスクランブルされている場合とＴｅｍｐｏｒａｒｙ  Ｃ−ＲＮＴＩを用いてスクランブルされている場合がある。ＣＲＣがＣ−ＲＮＴＩを用いてスクランブルされている場合、第１のサブフレームセットに含まれる上りリンクサブフレームにおいては、ＰＵＳＣＨの送信電力は、第１の電力制御方法に基づいてセットされ、第２のサブフレームセットに含まれる上りリンクサブフレームにおいては、ＰＵＳＣＨの送信電力は、第２の電力制御方法に基づいてセットされてもよい。ＣＲＣがＴｅｍｐｏｒａｒｙ  Ｃ−ＲＮＴＩを用いてスクランブルされている場合、第１のサブフレームセットに含まれる上りリンクサブフレームおよび第２のサブフレームセットに含まれる上りリンクサブフレームにおいては、ＰＵＳＣＨの送信電力は、同じ電力制御方法（例えば、第３の電力制御方法）に基づいてセットされてもよい。
【０３１９】
また、端末装置２は、再送信が指示されたＤＣＩフォーマットを検出する場合、サブフレームセットに因らず、同一の上りリンク電力制御方法に基づいて再送信する上りリンク信号の送信電力をセットしてもよい。
【０３２０】
Ｃ−ＲＮＴＩでスクランブルされたＣＲＣが付加されたＤＣＩフォーマットを含むＰＤＣＣＨ（ＥＰＤＣＣＨ）によって上りリンク信号（例えば、ＰＵＳＣＨ）の送信が指示される（上りリンク信号のリソースが割り当てられる）場合、上りリンク信号の送信が第１のサブフレームセットに含まれる上りリンクサブフレームであるとすると、上りリンク信号の送信電力は第１の電力制御方法に基づいてセットされ、上りリンク信号の送信が第２のサブフレームセットに含まれる上りリンクサブフレームであるとすると、上りリンク信号の送信電力は第２の電力制御方法に基づいてセットされる。この際、他の上りリンク信号（例えば、ＳＲＳ）の送信が指示される場合、他の上りリンク信号の送信電力は、上りリンク信号の送信電力と同じ電力制御方法に基づいてセットされる。また、Ｔｅｍｐｏｒａｒｙ  Ｃ−ＲＮＴＩでスクランブルされたＣＲＣが付加されたＤＣＩフォーマットを含むＰＤＣＣＨ（ＥＰＤＣＣＨ）によって上りリンク信号（例えば、ＰＵＳＣＨ）の送信が指示される場合、上りリンク信号の送信が第１のサブフレームセットに含まれる上りリンクサブフレームであるとすると、上りリンク信号の送信電力は第３の電力制御方法に基づいてセットされ、上りリンク信号の送信が第２のサブフレームセットに含まれる上りリンクサブフレームであるとすると、上りリンク信号の送信電力は第３の電力制御方法に基づいてセットされる。
【０３２１】
端末装置２は、複数の条件を満たすことにより、複数のサブフレームセットに対応する上りリンク信号の電力制御を共通の電力制御方法に基づいて行なう場合と独立な電力制御方法に基づいて行なう場合とを切り替えることができる。
【０３２２】
端末装置２は、特定の識別子に対しては、第１の設定および／または第２の設定がセットされるかによって、または、１つのサービングセルに対して、複数のサブフレームセットが設定されるかによって、電力制御方法を切り替えることができ、また別の識別子に対しては、第１の設定および／または第２の設定がセットされるか、または、複数のサブフレームセットが設定されるかに因らず、所定の電力制御方法に基づいて送信電力をセットする。
【０３２３】
端末装置２は、第１の設定および第２の設定の両方がセットされている場合、Ｃ−ＲＮＴＩを伴う上りリンク信号の送信を行なうとすると、第１のサブフレームセットに含まれる上りリンクサブフレームでは、第１の電力制御方法に基づいて上りリンク信号の送信電力をセットし、第２のサブフレームセットに含まれる上りリンクサブフレームでは、第２の電力制御方法に基づいて上りリンク信号の送信電力をセットしてもよい。Ｔｅｍｐｏｒａｒｙ  Ｃ−ＲＮＴＩを伴う上りリンク信号の送信を行なうとすると、第１のサブフレームセットまたは第２のサブフレームセットに因らず、共通の電力制御方法に基づいて上りリンク信号の送信電力をセットしてもよい。
【０３２４】
なお、本発明の実施形態において、受信処理は、検出処理（Detection）を含んでもよい。また、受信処理は、復調処理（Demodulation）を含んでもよい。また、受信処理は、復号処理（Decode, Decoding）を含んでもよい。
【０３２５】
なお、本発明の実施形態において、サブフレームセットは、例えば、１０サブフレームで構成される無線フレームにおいて、特定のサブフレームのグループのことを指してもよい。一例として、第１のサブフレームセットは、＃０、＃１、＃２、＃５、＃６、＃７のサブフレームで構成され、第２のサブフレームセットは、＃３、＃４、＃８、＃９のサブフレームで構成されてもよい。これらのサブフレームセットは、特定の情報に基づいて構成されてもよい。また、これらのサブフレームセットは、端末装置２に予め設定されてもよい。また、これらのサブフレームセットは、基地局装置１から端末装置２へ個別にダイナミックまたはセミスタティックに通知されてもよい。これらのサブフレームセットは、ＤＣＩフォーマットまたは上位層シグナリングで通知されてもよい。
【０３２６】
本発明の実施形態において、基地局装置１は、サブフレームセットを設定するためのサブフレーム設定に関する情報を端末装置２へ送信する。また、基地局装置１は、電力制御に関するパラメータの設定情報を端末装置２へ送信する。端末装置２は、サブフレーム設定に基づいて複数のサブフレームセットを設定する。また、端末装置２は、電力制御に関するパラメータの設定に基づいて、複数のサブフレームセットにそれぞれ対応する電力制御を行なう。
【０３２７】
本発明の実施形態において、端末装置２は、第１の設定および第２の設定に基づいて、第１のサブフレームセットと第２のサブフレームセットを設定してもよい。ここで、第１のサブフレームセットとは、第１の設定および第２の設定において、同じサブフレームで同じ種類のサブフレーム（上りリンクサブフレームと上りリンクサブフレーム、下りリンクサブフレームと下りリンクサブフレーム、スペシャルサブフレームとスペシャルサブフレーム）が設定されるサブフレームのセットのことであり、第２のサブフレームセットとは、第１の設定および第２の設定において、同じサブフレームで異なる種類のサブフレーム（下りリンクサブフレームと上りリンクサブフレーム、下りリンクサブフレームとスペシャルサブフレーム、上りリンクサブフレームとスペシャルサブフレーム）が設定されるサブフレームのセットのことである。例えば、第１の設定と第２の設定は、ＴＤＤ  ＵＬ／ＤＬ設定に基づいて設定されてもよい。
【０３２８】
本発明の実施形態において、第１の設定および第２の設定の両方がセットされる場合、端末装置２は、第１の設定に基づいて上りリンク信号を送信するサブフレーム（上りリンクサブフレーム）をセットし、第２の設定に基づいて下りリンク信号を受信するサブフレーム（下りリンクサブフレーム）をセットしてもよい。ここで、第１の設定によって上りリンクサブフレームと設定したサブフレームが第２の設定によって下りリンクサブフレームと設定したサブフレームと同じである場合、つまり、同一サブフレームで上りリンクサブフレームと下りリンクサブフレームの両方が設定されている場合、そのサブフレームをフレキシブルサブフレームと呼称する場合もある。フレキシブルサブフレームで上りリンク信号を送信する場合、その送信電力制御は、他の上りリンクサブフレームとは独立に行なわれてもよい。
【０３２９】
本発明の実施形態において、複数のコンポーネントキャリア（複数のサービングセル、複数のセル）を用いて通信を行なうキャリアアグリゲーション（セルアグリゲーション）を行なう場合、セル毎に複数のサブフレームセットが設定されてもよい。つまり、セル毎に設定されたサブフレームセットのサブフレームパターンはセル間で共有されなくてもよい。１つのサブフレームセットに関しては、セル間で共有されてもよい。
【０３３０】
本発明の実施形態において、サブフレームセットの設定は、１セットだけであってもよい。サブフレームセットの設定に含まれるサブフレームのセット（グループ）を第１のサブフレームセットとし、サブフレームセットの設定に含まれなかったサブフレームのセット（グループ）を第２のサブフレームセットとしてもよい。サブフレームセットの設定は、上位層シグナリングで基地局装置１から端末装置２へ通知されてもよい。サブフレームセットの設定にセットされているパラメータは上位層シグナリング（Ｌ３シグナリング、ＲＲＣシグナリング）で通知され、その設定を実際に適用するか否かはＤＣＩフォーマット（Ｌ１シグナリング）で通知されてもよい。
【０３３１】
なお、第１の設定および第２の設定に基づいて、第１のサブフレームセットおよび第２のサブフレームセットが設定される場合、上記の設定方法の他に、第１の設定と第２の設定の何れか一方に、ＴＤＤ  ＵＬ／ＤＬ設定に関する情報が含まれ、もう一方の情報には、フレキシブルサブフレームを指示する情報または固定サブフレームを指示する情報が含まれて設定される方法がある。なお、固定サブフレームを指示する情報とは、第１の設定において、フレキシブルサブフレームとして処理しないサブフレームを指示する情報である。また、特定の種類のサブフレームを指示する情報であってもよい。
【０３３２】
なお、第１の設定と第２の設定と、が同じ（または同じ設定を示す）場合、複数のサブフレームセットは構成されなくてもよい。
【０３３３】
端末装置２は、物理チャネルの種類に応じて送信する物理チャネル／物理信号の優先度が設定または事前に定義されてもよい。
【０３３４】
なお、本発明の実施形態では、端末装置２は、第２の下りリンク参照信号に基づく受信電力の測定結果を基地局装置１へ報告してもよい。端末装置２は、その報告を周期的に行なってもよい。また、端末装置２は、その報告をある条件を満たした場合に行なってもよい。
【０３３５】
なお、本発明の実施形態では、端末装置２は、第２の下りリンク参照信号に基づく受信電力を測定する場合、その受信電力に基づいて上りリンク信号の送信電力制御を行なってもよい。また、端末装置２は、下りリンクパスロスをその受信電力に基づいて決定してもよい。
【０３３６】
なお、本発明の実施形態では、端末装置２は、第１の上りリンク参照信号および／または第２の上りリンク参照信号の送信電力を含む種々の上りリンク信号の送信電力の合計が端末装置２に設定される最大出力電力（PCMAX: UE total configured maximum output power）を超える場合、第１の上りリンク参照信号および／または第２の上りリンク参照信号を送信しなくてもよい。
【０３３７】
なお、本発明の実施形態は、それぞれ組み合わせて実現されてもよい。例えば、第１の実施形態と第２の実施形態を組み合わせてもよい。また、第２の実施形態と第３の実施形態を組み合わせてもよい。また、基本形態と変形例を組み合わせてもよい。
【０３３８】
なお、本発明の実施形態では、実際に上りリンク信号を送信するサブフレームおよび／または下りリンク信号を受信するサブフレームを第１の設定および第２の設定とは独立にセットされるパラメータ（例えば、第３の設定）に基づいてセットされてもよい。
【０３３９】
なお、本発明の実施形態では、第１の設定および／または第２の設定は、システムインフォメーションブロックタイプ１（ＳＩＢ１）またはＲＲＣメッセージで通知されてもよい。また、第１の設定と第２の設定は、同じＳＩＢ１または同じＲＲＣメッセージで通知されてもよい。
【０３４０】
なお、本発明の実施形態では、第１の設定は、ＳＩＢ１で通知され、第２の設定は、Ｌ１シグナリングで通知されてもよい。
【０３４１】
なお、本発明の実施形態では、第１の設定および第２の設定は、同じＲＲＣメッセージまたは同じシステムインフォメーションまたは同じ情報要素に設定されてもよい。また、第１の設定および第２の設定は、異なるＲＲＣメッセージまたは異なるシステムインフォメーションまたは異なる情報要素に設定されてもよい。また、第１の設定と第２の設定は、異なるパラメータとして独立に設定されてもよい。また、第１の設定および／または第２の設定は、セミスタティックに通知されてもよい。また、第１の設定および／または第２の設定は、ダイナミックに通知されてもよい。
【０３４２】
ここで、本発明の実施形態において、第１の設定がシステムインフォメーションブロックタイプ１（ＳＩＢ１）またはＲＲＣメッセージで通知されるＴＤＤ  ＵＬ／ＤＬ設定である場合、第２の設定は、以下のような設定であってもよい。例えば、第２の設定は、追加ＴＤＤ  ＵＬ／ＤＬ設定（第２のＴＤＤ  ＵＬ／ＤＬ設定）であってもよい。また、第２の設定は、フレキシブルサブフレームを指示する情報（flexible subframe pattern）であってもよい。また、第２の設定は、固定サブフレームを指示する情報（fixed subframe pattern）であってもよい。また、第２の設定は、前述した第１のサブフレームセットに対応する（または第１のサブフレームセットに含まれる）サブフレームを指示する情報であってもよい。また、第２の設定は、前述した第２のサブフレームセットに対応する（または第２のサブフレームセットに含まれる）サブフレームを指示する情報であってもよい。また、第２の設定は、フレキシブルサブフレームに対するＴＰＣコマンドを伴うＰＤＣＣＨ／ＥＰＤＣＣＨ（ＤＣＩフォーマット）が割り当て可能なサブフレームを指示する情報であってもよい。また、第２の設定は、ＣＲＳが受信可能なサブフレームを指示する情報であってもよい。また、第２の設定は、ＣＳＩ−ＲＳが受信可能なサブフレームを指示する情報であってもよい。また、第２の設定は、チャネル状態情報（ＣＳＩ、ＣＱＩ、ＰＭＩ、ＲＩ）の報告が可能なサブフレームを指示する情報であってもよい。また、第２の設定は、プライマリーセルでの測定（受信電力ＲＳＲＰ、受信品質ＲＳＲＱ、無線リンクモニタリング）に対して時間領域での測定を制限するサブフレームを指示する情報であってもよい。つまり、第２の設定は、測定を行なうサブフレームを指示する情報であってもよい。また、第２の設定は、隣接セルでの測定に対して時間領域での測定を制限するサブフレームを指示する情報であってもよい。また、第２の設定は、セカンダリーセルでの測定に対して時間領域での測定を制限するサブフレームを指示する情報であってもよい。また、第２の設定は、測定サブフレームパターンに基づいて設定されてもよい。また、第２の設定は、下りリンク信号が受信可能なサブフレームを指示する情報であってもよい。また、第２の設定は、追加可能な情報であってもよい。また、第２の設定は、第２のセル（セカンダリーセル）で物理上りリンク制御チャネルの送信可否に関する情報であってもよい。また、第２の設定は、ＨＡＲＱの送信が可能なサブフレームを指示する情報であってもよい。また、第２の設定は、パワーヘッドルーム報告が可能なサブフレームの指示する情報であってもよい。また、第２の設定は、あるチャネル状態情報（ＣＳＩ、ＣＱＩ、ＰＭＩ、ＲＩ）の報告に関連付けられたサブフレームを指示する情報であってもよい。また、第２の設定は、第２の設定とは異なるあるチャネル状態情報（ＣＳＩ、ＣＱＩ、ＰＭＩ、ＲＩ）の報告に関連付けられたサブフレームを指示する情報とは別に設定された情報であってもよい。つまり、第３の設定と第４の設定が、第２の設定とは別に設定され、そのいずれもが第２の設定と同様にサブフレームを指示する情報であってもよい。つまり、第３の設定と第４の設定が、第２���設定とは別に設定され、そのいずれもがあるチャネル状態情報（ＣＳＩ、ＣＱＩ、ＰＭＩ、ＲＩ）の報告に関連付けられたサブフレームを指示する情報とは別に設定された情報であってもよい。またその報告は、関連付けられたサブフレームパターン（セット）に含まれるＣＳＩ-ＲＳおよび、またはゼロパワーＣＳＩ−ＲＳおよび、またはＣＳＩ−ＩＭリソースに基づいて算出されたチャネル状態情報（ＣＳＩ、ＣＱＩ、ＰＭＩ、ＲＩ）であってもよい。同様の事が、前述の全ての第ｎの設定に適用されても良い。また、第２の設定が複数設定され、そのいずれかに基づいて、第１の電力制御方法と第２の電力制御方法が切り替えられても良い。すなわち、第２の設定は、追加ＴＤＤ  ＵＬ／ＤＬ設定（第２のＴＤＤ  ＵＬ／ＤＬ設定）であり、さらにあるチャネル状態情報（ＣＳＩ、ＣＱＩ、ＰＭＩ、ＲＩ）の報告に関連付けられたサブフレームを指示する情報が設定されても良い。また、第２の設定は、複数の基地局装置または複数の種類のセルの同時接続（dual connectivity）の可否を指示する情報であってもよい。なお、第２の設定は、システムで一意に決定されてもよい。また、第２の設定は、共有情報またはシステム情報として報知されてもよい。第２の設定は、ダイナミックに通知されてもよい。第２の設定は、ＤＣＩフォーマットにセットされるフィールドで示されてもよい。第２の設定は、セミスタティックに通知されてもよい。また、第２の設定は、上位層シグナリングで通知されてもよい。また、第２の設定は、端末装置固有の専用情報として端末装置２毎に個別に通知されてもよい。第２の設定をセット（再設定）できるか否かを示す情報は、端末装置２の機能情報（Capability, UE capability, UE-EUTRA-Capability）を用いて端末装置２から基地局装置１へ通知されてもよい。ここで、サブフレームを指示する情報は、サブフレームのパターン（またはセット、組み合わせ）を指示する情報であってもよい。サブフレームを指示する情報は、どのサブフレームが対応しているかを示す情報であってもよい。
【０３４３】
第１の設定または第２の設定の何れか一方がシステムインフォメーションブロックタイプ１（ＳＩＢ１）またはＲＲＣメッセージで通知されるＴＤＤ  ＵＬ／ＤＬ設定である場合、もう一方が前述の設定（指示情報）であってもよい。
【０３４４】
また、第１の設定および／または第２の設定は、ビットマップで設定されてもよい。さらにそのビットマップは、１０ビットもしくは２０ビットもしくは４０ビットもしくは８０ビットで構成されていてもよい。
【０３４５】
また、第１の設定および／または第２の設定は、テーブルに基づいて上りリンクサブフレーム、下りリンクサブフレーム、スペシャルサブフレームの構成をインデックス（またはインデックスを表す情報ビット、ビット系列）で指定されてもよい。例えば、テーブルとは、ＴＤＤ  ＵＬ／ＤＬ設定（TDD UL/DL configurations, uplink-downlink configuration）であってもよい。ＴＤＤ  ＵＬ／ＤＬ設定を表すテーブルは図３のように構成されてもよい。
【０３４６】
複数のサブフレームセットは、システムで一意に決定されてもよい。また、複数のサブフレームセットは、デフォルトが端末装置２に予め設定されてもよい。また、複数のサブフレームセットは、予め定義されてもよい。例えば、図３のようなＴＤＤ  ＵＬ／ＤＬ設定において、同じ種類のサブフレームが設定されているサブフレームと異なる種類のサブフレームが設定されているサブフレームで異なるセット（グループ）として取り扱われてもよい。ＴＤＤ  ＵＬ／ＤＬ設定（Uplink-Downlink configuration）インデックス０から６において、サブフレーム番号＃０、＃１、＃２、＃５で１つのサブフレームセットを構成し、サブフレーム番号＃３、＃４、＃６、＃７、＃８、＃９で１つのサブフレームセットを構成してもよい。また、スペシャルサブフレームと下りリンクサブフレームを同じ種類のサブフレームとみなした場合、サブフレーム番号＃０、＃１、＃２、＃５、＃６で１つのサブフレームセットを構成し、サブフレーム番号＃３、＃４、＃７、＃８、＃９で１つのサブフレームセットを構成してもよい。複数のサブフレームセットが設定される場合、複数のサブフレームセットの設定を指示する情報（multi-subframeset-Enabled）が基地局装置１から端末装置２へ送信されてもよい。複数のサブフレームセットが設定される場合、フレキシブルサブフレームの設定を指示する情報が基地局装置１から端末装置２へ送信されてもよい。その際、その情報は、上位層シグナリングで送信されてもよい。また、その情報は、Ｌ１シグナリングで送信されてもよい。
【０３４７】
なお、本発明の実施形態において、指示する情報は、指示するパラメータまたはインディケータと呼称されてもよい。
【０３４８】
なお、本発明の実施形態では、第２の設定は、追加ＴＤＤ  ＵＬ／ＤＬ設定（第２のＴＤＤ  ＵＬ／ＤＬ設定）であってもよい。また、第２の設定とは、ブランクサブフレームを指示する情報であってもよい。また、第２の設定は、フレキシブルサブフレームを指示する情報（flexible subframe pattern）であってもよい。また、第２の設定は、固定サブフレームを指示する情報（fixed subframe pattern）であってもよい。このとき、上りリンク参照ＵＬ−ＤＬ設定と下りリンク参照ＵＬ−ＤＬ設定は、テーブルなどを用いて、第１の設定と第２の設定から算出されても構わない。言い換えると、第１の設定と第２の設定に加え、第３の設定としてテーブルなどを用いて、上りリンク参照ＵＬ−ＤＬ設定と下りリンク参照ＵＬ−ＤＬ設定を決定してもよい。
【０３４９】
なお、本発明の実施形態では、基地局装置１または端末装置２は、第１の設定と第２の設定のうち、一方を上りリンク参照ＵＬ−ＤＬ設定として設定し、もう一方を下りリンク参照ＵＬ−ＤＬ設定として設定してもよい。例えば、端末装置２は、第１の設定と第２の設定の２つを受信してから上りリンク参照ＵＬ−ＤＬ設定と下りリンク参照ＵＬ−ＤＬ設定に設定してもよい。なお、上りリンクに関連するＤＣＩフォーマット（例えば、ＤＣＩフォーマット０／４）は、上りリンク参照ＵＬ−ＤＬ設定で設定されている下りリンクサブフレームで送信されてもよい。
【０３５０】
また、上りリンク参照ＵＬ−ＤＬ設定と下りリンク参照ＵＬ−ＤＬ設定は同じテーブルを使用してそれぞれ設定されてもよい。ただし、同じテーブルに基づいて上りリンク参照ＵＬ−ＤＬ設定と下りリンク参照ＵＬ−ＤＬ設定のインデックスが設定される場合、上りリンク参照ＵＬ−ＤＬ設定と下りリンク参照ＵＬ−ＤＬ設定は異なるインデックスで設定されることが好ましい。つまり、上りリンク参照ＵＬ−ＤＬ設定と下りリンク参照ＵＬ−ＤＬ設定は、異なるサブフレームパターンが設定されることが好ましい。
【０３５１】
本発明の実施形態では、第１の設定および第２の設定がともにＴＤＤ  ＵＬ／ＤＬ設定である場合には、条件に応じて、何れか一方を上りリンク参照ＵＬ−ＤＬ設定に設定し、もう一方を下りリンク参照ＵＬ−ＤＬ設定に設定してもよい。なお、上りリンク参照ＵＬ−ＤＬ設定は、少なくとも物理下りリンク制御チャネルが配置されるサブフレームと前記物理下りリンク制御チャネルが対応する物理上りリンク共用チャネルが配置されるサブフレームとの対応を決定するために用いられ、実際の信号の送信方向（つまり、上りリンクまたは下りリンク）とは異なっても構わない。下りリンク参照ＵＬ−ＤＬ設定は、少なくとも物理下りリンク共用チャネルが配置されるサブフレームと物理下りリンク共用チャネルに対応するＨＡＲＱ−ＡＣＫが送信されるサブフレームとの対応を決定するために用いられ、実際の信号の送信方向（つまり、上りリンクまたは下りリンク）とは異なっても構わない。すなわち、上りリンク参照ＵＬ−ＤＬ設定は、ＰＤＣＣＨ／ＥＰＤＣＣＨ／ＰＨＩＣＨが配置されるサブフレームｎとＰＤＣＣＨ／ＥＰＤＣＣＨ／ＰＨＩＣＨが対応するＰＵＳＣＨが配置されるサブフレームｎ＋ｋとの対応を特定（選択、決定）するために用いられる。１つのプライマリーセルが設定されている場合、または、１つのプライマリーセルおよび１つのセカンダリーセルが設定され、プライマリーセルに対する上りリンク参照ＵＬ−ＤＬ設定およびセカンダリーセルに対する上りリンク参照ＵＬ−ＤＬ設定が同じ場合は、２つのサービングセルのそれぞれにおいて、対応する上りリンク参照ＵＬ−ＤＬ設定が、ＰＤＣＣＨ／ＥＰＤＣＣＨ／ＰＨＩＣＨが配置されるサブフレームとＰＤＣＣＨ／ＥＰＤＣＣＨ／ＰＨＩＣＨが対応するＰＵＳＣＨが配置されるサブフレームとの対応を決定するために用いられる。また、下りリンク参照ＵＬ−ＤＬ設定は、ＰＤＳＣＨが配置されるサブフレームｎとＰＤＳＣＨに対応するＨＡＲＱ−ＡＣＫが送信されるサブフレームｎ＋ｋとの対応を特定（選択、決定）するために用いられる。１つのプライマリーセルが設定されている場合、または、１つのプライマリーセルおよび１つのセカンダリーセルが設定され、プライマリーセルに対する下りリンク参照ＵＬ−ＤＬ設定およびセカンダリーセルに対する下りリンク参照ＵＬ−ＤＬ設定が同じ場合は、２つのサービングセルのそれぞれにおいて、対応する下りリンク参照ＵＬ−ＤＬ設定が、ＰＤＳＣＨが配置されるサブフレームｎとＰＤＳＣＨに対応するＨＡＲＱ−ＡＣＫが送信されるサブフレームｎ＋ｋとの対応を特定（選択、決定）するために用いられる。
【０３５２】
また、端末装置２は、上りリンク送信参照用のＴＤＤ  ＵＬ／ＤＬ設定（第１のＴＤＤ  ＵＬ／ＤＬ設定）と下りリンク送信参照用のＴＤＤ  ＵＬ／ＤＬ設定（第２のＴＤＤ  ＵＬ／ＤＬ設定）が設定され、さらに、電力制御に関する情報が設定されると、第１のＴＤＤ  ＵＬ／ＤＬ設定と第２のＴＤＤ  ＵＬ／ＤＬ設定で示されているサブフレームパターンにおいて、同じサブフレームで同じ種類のサブフレームが設定されている場合には、そのサブフレームの電力制御は第１の電力制御方法に基づいて行なわれ、第１のＴＤＤ  ＵＬ／ＤＬ設定と第２のＴＤＤ  ＵＬ／ＤＬ設定で異なる種類のサブフレームが設定されている場合には、そのサブフレームの電力制御は第２の電力制御方法に基づいて行なわれる。
【０３５３】
第１のＴＤＤ  ＵＬ／ＤＬ設定および／または第２のＴＤＤ  ＵＬ／ＤＬ設定は、セミスタティックに通知されてもよい。また、第１のＴＤＤ  ＵＬ／ＤＬ設定および／または第２のＴＤＤ  ＵＬ／ＤＬ設定は、ダイナミックに通知されてもよい。第１のＴＤＤ  ＵＬ／ＤＬ設定と第２のＴＤＤ  ＵＬ／ＤＬ設定とで異なるインデックスがセットされている場合、複数のサブフレームセットが設定されてもよい。つまり、２つのＴＤＤ  ＵＬ／ＤＬ設定で同じ種類のサブフレームのセットと異なる種類のサブフレームのセットが設定されてもよい。それらのセットは独立にスケジュールされてもよい。
【０３５４】
端末装置２は、第２の設定として、第２のＴＤＤ  ＵＬ／ＤＬ設定（例えば、tdd-Config-v12, tdd-Config-r12, tdd-ConfigULreference-v12, tdd-ConfigDLreference-r12）がパラメータとして設定／追加される場合、第１のＴＤＤ  ＵＬ／ＤＬ設定に基づいて上りリンク信号を送信し、第２のＴＤＤ  ＵＬ／ＤＬ設定に基づいて下りリンク信号を受信してもよい。あるサブフレームにおいて、上りリンク信号の送信と下りリンク信号の受信が生じる場合、送信方向設定情報（第３の設定に関する情報）に基づいて、どちらを優先するか決定してもよい。
【０３５５】
なお、本発明の実施形態では、第１の設定および／または第２の設定は、ＴＤＤ  ＵＬ／ＤＬ設定（TDD UL/DL configuration, TDD configuration, tdd-Config, uplink-downlink configuration(s)）であってもよい。また、第１の設定および／または第２の設定には、ビットマップによって示されるサブフレームパターンであってもよい。また、第１の設定と第２の設定のうち、何れか一方が上りリンクサブフレームを指示する情報であり、もう一方が下りリンクサブフレームを指示する情報であってもよい。これらの指示情報は、テーブルで定義されてもよいし、ビットマップで定義されてもよい。
【０３５６】
なお、基地局装置１は、第１の設定および第２の設定がセット可能な端末装置２に対しては、第１の設定または第２の設定のうち、何れか一方で上りリンクサブフレームを指示し、もう一方で下りリンクサブフレームを指示してもよい。また、端末装置２は、第１の設定または第２の設定のうち何れか一方がセットされる場合、指示されたサブフレーム以外のサブフレームを異なる種類のサブフレームと認識し、送受信処理を行なう。例えば、第１の設定で上りリンクサブフレーム、第２の設定で下りリンクサブフレームが指示される場合、第１の設定のみがセットされる端末装置２は、第１の設定に基づいて指示される上りリンクサブフレーム以外のサブフレームを下りリンクサブフレームまたはスペシャルサブフレームと認識し、受信処理／送信処理を行なう。また、第２の設定のみがセットされる端末装置２は、第２の設定に基づいて指示される下りリンクサブフレーム以外のサブフレームを上りリンクサブフレームまたはスペシャルサブフレームと認識し、送信処理／受信処理を行なう。なお、第１の設定および第２の設定で、同一サブフレームに対して上りリンクサブフレームおよび下りリンクサブフレームが設定されてもよい。
【０３５７】
例えば、端末装置２は、第１の設定および第２の設定がセットされる場合には、第１の設定に基づいて上りリンク信号の送信を行ない、第２の設定に基づいて下りリンク信号の受信を行なってもよい。また、端末装置２は、第１の設定および第２の設定がセットされる場合には、第１の設定に基づいて下りリンク信号の受信を行ない、第２の設定に基づいて上りリンク信号の送信を行なってもよい。どちらかの設定に基づいて上りリンク信号の送信および下りリンク信号の受信を行なうかは第３の設定に基づいて決定されてもよい。
【０３５８】
ここで、第１の設定がＴＤＤ  ＵＬ／ＤＬ設定だとすると、第２の設定は、フレキシブルサブフレームを指示する情報（パラメータ）であってもよい。なお、第２の設定は、テーブル管理されてもよい。また、第２の設定は、ビットマップによってフレキシブルサブフレームとして設定されるサブフレームを指示する情報であってもよい。
【０３５９】
なお、本発明の実施形態では、フレキシブルサブフレームは、上りリンクサブフレームであり、下りリンクサブフレームであるサブフレームのことである。また、フレキシブルサブフレームは、下りリンクサブフレームであり、スペシャルサブフレームであるサブフレームのことである。また、フレキシブルサブフレームは、上りリンクサブフレームであり、スペシャルサブフレームであるサブフレームのことである。つまり、フレキシブルサブフレームは、第１のサブフレームであり、第２のサブフレームであるサブフレームのことである。例えば、また、フレキシブルサブフレームとして設定されるサブフレームは、条件１の場合、第１のサブフレーム（例えば、上りリンクサブフレーム）として処理され、条件２の場合、第２のサブフレーム（例えば、下りリンクサブフレーム）として処理される。
【０３６０】
なお、フレキシブルサブフレームは、第１の設定および第２の設定に基づいて設定されてもよい。例えば、あるサブフレームｉに対して第１の設定では上りリンクサブフレーム、第２の設定では下りリンクサブフレームとして設定された場合、サブフレームｉはフレキシブルサブフレームとなる。フレキシブルサブフレームは、フレキシブルサブフレームのサブフレームパターンを指示する情報に基づいて設定されてもよい。
【０３６１】
また、本発明の実施形態では、第１の設定および第２の設定は、２つのＴＤＤ  ＵＬ／ＤＬ設定ではなく、１つのＴＤＤ  ＵＬ／ＤＬ設定とフレキシブルサブフレームパターン（下りリンク候補サブフレームパターンまたは上りリンク候補サブフレームパターン、追加サブフレーム）であってもよい。端末装置２は、フレキシブルサブフレームパターンで示されるサブフレームインデックスにおいては、ＴＤＤ  ＵＬ／ＤＬ設定で上りリンクサブフレームと示されていてもそのサブフレームで上りリンク信号を送信することがなければ、下りリンク信号を受信することができるし、ＴＤＤ  ＵＬ／ＤＬ設定で下りリンクサブフレームと示されていても事前にそのサブフレームで上りリンク信号を送信することを指示されていれば、上りリンク信号を送信することができる。特定のサブフレームに対して上りリンク／下りリンク候補のサブフレームとして指示されてもよい。
【０３６２】
端末装置２は、第１の設定および第２の設定の両方がセットされると、ある条件に基づいて、何れか一方を上りリンクのためのサブフレームセットと認識し、もう一方を下りリンクのためのサブフレームセットと認識してもよい。ここで、上りリンクのためのサブフレームセットとは、ＰＵＳＣＨおよびＰＨＩＣＨの送信のために設定されるサブフレームのセットであり、下りリンクサブフレームセットとは、ＰＤＳＣＨおよびＨＡＲＱの送信のために設定されるサブフレームのセットである。ＰＵＳＣＨとＰＨＩＣＨのサブフレームの関連を示す情報とＰＤＳＣＨとＨＡＲＱのサブフレームの関連を示す情報が端末装置２に事前に設定されてもよい。つまり、第１の設定または第２の設定のうち、何れか一方を上りリンクサブフレームのサブフレームパターンを指示する情報であり、もう一方を下りリンクサブフレームのサブフレームパターンを指示する情報であってもよい。これらの情報は、ビットマップで設定されてもよい。
【０３６３】
なお、本発明の実施形態では、第１の設定および第２の設定が設定されることにより、２つのサブフレームセットが構成される場合、ＴＰＣコマンドによる累積（アキュムレーション）送信電力制御および／または絶対（アブソリュート）送信電力制御は、サブフレームセット毎に独立に行なわれてもよい。例えば、端末装置２は、第３の設定を受信すると、サブフレームセット毎にＴＰＣコマンドによる送信電力制御を行なってもよい。ここで、アキュムレーション送信電力制御およびアブソリュート送信電力制御を閉ループ送信電力制御と呼称する場合もある。ここで、累積送信電力制御とは、過去に受信したＴＰＣコマンドに設定された電力補正値を考慮した電力補正を行なうことであり、絶対送信電力制御とは、上りリンク信号を送信するサブフレームの直前のサブフレームで受信したＴＰＣコマンドによる電力補正値のみを考慮した電力制御である。つまり、アブソリュート送信電力制御は、最新のＴＰＣコマンドによる電力補正値のみを考慮した電力制御である。ここで、ＴＰＣコマンドによるアブソリュート送信電力制御は、過去に受信したＴＰＣコマンドによる電力補正値を考慮せず、上りリンク信号の送信サブフレームの直前に受信したＴＰＣコマンドによる電力補正値のみを考慮して送信電力を制御する。つまり、端末装置２は、検出したＴＰＣコマンドの中で最新のＴＰＣコマンドによる電力補正値のみを適用する。ＴＰＣコマンドによるアブソリュート送信電力制御は、最新のＴＰＣコマンドによる電力補正値を考慮して送信電力を制御する。アキュムレーション送信電力制御は、過去に受信したＴＰＣコマンドによる電力補正値を考慮して送信電力を制御する。送信サブフレームが含まれるサブフレームセット毎にアキュムレーション送信電力制御を行なう。
【０３６４】
なお、本発明の実施形態において、電力制御には、電力制御方法、電力制御プロシージャ、電力制御プロセスなどが含まれてもよい。つまり、第１の上りリンク電力制御には、第１の上りリンク電力制御方法や第１の上りリンク電力制御プロシージャなどが含まれてもよい。
【０３６５】
なお、本発明の実施形態において、第１の設定および第２の設定がセットされることにより、２つ以上のサブフレームセットが独立に構成される場合、それぞれのサブフレームセットに対して、端末装置２毎に設定されるサービングセルｃに対する最大送信電力（ＰＣＭＡＸ，ｃ）および／または最小送信電力が設定されてもよい。また、端末装置２が設定する最大出力電力ＰＣＭＡＸ（UE total configured maximum output power）および最小出力電力をサブフレームセット毎に設定してもよい。つまり、端末装置２は、独立した最大送信電力および／または最小送信電力を複数セットしてもよい。
【０３６６】
また、種々の上りリンク信号のリソース割り当てが同じ場合、基地局装置１は、各上りリンク信号の信号系列の違いによって、種々の上りリンク信号を検出することができる。つまり、基地局装置１は、受信した上りリンク信号の信号系列の違いによって、各上りリンク信号を識別することができる。また、基地局装置１は、受信した上りリンク信号の信号系列に違いによって、自局宛ての送信か否かを判定することができる。
【０３６７】
さらに、端末装置２は、基地局装置１から第２の下りリンク参照信号による受信電力測定が指示された場合、その測定結果に基づいて下りリンクパスロスを算出し、上りリンク送信電力制御に用いてもよい。
【０３６８】
ここで、受信電力測定は、参照信号受信電力（RSRP: Reference Signal Received Power）測定や受信信号電力測定と呼称する場合もある。また、受信品質測定は、参照信号受信品質（RSRQ: Reference Signal Received Quality）測定や受信信号品質測定と呼称する場合もある。
【０３６９】
また、第２の下りリンク参照信号のリソース割り当て（Resource allocation, mapping to resource elements, mapping to physical resources）は、周波数シフトされてもよい。第２の下りリンク参照信号の周波数シフトは、物理セルＩＤに基づいて決定されてもよい。また、第２の下りリンク参照信号の周波数シフトは、仮想セルＩＤに基づいて決定されてもよい。
【０３７０】
一例として、基地局装置１から端末装置２に対して、第２の下りリンク参照信号の受信電力測定を行なうか否かを指示する情報が通知される。端末装置２は、その指示情報が第２の下りリンク参照信号の受信電力測定を行なうことができると指示している場合、第２の下りリンク参照信号の受信電力測定を行なう。この時、端末装置２は、パラレルに第１の下りリンク参照信号の受信電力測定を行なってもよい。端末装置２は、その指示情報が第２の下りリンク参照信号の受信電力測定を行なうことができないと指示している場合、端末装置２は、第１の下りリンク参照信号のみの受信電力測定を行なう。さらに、この指示情報には、第２の下りリンク参照信号の受信品質測定を行なうか否かを指示する情報が含まれてもよい。また、第３の下りリンク参照信号は、この指示情報によらず、受信電力測定を行なってもよい。
【０３７１】
また、別の例として、基地局装置１から端末装置２に対して、第１の下りリンク参照信号の受信電力測定を行なうか第２の下りリンク参照信号の受信電力測定を行なうかを指示する情報が通知される。端末装置２は、その指示情報が第１の下りリンク参照信号の受信電力測定を行うことを指示している場合、第１の下りリンク参照信号の受信電力測定を行なう。端末装置２は、その指示情報が第２の下りリンク参照信号の受信電力測定を行なうことを指示している場合、第２の下りリンク参照信号の受信電力測定を行なう。つまり、この指示情報は、受信電力測定の切り替えを指示する情報である。また、この指示情報には、受信品質測定を行うか否かを指示する情報が含まれてもよい。この例では、この指示情報は、２つの下りリンク参照信号の受信電力測定の切り替えを指示する情報であることを述べたが、３つ以上の下りリンク参照信号の受信電力測定の切り替えを指示する情報であってもよい。また、第３の下りリンク参照信号は、この指示情報によらず、受信電力測定を行なってもよい。また、第２の下りリンク参照信号の送信電力および／または第３の下りリンク参照信号の送信電力は、第１の下りリンク参照信号の送信電力に基づいてセットされてもよい。例えば、第１の下りリンク参照信号と第２の下りリンク参照信号（または第３の下りリンク参照信号）間の電力の比（電力オフセット）が設定されてもよい。
【０３７２】
下りリンクの場合、第１のサブフレームセットに含まれる下りリンクサブフレームでは、電力オフセットを考慮せずに、下りリンク信号の受信電力測定を行ない、第２のサブフレームセットに含まれる下りリンクサブフレームでは、電力オフセットを考慮した下りリンク信号の受信電力測定を行なってもよい。この電力オフセットは、事前に基地局装置１より設定されてもよい。また、この電力オフセットは、下りリンクに関するＤＣＩフォーマットに設定されて指示されてもよい。
【０３７３】
なお、本発明の実施形態において、第１の設定および第２の設定がセットされる場合であっても複数のサブフレームセットが構成されなければ、アキュムレーション／アブソリュート送信電力制御は共通であってもよい。
【０３７４】
なお、本発明の実施形態において、端末装置２において、フレキシブルサブフレームでは、フレキシブルサブフレームとして設定されていない上りリンクサブフレーム／下りリンクサブフレーム／スペシャルサブフレームとは異なる電力制御（上りリンク電力制御、下りリンク電力制御）を行なってもよい。また、フレキシブルサブフレームと上りリンクサブフレーム／下りリンクサブフレーム／スペシャルサブフレームで独立に閉ループ送信電力制御（アキュムレーション送信電力制御）を行なってもよい。例えば、そのサブフレームでは、他の上りリンクサブフレームまたは下りリンクサブフレームと異なるパラメータを用いて電力を制御してもよい。また、フレキシブルサブフレームと上りリンクサブフレーム／下りリンクサブフレームで、信号生成に用いられるパラメータが独立に設定されてもよい。例えば、仮想セルＩＤやスクランブルＩＤなどが独立に設定されてもよい。ここで、信号を生成するとは、信号系列を生成する、を含む。また、信号を生成するとは、信号を割り当てる無線リソースを決定する、を含む。
【０３７５】
なお、本発明の実施形態において、第１のサブフレームセットは、端末装置２にとって干渉源が少ない（つまり、干渉が小さい、弱い）サブフレームで構成されてもよい。第２のサブフレームセットは、端末装置２にとって干渉源の多い（つまり、干渉が大きい、強い）サブフレームで構成されてもよい。ここで、干渉源の少ないサブフレームとは、下りリンクサブフレームと上りリンクサブフレームが同一サブフレームに設定されないサブフレームのことである。また、干渉源の多いサブフレームとは、下りリンクサブフレームと上りリンクサブフレームが同一サブフレームに設定されるサブフレームのことである。干渉源の多いサブフレームとは、端末装置２においては、下りリンク信号を受信する際に、他の端末装置２から送信される上りリンク信号が干渉源になり得るサブフレームのことであり、基地局装置１において、上りリンク信号を受信する際に、他の基地局装置から送信される下りリンク信号が干渉源になり得るサブフレームのことである。
【０３７６】
なお、本発明の実施形態において、第１の電力制御と第２の電力制御とで同じＲＳＲＰおよびパスロス値を適用してもよい。受信電力測定制御は２つのサブフレームセットに含まれる下りリンクサブフレームで共有してもよい。また、サブフレームセット毎に独立にパスロス測定を行なってもよい。また、サブフレームセットに含まれる下りリンクサブフレーム毎にパスロス測定を行なってもよい。また、第１のサブフレームセットに対するパスロス測定用の参照信号（パスロス参照リソース）はＣＲＳで、第２のサブフレームセットに対するパスロス測定用の参照信号はＣＳＩ−ＲＳであってもよい。つまり、サブフレームセット毎にパスロス測定用の参照信号が設定されてもよい。また、独立に測定したパスロス値は、サブフレームセット毎に独立に制御される電力に適用されてもよい。また、パスロス参照リソースは、パスロス測定用の参照信号の種類及び、パスロス測定用の参照信号のリソース（時間周波数リソース、リソースエレメント、サブフレーム）の設定が示されてもよい。
【０３７７】
なお、本発明の実施形態において、フレキシブルサブフレームでＰＵＳＣＨとＰＵＣＣＨの送信が生じる場合、それらの送信電力の合計が端末装置２に設定される最大出力電力を超える場合、ＰＵＳＣＨの送信電力の最大値は、最大出力電力からＰＵＣＣＨの送信電力値を引いた値としてもよい。
【０３７８】
なお、本発明の実施形態において、複数の電力制御方法間で共通で使用される電力パラメータがあってもよい。つまり、一部のパラメータについては、複数の電力制御方法間で共通であってもよい。例えば、第１の電力制御に関するパラメータの設定にだけセットされたパラメータは必要に応じて第２の電力制御方法や第３の電力制御方法で用いることができる。
【０３７９】
また、本発明の実施形態において、端末装置２は、ＰＵＣＣＨフォーマット３のリソースが設定されたサブフレームにおいて、複数のＣＳＩ報告が生じる場合には、ＰＵＣＣＨフォーマット３で複数のＣＳＩ報告を行なってもよい。
【０３８０】
また、本発明の実施形態において、あるサブフレームにおいて、複数のＣＳＩ報告が生じる場合、端末装置２は、あるサブフレームにおいて、ＰＵＣＣＨフォーマット３のリソースが設定されていなければ、複数のＣＳＩ報告をドロップしてもよい。
【０３８１】
また、本発明の実施形態において、あるサブフレームにおいて、複数のＣＳＩ報告が生じる場合、端末装置２は、あるサブフレームにおいて、ＰＵＣＣＨフォーマット３のリソースが設定されてく、ＰＵＳＣＨの送信があれば、複数のＣＳＩ報告をＰＵＳＣＨで行なってもよい。
【０３８２】
また、本発明の実施形態において、基地局装置１は、上りリンクインデックスを用いて、上りリンクサブフレームと下りリンクサブフレームが衝突するサブフレームと衝突しないサブフレームで上りリンク信号を送信するように端末装置２を制御してもよい。
【０３８３】
２つのサブフレームセットで、アキュムレーション送信電力制御を共有してもよい。アキュムレーションは、サブフレームセットに因らず、共通であってもよい。
【０３８４】
なお、本発明の実施形態において、第１の電力制御方法に用いられるＰＵＳＣＨに対するＴＰＣコマンド（TPC command for (scheduled) PUSCH）は、ＤＣＩフォーマット０／４またはＤＣＩフォーマット３／３Ａにセットされ、第２の電力制御方法に用いられるＰＵＳＣＨに対するＴＰＣコマンドは、ＤＣＩフォーマット０／４にセットされる。また、第１の電力制御方法に用いられるＰＵＣＣＨに対するＴＰＣコマンド（TPC command for PUCCH）は、ＤＣＩフォーマット１／１Ａ／１Ｂ／１Ｄ／２／２Ａ／２Ｂ／２Ｃ／２Ｄ／３／３Ａにセットされ、第２の電力制御方法に用いられるＰＵＣＣＨに対するＴＰＣコマンドは、例えば、ＤＣＩフォーマット１／１Ａ／１Ｂ／１Ｄ／２／２Ａ／２Ｂ／２Ｃ／２Ｄにセットされる。
【０３８５】
また、検出したＴＰＣコマンドがどのサブフレームセットに含まれる上りリンクサブフレームで送信する上りリンク信号に対応しているかによって、同じＴＰＣコマンドであっても、第１の電力制御方法に対応するか第２の電力制御方法に対応するかが切り替えられてもよい。
【０３８６】
また、ＤＣＩフォーマット０にセットされているＴＰＣコマンドが第１のサブフレームセットに含まれる上りリンクサブフレームに対応している場合と第２のサブフレームセットに含まれる上りリンクサブフレームに対応している場合とで独立にアキュムレーション制御されてもよい。例えば、端末装置２は、同一サブフレームでＤＣＩフォーマット０とＤＣＩフォーマット３を検出した場合、ＤＣＩフォーマット０が第１のサブフレームセットに含まれる上りリンクサブフレームに対する上りリンク信号をスケジュールしているとすると、ＤＣＩフォーマット０にセットされているＴＰＣコマンドに基づいて上りリンク電力をセットし、ＤＣＩフォーマット０が第２のサブフレームセットに含まれる上りリンクサブフレームに対する上りリンク信号をスケジュールしているとすると、ＤＣＩフォーマット０にセットされているＴＰＣコマンドに基づいて上りリンク電力をセットする。さらに、第１のサブフレームセットに含まれる上りリンクサブフレームに対応する上りリンク信号の送信電力は、ＤＣＩフォーマット３にセットされているＴＰＣコマンドに基づいてセットされる。つまり、第１の設定および第２の設定がセットされると、サブフレームセットとＤＣＩフォーマットは関連付けられてもよい。
【０３８７】
２つのサブフレームセットで、ＲＳＲＰ測定結果を共有してもよい。ＲＳＲＰはサブフレームセットに因らず、共通であってもよい。
【０３８８】
また、アキュムレーション送信電力制御をサブフレームセットで独立に行なってもよい。固定サブフレームで受信したＴＰＣコマンドによるアキュムレーションとフレキシブルサブフレームで受信したＴＰＣコマンドによるアキュムレーションは独立に制御される。
【０３８９】
例えば、第１の設定および第２の設定がセットされる場合には、サブフレームセット毎に独立にアキュムレーション送信電力制御（累積送信電力制御、閉ループ送信電力制御）を行なってもよい。
【０３９０】
アキュムレーション送信電力制御をサブフレームセット毎に行なう場合、それぞれのＴＰＣコマンドフィールドを含むＤＣＩフォーマットを受信するタイミングは予め定義されてもよい。
【０３９１】
また、ＲＳＲＰ測定結果をサブフレームセットで独立であってもよい。固定サブフレームの下りリンクサブフレームで受信したＣＲＳによるＲＳＲＰとフレキシブルサブフレームで受信したＣＲＳによるＲＳＲＰの測定制御は独立に行なってもよい。
【０３９２】
第１の設定および第２の設定に基づいて２つのサブフレームセットが設定される場合、第２のサブフレームセットがフレキシブルサブフレームのサブフレームパターンであるとすると、第２の設定は、フレキシブルサブフレームに対するＴＰＣコマンドフィールドを含むＤＣＩフォーマットを受信可能なサブフレームを指示する情報であってもよい。
【０３９３】
第１のサブフレームセットに含まれる上りリンクサブフレームに対して適用可能なＴＰＣコマンドが送信されるサブフレームと第２のサブフレームセットに含まれる上りリンクサブフレームに対して適用可能なＴＰＣコマンドが送信されるサブフレームがそれぞれ設定されてもよい。上りリンクサブフレームとその上りリンクサブフレームに対するＴＰＣコマンドを含むＤＣＩフォーマットが送信される下りリンクサブフレームの対応付け（紐付け、関連付け）がテーブル管理されてもよい。
【０３９４】
なお、本発明の実施形態において、第１の設定および／または第２の設定は、上りリンクと下りリンクの切り替え周期と各サブフレームの構成を指示する情報であってもよい。
【０３９５】
なお、本発明の実施形態において、上りリンク信号および／または下りリンク信号は、フレキシブルサブフレームとそれ以外のサブフレームで異なる送信電力制御を行なってもよい。
【０３９６】
なお、本発明の実施形態では、端末装置２は、第１の設定および第２の設定の両方がセットされる場合、第１の設定がセットされるセル（サービングセル）に対して第１の上りリンク参照信号（例えば、Ｐ−ＳＲＳ）を送信しなくてもよい。また、本発明の実施形態では、端末装置２は、第１の設定および第２の設定の両方がセットされる場合、上位層によって固有の送信サブフレームが設定される上りリンク参照信号を送信しなくてもよい。
【０３９７】
なお、本発明の実施形態では、種々の上りリンク信号や下りリンク信号のマッピング単位としてリソースエレメントやリソースブロックを用い、時間方向の送信単位としてシンボル、サブフレームや無線フレームを用いて説明したが、これに限るものではない。任意の周波数と時間で構成される領域および時間単位をこれらに代えて用いても、同様の効果を得ることができる。なお、本発明の実施形態では、プリコーディング処理されたＲＳを用いて復調する場合について説明し、プリコーディング処理されたＲＳに対応するポートとして、ＭＩＭＯのレイヤーと等価であるポートを用いて説明したが、これに限るものではない。この他にも、互いに異なる参照信号に対応するポートに対して、本発明を適用することにより、同様の効果を得ることができる。例えば、Ｐｒｅｃｏｄｅｄ  ＲＳではなくＵｎｐｒｅｃｏｄｅｄ（Ｎｏｎｐｒｅｃｏｄｅｄ）  ＲＳを用い、ポートとしては、プリコーディング処理後の出力端と等価であるポートあるいは物理アンテナ（あるいは物理アンテナの組み合わせ）と等価であるポートを用いることができる。
【０３９８】
なお、本発明の実施形態では、ＴＰＣコマンドによる累算送信電力制御（アキュムレーション）または絶対送信電力制御（アブソリュート）が行なわれてもよい。
【０３９９】
なお、本発明の実施形態では、上りリンク送信電力制御とは、上りリンク物理チャネル／物理信号（ＰＵＳＣＨ、ＰＵＣＣＨ、ＰＲＡＣＨ、ＳＲＳ、ＤＭＲＳなど）の電力制御のことであり、電力制御とは、種々の上りリンク物理チャネルの電力の設定に使用する種々のパラメータの切り替えまたは（再）設定に関する情報を含んでいる。また、下りリンク送信電力制御とは、下りリンク物理チャネル／物理信号（ＣＲＳ，ＵＥＲＳ（ＤＬ  ＤＭＲＳ），ＣＳＩ−ＲＳ，ＰＤＳＣＨ，ＰＤＣＣＨ／ＥＰＤＣＣＨ，ＰＢＣＨ，ＰＳＳ／ＳＳＳ，ＰＭＣＨ，ＰＲＳなど）の電力制御のことであり、電力制御とは、種々の下りリンク物理チャネルの電力の設定に使用する種々のパラメータの切り替えまたは（再）設定に関する情報を含んでいる。
【０４００】
なお、本発明の実施形態において、ＤＣＩフォーマットを送信するとは、ＤＣＩフォーマットに関連付けられてセットされている種々の下りリンク制御情報をＰＤＣＣＨ／ＥＰＤＣＣＨにセットされている無線リソースを用いて送信するという意味も含まれる。つまり、基地局装置１は、下りリンク制御情報をＰＤＣＣＨ／ＥＰＤＣＣＨで送信するという意味も含まれる。
【０４０１】
なお、本発明の実施形態では、基地局装置１は、１つの端末装置２に対して複数の仮想セルＩＤを設定できるようにしてもよい。例えば、基地局装置１および少なくとも１つの基地局装置１を含むネットワークは、物理チャネル／物理信号毎に独立に仮想セルＩＤを設定できるようにしてもよい。また、１つの物理チャネル／物理信号に対して複数の仮想セルＩＤを設定できるようにしてもよい。つまり、各物理チャネル／物理信号に関するパラメータの設定毎に仮想セルＩＤがセットされてもよい。また、複数の物理チャネル／物理信号で仮想セルＩＤは共有されてもよい。
【０４０２】
本発明の実施形態では、プライマリーセルに対して、ＲＳＲＰ／ＲＳＲＱ／無線リンクモニタリングなどのプライマリーセル測定に対するサブフレームパターン（measSubframePatternPCell）と、ＣＳＩを測定するためのサブフレームパターン（csi-measSubframeSet1, csi-measSubframeSet2）と、ＥＰＤＣＣＨをモニタリングするためのサブフレームパターン（epdcch-SubframePattern）が設定される。
【０４０３】
本発明の実施形態では、セカンダリーセルに対して、ＥＰＤＣＣＨをモニタリングするためのサブフレームパターン（epdcch-SubframePattern）が設定される。
【０４０４】
本発明の実施形態では、隣接セルに対して、キャリア周波数におけるＲＳＲＰとＲＳＲＱを測定するためのサブフレームパターン（measSubframePatternNeigh）が設定される。
【０４０５】
本発明の実施形態では、ＣＳＩを測定するためのサブフレームパターン（csi-measSubframeSet1, csi-measSubframeSet2）は、プライマリーセルとセカンダリーセルで共通であってもよい。
【０４０６】
本発明の実施形態では、サブフレームパターンは、ＦＤＤとＴＤＤで独立に設定されてもよい。例えば、ＦＤＤでは、４０ビットのビット列、ＴＤＤでは、サブフレーム設定（ＴＤＤ  ＵＬ／ＤＬ設定）１〜５では、２０ビットのビット列、サブフレーム設定０では、７０ビットのビット列、サブフレーム設定６では、６０ビットのビット列で示されてもよい。これらのビット列の最初のビットまたは左端のビットが、システムフレーム番号（SFN: System Frame Number）ｍｏｄ  ｘ＝０を満たす無線フレームのサブフレーム＃０に対応する。ビット列のうち、“１”がセットされたサブフレームが使われる。例えば、１０ビットのビット列で“１０１１００００１１”で示される場合、サブフレーム＃０、＃２、＃３、＃８、＃９が使われる。
【０４０７】
本発明の実施形態において、ＴＤＤ  ＵＬ／ＤＬ設定は、基地局装置１から端末装置２へ送信（通知、伝送）される。また、ＴＤＤ  ＵＬ／ＤＬ設定は、ＳＩＢ１で通知されてもよい。また、ＴＤＤ  ＵＬ／ＤＬ設定は、上位層シグナリング（ＲＲＣシグナリング、ＲＲＣメッセージ）で通知されてもよい。複数のＴＤＤ  ＵＬ／ＤＬ設定を用いて通信を行なう端末装置２に対して、基地局装置１は、ＴＤＤ  ＵＬ／ＤＬ設定をＬ１シグナリングまたはＬ２シグナリングで通知してもよい。
【０４０８】
本発明の実施形態において、１つのセルにおいて、複数のＴＤＤ  ＵＬ／ＤＬ設定がセットされる場合、１つは、上りリンク参照として用いられ、１つは、下りリンク参照として用いられる。上りリンク参照として設定されるＴＤＤ  ＵＬ／ＤＬ設定は、ＰＵＳＣＨの送信タイミング、ＰＵＳＣＨに対するＰＨＩＣＨの受信タイミング、上りリンクグラントの受信タイミングなど、上りリンク送信／受信に関する処理を行なうために用いられる。また、下りリンク参照として設定されるＴＤＤ  ＵＬ／ＤＬ設定は、ＰＤＣＣＨ／ＥＰＤＣＣＨ／ＰＤＳＣＨの受信タイミング（モニタリング）、下りリンクグラントの受信タイミング、ＨＡＲＱ−ＡＣＫを伴うＰＵＣＣＨの送信タイミングなど、下りリンク送信／受信に関する処理を行なうために用いられる。
【０４０９】
本発明の実施形態において、プライマリーセルに対して複数のＴＤＤ  ＵＬ／ＤＬ設定（ＵＬ／ＤＬ設定）がセットされる場合、プライマリーセルにおける各サブフレームパターンは、ＳＩＢ１で通知されるＴＤＤ  ＵＬ／ＤＬ設定に基づいて決定されてもよい。また、プライマリーセルにおける各サブフレームパターンは、上位層シグナリング（ＲＲＣシグナリング、ＲＲＣメッセージ）で通知されるＴＤＤ  ＵＬ／ＤＬ設定に基づいて決定されてもよい。また、プライマリーセルにおける各サブフレームパターンは、Ｌ１シグナリング（下りリンクグラント、上りリンクグラント、ＰＤＣＣＨ／ＥＰＤＣＣＨ、ＤＣＩフォーマット）で通知されたＴＤＤ  ＵＬ／ＤＬ設定に基づいて決定されてもよい。また、プライマリーセルにおける各サブフレームパターンは、Ｌ２シグナリング（ＭＡＣ  ＣＥ）で通知されたＴＤＤ  ＵＬ／ＤＬ設定に基づいて決定されてもよい。また、プライマリーセルにおける各サブフレームパターンは、上りリンク参照として用いられるＴＤＤ  ＵＬ／ＤＬ設定（上りリンク参照ＵＬ／ＤＬ設定）に基づいて決定されてもよい。また、プライマリーセルにおける各サブフレームパターンは、下りリンク参照として用いられるＴＤＤ  ＵＬ／ＤＬ設定（下りリンク参照ＵＬ／ＤＬ設定）に基づいて決定されてもよい。また、プライマリーセルにおける各サブフレームパターンは、共通のＴＤＤ  ＵＬ／ＤＬ設定に基づいて決定されてもよい。また、プライマリーセルにおける各サブフレームパターンは、独立に決定されてもよい。例えば、プライマリーセル測定に対するサブフレームパターンは、ＳＩＢ１で通知されるＴＤＤ  ＵＬ／ＤＬ設定に基づき、ＥＰＤＣＣＨをモニタリングするためのサブフレームパターンは、上位層シグナリング（ＲＲＣシグナリング、ＲＲＣメッセージ）で通知されるＴＤＤ  ＵＬ／ＤＬ設定に基づいて決定されてもよい。プライマリーセル測定に対するサブフレームパターンは、ＳＩＢ１で通知されるＴＤＤ  ＵＬ／ＤＬ設定に基づき、ＣＳＩを測定するためのサブフレームパターンは、Ｌ１シグナリングに基づいて決定されてもよい。具体的には、プライマリーセル測定に対するサブフレームパターンは、サブフレーム設定（ＴＤＤ  ＵＬ／ＤＬ設定）０に対応するビット列に基づき、ＥＰＤＣＣＨをモニタリングするためのサブフレームパターンは、サブフレーム設定（ＴＤＤ  ＵＬ／ＤＬ設定）３に基づき、ＣＳＩを測定するためのサブフレームパターンは、サブフレーム設定（ＴＤＤ  ＵＬ／ＤＬ設定）６に基づいてもよい。なお、サブフレーム設定（ＴＤＤ  ＵＬ／ＤＬ設定）の値は一例であって、異なる値であってもよい。
【０４１０】
本発明の実施形態において、セカンダリーセルに対して複数のＴＤＤ  ＵＬ／ＤＬ設定（ＵＬ／ＤＬ設定）がセットされる場合、セカンダリーセルにおけるサブフレームパターンは、セカンダリーセルに対するシステムインフォメーションで通知されるＴＤＤ  ＵＬ／ＤＬ設定に基づいて決定されてもよい。また、セカンダリーセルにおけるサブフレームパターンは、上位層シグナリング（ＲＲＣシグナリング、ＲＲＣメッセージ）で通知されるＴＤＤ  ＵＬ／ＤＬ設定に基づいて決定されてもよい。また、セカンダリーセルにおけるサブフレームパターンは、Ｌ１シグナリング（下りリンクグラント、上りリンクグラント、ＰＤＣＣＨ／ＥＰＤＣＣＨ、ＤＣＩフォーマット）で通知されたＴＤＤ  ＵＬ／ＤＬ設定に基づいて決定されてもよい。また、セカンダリーセルにおけるサブフレームパターンは、Ｌ２シグナリング（ＭＡＣ  ＣＥ）で通知されたＴＤＤ  ＵＬ／ＤＬ設定に基づいて決定されてもよい。また、セカンダリーセルにおけるサブフレームパターンは、上りリンク参照として設定されたＴＤＤ  ＵＬ／ＤＬ設定（上りリンク参照ＵＬ／ＤＬ設定）に基づいて決定されてもよい。また、セカンダリーセルにおけるサブフレームパターンは、下りリンク参照として設定されたＴＤＤ  ＵＬ／ＤＬ設定（下りリンク参照ＵＬ／ＤＬ設定）に基づいて決定されてもよい。なお、ＣＳＩを測定するためのサブフレームパターンがプライマリーセルと独立に設定される場合、セカンダリーセルにおけるＣＳＩを測定するためのサブフレームパターンは、プライマリーセルと独立に決定されてもよい。
【０４１１】
本発明の実施形態において、プライマリーセルとセカンダリーセルに対して、それぞれ複数のＴＤＤ  ＵＬ／ＤＬ設定（ＵＬ／ＤＬ設定）がセットされる場合、プライマリーセルとセカンダリーセルそれぞれにおける各サブフレームパターンは、共通のＴＤＤ  ＵＬ／ＤＬ設定に基づいて決定されてもよい。例えば、ＳＩＢ１で通知されたＴＤＤ  ＵＬ／ＤＬ設定であってもよいし、上位層シグナリングで通知されたＴＤＤ  ＵＬ／ＤＬ設定であってもよいし、Ｌ１／Ｌ２シグナリングで通知されたＴＤＤ  ＵＬ／ＤＬ設定であってもよいし、上りリンク参照として設定されたＴＤＤ  ＵＬ／ＤＬ設定（上りリンク参照ＵＬ／ＤＬ設定）であってもよいし、下りリンク参照として設定されたＴＤＤ  ＵＬ／ＤＬ設定（下りリンク参照ＵＬ／ＤＬ設定）であってもよい。また、プライマリーセルとセカンダリーセルそれぞれにおける各サブフレームパターンは、独立に決定されてもよい。例えば、プライマリーセルにおけるサブフレームパターンは、ＳＩＢ１で通知されたＴＤＤ  ＵＬ／ＤＬ設定に基づき、セカンダリーセルにおけるサブフレームパターンは、Ｌ１／Ｌ２シグナリングで通知されたＴＤＤ  ＵＬ／ＤＬ設定に基づいて決定されてもよい。また、プライマリーセルにおけるサブフレームパターンは、上りリンク参照として設定されたＴＤＤ  ＵＬ／ＤＬ設定に基づき、セカンダリーセルにおけるサブフレームパターンは、下りリンク参照として設定されたＴＤＤ  ＵＬ／ＤＬ設定に基づいてもよい。
【０４１２】
本発明の実施形態において、プライマリーセルとセカンダリーセルに対して、それぞれ複数のＴＤＤ  ＵＬ／ＤＬ設定（ＵＬ／ＤＬ設定）がセットされる場合、プライマリーセルの上りリンク参照ＵＬ／ＤＬ設定は、ＳＩＢ１（またはＳＩＢ１以外のシステムインフォメーション）で通知されてもよい。また、プライマリーセルの上りリンク参照ＵＬ／ＤＬ設定は、上位層シグナリング（ＲＲＣシグナリング、ＲＲＣメッセージ）で通知されてもよい。また、プライマリーセルの上りリンク参照ＵＬ／ＤＬ設定は、端末装置間で共通／専用の上位層シグナリング（ＲＲＣシグナリング、ＲＲＣメッセージ）で通知されてもよい。プライマリーセルの上りリンク参照ＵＬ／ＤＬ設定は、Ｌ１／Ｌ２シグナリングで通知されてもよい。プライマリーセルの下りリンク参照ＵＬ／ＤＬ設定は、プライマリーセルの上りリンク参照ＵＬ／ＤＬ設定で示した同様の方法で通知されてもよい。また、プライマリーセルの上りリンク参照ＵＬ／ＤＬ設定と下りリンク参照ＵＬ／ＤＬ設定は独立なパラメータとして設定されてもよい。
【０４１３】
本発明の実施形態において、プライマリーセルとセカンダリーセルに対して、それぞれ複数のＴＤＤ  ＵＬ／ＤＬ設定（ＵＬ／ＤＬ設定）がセットされる場合、セカンダリーセルの上りリンク参照ＵＬ／ＤＬ設定は、システムインフォメーションに相当する上位層シグナリング（ＲＲＣシグナリング、ＲＲＣメッセージ）で通知されてもよい。また、セカンダリーセルの上りリンク参照ＵＬ／ＤＬ設定は、システムインフォメーションに相当しない、端末装置間で共通／専用の上位層シグナリング（ＲＲＣシグナリング、ＲＲＣメッセージ）で通知されてもよい。セカンダリーセルの上りリンク参照ＵＬ／ＤＬ設定は、Ｌ１／Ｌ２シグナリングで通知されてもよい。セカンダリーセルの下りリンク参照ＵＬ／ＤＬ設定は、セカンダリーセルの上りリンク参照ＵＬ／ＤＬ設定で示した同様の方法で通知されてもよい。また、セカンダリーセルの上りリンク参照ＵＬ／ＤＬ設定と下りリンク参照ＵＬ／ＤＬ設定は独立なパラメータとして設定されてもよい。
【０４１４】
本発明の実施形態において、サービングセルに対する下りリンク参照ＵＬ／ＤＬ設定（ＴＤＤ  ＵＬ／ＤＬ設定）は、プライマリーセルのＴＤＤ  ＵＬ／ＤＬ設定およびセカンダリーセルのＴＤＤ  ＵＬ／ＤＬ設定に基づいて決定される。
【０４１５】
本発明の実施形態において、プライマリーセルとセカンダリーセルに対して、それぞれ複数のＴＤＤ  ＵＬ／ＤＬ設定（ＵＬ／ＤＬ設定）がセットされる場合、サービングセルに対する下りリンク参照ＵＬ／ＤＬ設定は、プライマリーセルをＳＩＢ１で通知されたＴＤＤ  ＵＬ／ＤＬ設定とし、セカンダリーセルを上位層シグナリングで通知されたＴＤＤ  ＵＬ／ＤＬ設定として、決定されてもよい。サービングセルに対する下りリンク参照ＵＬ／ＤＬ設定は、プライマリーセルのＵＬ／ＤＬ設定をＳＩＢ１で通知されたＴＤＤ  ＵＬ／ＤＬ設定とし、セカンダリーセルのＵＬ／ＤＬ設定をＬ１シグナリングで通知されたＴＤＤ  ＵＬ／ＤＬ設定として、決定されてもよい。また、サービングセルに対する下りリンク参照ＵＬ／ＤＬ設定は、プライマリーセルのＵＬ／ＤＬ設定を下りリンク参照ＵＬ／ＤＬ設定とし、セカンダリーセルのＵＬ／ＤＬ設定を下りリンク参照ＵＬ／ＤＬ設定として、決定されてもよい。また、サービングセルに対する下りリンク参照ＵＬ／ＤＬ設定は、プライマリーセルのＵＬ／ＤＬ設定を下りリンク参照ＵＬ／ＤＬ設定とし、セカンダリーセルのＵＬ／ＤＬ設定を上りリンク参照ＴＤＤ  ＵＬ／ＤＬ設定として、決定されてもよい。また、サービングセルに対する下りリンク参照ＵＬ／ＤＬ設定は、プライマリーセルのＵＬ／ＤＬ設定を上りリンク参照ＴＤＤ  ＵＬ／ＤＬ設定とし、セカンダリーセルのＵＬ／ＤＬ設定を下りリンク参照ＴＤＤ  ＵＬ／ＤＬ設定として、決定されてもよい。プライマリーセルおよびセカンダリーセルのＵＬ／ＤＬ設定は一例であって、他の条件によって、通知されたＴＤＤ  ＵＬ／ＤＬ設定であってもよい。
【０４１６】
本発明の実施形態において、サービングセルに対する上りリンク参照ＵＬ／ＤＬ設定（ＴＤＤ  ＵＬ／ＤＬ設定）は、あるサービングセルのＴＤＤ  ＵＬ／ＤＬ設定および他のサービングセルのＴＤＤ  ＵＬ／ＤＬ設定に基づいて決定される。
【０４１７】
本発明の実施形態において、複数のサービングセルに対して、それぞれ複数のＴＤＤ  ＵＬ／ＤＬ設定（ＵＬ／ＤＬ設定）がセットされる場合、サービングセルに対する上りリンク参照ＵＬ／ＤＬ設定は、あるサービングセルをＳＩＢ１で通知されたＴＤＤ  ＵＬ／ＤＬ設定とし、他のサービングセルを上位層シグナリングで通知されたＴＤＤ  ＵＬ／ＤＬ設定として、決定されてもよい。また、サービングセルに対する上りリンク参照ＵＬ／ＤＬ設定は、あるサービングセルのＵＬ／ＤＬ設定をＳＩＢ１で通知されたＴＤＤ  ＵＬ／ＤＬ設定とし、他のサービングセルのＵＬ／ＤＬ設定をＬ１シグナリングで通知されたＴＤＤ  ＵＬ／ＤＬ設定として、決定されてもよい。また、サービングセルに対する上りリンク参照ＵＬ／ＤＬ設定は、あるサービングセルのＵＬ／ＤＬ設定を上りリンク参照ＵＬ／ＤＬ設定とし、他のサービングセルのＵＬ／ＤＬ設定を上りリンク参照ＵＬ／ＤＬ設定として、決定されてもよい。また、サービングセルに対する上りリンク参照ＵＬ／ＤＬ設定は、あるサービングセルのＵＬ／ＤＬ設定を上りリンク参照ＵＬ／ＤＬ設定とし、他のサービングセルのＵＬ／ＤＬ設定を下りリンク参照ＵＬ／ＤＬ設定として、決定されてもよい。また、複数のサービングセルにおけるＴＤＤ  ＵＬ／ＤＬ設定は一例であって、他の条件で設定されたＴＤＤ  ＵＬ／ＤＬ設定であってもよい。
【０４１８】
本発明の実施形態において、複数のサービングセル（プライマリーセルおよびセカンダリーセル）に対して、それぞれ複数のＴＤＤ  ＵＬ／ＤＬ設定（ＵＬ／ＤＬ設定）がセットされ、クロスキャリアスケジューリングが行なわれる場合、プライマリーセルにおける下りリンク送信／受信処理は、サービングセルに対するＵＬ／ＤＬ設定に基づいて行なわれる。また、プライマリーセルにおける上りリンク送信／受信処理は、サービングセルに対する上りリンク参照ＵＬ／ＤＬ設定に基づいて行なわれる。この場合、プライマリーセルにおいて、セカンダリーセルに対する下りリンクグラントを検出するとすれば、セカンダリーセルの下りリンク受信（ＰＤＳＣＨ受信）は、サービングセルに対する下りリンク参照ＵＬ／ＤＬ設定に基づいて行なわれる。また、セカンダリーセルの下りリンク受信に対するＨＡＲＱ−ＡＣＫは、プライマリーセルのＰＵＣＣＨで送信される。その際、ＰＵＣＣＨの送信は、サービングセルに対する下りリンク参照ＵＬ／ＤＬ設定に基づいて行なわれる。また、この場合、プライマリーセルにおいて、セカンダリーセルに対する上りリンクグラントを検出するとすれば、セカンダリーセルの上りリンク送信（例えば、ＰＵＳＣＨ送信）は、サービングセルに対する上りリンク参照ＵＬ／ＤＬ設定に基づいて行なってもよい。セカンダリーセルの上りリンク送信に対するＰＨＩＣＨは、プライマリーセルで送信される。その際、ＰＨＩＣＨの送信は、サービングセルに対する上りリンク参照ＵＬ／ＤＬ設定に基づいて行なわれる。すなわち、この場合、端末装置２および基地局装置１は、上りリンク／下りリンクの送信／受信を上りリンク参照ＵＬ／ＤＬ設定および下りリンク参照ＵＬ／ＤＬ設定に基づいて行なう。また、この場合、サブフレームｎでサービングセルｃからスケジュールされた（サービングセルｃまたはサービングセルｃとは異なるセルに対する）ＰＵＳＣＨ送信に対し、端末装置２は、サブフレームｎ＋ｋＰＨIＣＨでサービングセルｃのＰＨＩＣＨリソースで決定される。ｋＰＨIＣＨは、サービングセルに対する上りリンク参照ＵＬ／ＤＬ設定に基づいて決定される。この場合、基地局装置１は、サブフレームｎでサービングセルｃからスケジュールされた（サービングセルｃまたはサービングセルｃとは異なるセルに対する）ＰＵＳＣＨを受信すれば、サブフレームｎ＋ｋＰＨIＣＨでサービングセルｃのＰＨＩＣＨリソースを用いて、ＰＵＳＣＨに対するＨＡＲＱ−ＡＣＫを送信する。
【０４１９】
ここで、クロスキャリアスケジューリングとは、あるセルで上りリンクグラント（上りリンクに関連するＤＣＩフォーマット）または下りリンクグラント（下りリンクに関連するＤＣＩフォーマット）にＣＩＦ（Carrier Indicator Field）が含まれて送信されることによって、異なるセルに対する上りリンクグラントまたは下りリンクグラントを送信することができる。つまり、ＣＩＦが含まれたＤＣＩフォーマットを用いて、１つのセルで複数のセルに対する上りリンク／下りリンク送信を制御することができる。
【０４２０】
本発明の実施形態において、隣接セルに対して複数のＴＤＤ  ＵＬ／ＤＬ設定（ＵＬ／ＤＬ設定）がセットされる場合、隣接セルにおけるサブフレームパターンは、隣接セルに対するシステムインフォメーションで通知されるＴＤＤ  ＵＬ／ＤＬ設定に基づいて決定されてもよい。また、隣接セルにおけるサブフレームパターンは、上位層シグナリング（ＲＲＣシグナリング、ＲＲＣメッセージ）で通知されるＴＤＤ  ＵＬ／ＤＬ設定に基づいて決定されてもよい。また、隣接セルにおけるサブフレームパターンは、端末装置間で共通／専用の上位層シグナリング（ＲＲＣシグナリング、ＲＲＣメッセージ）で通知されるＴＤＤ  ＵＬ／ＤＬ設定に基づいて決定されてもよい。また、隣接セルにおけるサブフレームパターンは、Ｌ１シグナリング（下りリンクグラント、上りリンクグラント、ＰＤＣＣＨ／ＥＰＤＣＣＨ、ＤＣＩフォーマット）で通知されたＴＤＤ  ＵＬ／ＤＬ設定に基づいて決定されてもよい。また、隣接セルにおけるサブフレームパターンは、Ｌ２シグナリング（ＭＡＣ  ＣＥ）で通知されたＴＤＤ  ＵＬ／ＤＬ設定に基づいて決定されてもよい。また、隣接セルにおけるサブフレームパターンは、上りリンク参照として設定されたＴＤＤ  ＵＬ／ＤＬ設定（上りリンク参照ＵＬ／ＤＬ設定）に基づいて決定されてもよい。また、隣接セルにおけるサブフレームパターンは、下りリンク参照として設定されたＴＤＤ  ＵＬ／ＤＬ設定（下りリンク参照ＵＬ／ＤＬ設定）に基づいて決定されてもよい。
【０４２１】
本発明では、上りリンク電力制御について説明してきたが、下りリンク電力制御についても同様に制御されてもよい。
【０４２２】
本発明では、上りリンク電力制御について説明してきたが、下りリンクのチャネル推定制御についても同様に制御されてもよい。また、本発明は、チャネル状態情報報告の制御に適用されてもよい。本発明は、受信電力測定の制御に適用されてもよい。本発明は、下りリンク電力制御についても同様に制御されてもよい。
【０４２３】
なお、本発明の実施形態の説明では、例えば、電力をセットすることは電力の値をセットすることを含み、電力を計算することは電力の値を計算することを含み、電力を測定することは電力の値を測定することを含み、電力を報告することは電力の値を報告することを含む。このように、電力という表現は、適宜電力の値という意味も含まれる。
【０４２４】
なお、本発明の実施形態の説明では、例えば、パスロスを計算することはパスロスの値を計算することを含む。このように、パスロスという表現には、適宜パスロスの値という意味も含まれる。
【０４２５】
なお、本発明の実施形態の説明では、種々のパラメータを設定することは種々のパラメータの値を設定することを含む。このように、種々のパラメータという表現には、適宜種々のパラメータの値という意味も含まれる。
【０４２６】
本発明に関わる基地局装置１および端末装置２で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０４２７】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における基地局装置１および端末装置２の一部、または全部を典型的には集積回路であるＬＳＩとして実現してもよい。基地局装置１および端末装置２の各機能ブロックは個別にチップ化してもよいし、一部、または全部を集積してチップ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いることも可能である。
【０４２８】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、本発明の実施形態に記載された要素であり、同様の効果を奏する要素同士を置換した構成も含まれる。
【０４２９】
なお、本願発明は、上述の実施形態に限定されるものではない。本願発明の端末装置は、移動局への適用に限定されるものではなく、屋内外に設置される据え置き型または非可動型の電子機器、例えば、ＡＶ機器、キッチン機器、掃除・洗濯機器、空調機器、オフィス機器、自動販売機、その他生活機器などに適用できることは言うまでもない。また、本発明は、無線基地局装置や無線端末装置や無線通信システムや無線通信方法に用いて好適である。
【０４３０】
以上より、本発明は、以下のような特徴を有してよい。
【０４３１】
（１）本発明の一態様による端末装置は、基地局装置と通信する端末装置であって、上位層シグナリングを介して、ｅＩＭＴＡ（enhanced Interference Management and Traffic Adaptation）の設定に関する第１の情報とＣＳＩ（Channel State Information）サブフレームセットに関する第２の情報を受信する受信部と、前記第２の情報において、第１のＣＳＩサブフレームセットと第２のＣＳＩサブフレームセットが設定されている場合には、サブフレームセット間の優先度を考慮してＰＵＣＣＨ（Physical Uplink Control Channel）を用いたＣＳＩレポートをドロップする送信部と、を備える。
【０４３２】
（２）本発明の一態様による端末装置は、上記の端末装置であって、前記送信部は、あるサブフレームで衝突する複数のＣＳＩレポートのうち、少なくとも１つのＣＳＩレポートは前記第１のＣＳＩサブフレームセットと前記第２のＣＳＩサブフレームセットのそれぞれに対応する場合には、同じ優先度のＰＵＣＣＨレポーティングタイプであれば、前記第２のＣＳＩサブフレームセットに対応するＣＳＩレポートをドロップする。
【０４３３】
（３）本発明の一態様による端末装置は、上記の端末装置であって、前記送信部は、あるサブフレームで衝突する複数のＣＳＩレポートが、同じサービングセルに対して、且つ、同じ優先度のＰＵＣＣＨレポーティングタイプである場合には、第２のＣＳＩサブフレームセットに対応するＣＳＩレポートをドロップする。
【０４３４】
（４）本発明の一態様による端末装置は、上記の端末装置であって、前記送信部は、ＰＵＣＣＨフォーマット３が設定された場合、前記あるサブフレームで、ＨＡＲＱ−ＡＣＫを送信するとすれば、前記第１のＣＳＩサブフレームセットに属するサブフレームに対応するＨＡＲＱ−ＡＣＫ（Hybrid Automatic Repeat request - Acknowledgement）と前記第２のＣＳＩサブフレームセットに属するサブフレームに対応するＨＡＲＱ−ＡＣＫを前記ＰＵＣＣＨフォーマット３で送信する。
【０４３５】
（５）本発明の一態様による基地局装置は、端末装置と通信する基地局装置であって、ｅＩＭＴＡ（enhanced Interference Management and Traffic Adaptation）の設定に関する第１の情報とＣＳＩ（Channel State Information）サブフレームセットに関する第２の情報を、上位層シグナリングを介して、送信する送信部と、前記第１の情報を設定し、且つ、前記第２の情報に基づいて、第１のＣＳＩサブフレームセットと第２のＣＳＩサブフレームセットを設定した場合には、前記第１のＣＳＩサブフレームセットに対応するＣＳＩレポートと前記第２のＣＳＩサブフレームセットに対応するＣＳＩレポートを受信する受信部と、を備える。
【０４３６】
（６）本発明の一態様による基地局装置は、上記の基地局装置であって、前記送信部は、前記第１のＣＳＩサブフレームセットに属するサブフレームに対応するＨＡＲＱ−ＡＣＫ（Hybrid Automatic Repeat request - Acknowledgement）と前記第２のＣＳＩサブフレームセットに属するサブフレームに対応するＨＡＲＱ−ＡＣＫを同じＰＵＣＣＨ（Physical Uplink Control Channel）を介して、受信する場合には、ＰＵＣＣＨフォーマット３のリソースを設定する。
【０４３７】
（７）本発明の一態様による方法は、基地局装置と通信する端末装置における方法であって、上位層シグナリングを介して、ｅＩＭＴＡ（enhanced Interference Management and Traffic Adaptation）の設定に関する第１の情報とＣＳＩ（Channel State Information）サブフレームセットに関する第２の情報を受信するステップと、前記第２の情報において、第１のＣＳＩサブフレームセットと第２のＣＳＩサブフレームセットが設定されている場合には、サブフレームセット間の優先度を考慮してＰＵＣＣＨ（Physical Uplink Control Channel）を用いたＣＳＩレポートをドロップするステップと、を有する。
【０４３８】
（８）本発明の一態様による方法は、上記の方法であって、ＰＵＣＣＨフォーマット３が設定された場合、前記あるサブフレームで、ＨＡＲＱ−ＡＣＫを送信するとすれば、前記第１のＣＳＩサブフレームセットに属するサブフレームに対応するＨＡＲＱ−ＡＣＫ（Hybrid Automatic Repeat request - Acknowledgement）と前記第２のＣＳＩサブフレームセットに属するサブフレームに対応するＨＡＲＱ−ＡＣＫを前記ＰＵＣＣＨフォーマット３で送信するステップを有する。
【０４３９】
（９）本発明の一態様による方法は、端末装置と通信する基地局装置における方法であって、ｅＩＭＴＡ（enhanced Interference Management and Traffic Adaptation）の設定に関する第１の情報とＣＳＩ（Channel State Information）サブフレームセットに関する第２の情報を、上位層シグナリングを介して、送信するステップと、前記第１の情報を設定し、且つ、前記第２の情報に基づいて、第１のＣＳＩサブフレームセットと第２のＣＳＩサブフレームセットを設定した場合には、前記第１のＣＳＩサブフレームセットに対応するＣＳＩレポートと前記第２のＣＳＩサブフレームセットに対応するＣＳＩレポートを受信するステップと、を有する。
【０４４０】
（１０）本発明の一態様による方法は、上記の方法であって、前記第１のＣＳＩサブフレームセットに属するサブフレームに対応するＨＡＲＱ−ＡＣＫ（Hybrid Automatic Repeat request - Acknowledgement）と前記第２のＣＳＩサブフレームセットに属するサブフレームに対応するＨＡＲＱ−ＡＣＫを同じＰＵＣＣＨ（Physical Uplink Control Channel）を介して、受信する場合には、ＰＵＣＣＨフォーマット３のリソースを設定するステップを有する。
【０４４１】
このことにより、適切な送信制御を行なうことができる。
【産業上の利用可能性】
【０４４２】
本発明は、携帯電話、パーソナル・コンピュータ、タブレット型コンピュータなどに適用できる。
【符号の説明】
【０４４３】
１    基地局装置
２    端末装置
１０１    上位層処理部
１０３    制御部
１０５    受信部
１０７    送信部
１０９    チャネル測定部
１１１    送受信アンテナ
１０５１    復号化部
１０５３    復調部
１０５５    多重分離部
１０５７    無線受信部
１０７１    符号化部
１０７３    変調部
１０７５    多重部
１０７７    無線送信部
１０７９    下りリンク参照信号生成部
２０１    上位層処理部
２０３    制御部
２０５    受信部
２０７    送信部
２０９    チャネル測定部
２１１    送受信アンテナ
２０５１    復号化部
２０５３    復調部
２０５５    多重分離部
２０５７    無線受信部
２０７１    符号化部
２０７３    変調部
２０７５    多重部
２０７７    無線送信部
２０７９    上りリンク参照信号生成部
【図１】
2015064738.tif 000003
【図２】
2015064738.tif 000004
【図３】
2015064738.tif 000005
【図４】
2015064738.tif 000006
【国際調査報告】
2015064738.tif 000007
2015064738.tif 000008
2015064738.tif 000009
2015064738.tif 000010